(57)【要約】本願は、情報伝送方法及び通信デバイスを提供する。方法は、Ｎが１よりも大きい正の整数であり、ｉがＮ以下の正の整数であるとして、端末デバイスによって、１つのスロットのＮ個の時間領域インターバルのうちのいずれか１つであるｉ番目の時間領域インターバルに対応するハイブリッド自動再送要求−確認応答ＨＡＲＱ−ＡＣＫコードブックを決定することと、端末デバイスによって、ＨＡＲＱ−ＡＣＫコードブックに対応する物理アップリンク制御チャネルＰＵＣＣＨリソースを決定することと、端末デバイスによって、ＰＵＣＣＨリソースでＨＡＲＱ−ＡＣＫコードブックを送信することとを含む。本願の実施形態における技術的解決法に従って、異なるレイテンシ要件は、異なるサービスごとに満足されることを確かにされ得、リソースの浪費は可能な限り低減可能であり、一方で、ＰＵＣＣＨ伝送の信頼性は確保される。
2021526337.tif 000002
【特許請求の範囲】
【請求項１】
情報伝送方法であって、
端末デバイスによって、ｉ番目の時間領域インターバルに対応するハイブリッド自動再送要求−確認応答ＨＡＲＱ−ＡＣＫコードブックを生成することであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である、ことと、
前記端末デバイスによって、前記ＨＡＲＱ−ＡＣＫコードブックに対応する物理アップリンク制御チャネルＰＵＣＣＨリソースを決定することと、
前記端末デバイスによって、前記ＰＵＣＣＨリソースで前記ＨＡＲＱ−ＡＣＫコードブックを送信することと
を有する方法。
【請求項２】
当該方法は、
前記端末デバイスによって第１ダウンリンク情報を受信することと、
前記端末デバイスによって、前記第１ダウンリンク情報が位置する時間ユニットと第１インジケータ値とに基づいて、前記第１ダウンリンク情報に対応するフィードバック情報が位置する第１時間ユニットを決定することであり、前記第１インジケータ値は、前記第１ダウンリンク情報が位置する前記時間ユニットと前記第１時間ユニットとの間の時間ユニットの数を示す、ことと
を更に有し、
前記第１時間ユニットが前記ｉ番目の時間領域インターバルに属する場合に、前記ｉ番目の時間領域インターバルに対応し、前記端末デバイスによって生成される前記ＨＡＲＱ−ＡＣＫコードブックは、前記第１時間ユニットに対応する前記フィードバック情報を有する、
請求項１に記載の方法。
【請求項３】
前記第１ダウンリンク情報が位置する前記時間ユニットは、前記第１ダウンリンク情報によって占有される時間領域位置での最後のシンボルが位置する時間ユニットである、
請求項２に記載の方法。
【請求項４】
当該方法は、
前記端末デバイスによって第２ダウンリンク情報を受信することと、
前記端末デバイスによって、前記第２ダウンリンク情報が位置する時間ユニットとＰＵＣＣＨリソースインジケータ値とに基づいて、ＰＵＣＣＨの時間領域位置を決定することであり、前記ＰＵＣＣＨリソースインジケータ値は、前記ＰＵＣＣＨの開始シンボル及び長さ情報を示すために使用される、ことと
を更に有し、
前記ＰＵＣＣＨの前記時間領域位置が前記ｉ番目の時間領域インターバルに属する場合に、前記ｉ番目の時間領域インターバルに対応し、前記端末デバイスによって生成される前記ＨＡＲＱ−ＡＣＫコードブックは、前記ＰＵＣＣＨの前記時間領域位置に対応する前記ダウンリンク情報のフィードバック情報を有する、
請求項１に記載の方法。
【請求項５】
前記時間ユニットの長さは、Ｍ個のシンボル、１／２スロット、１／４スロット、１／７スロット、及び１／８スロットのうちのいずれか１つであり、Ｍは、１４より小さい正の整数である、
請求項２又は３に記載の方法。
【請求項６】
第１フィードバックモードは、前記端末デバイスが前記ｉ番目の時間領域インターバルに対応する前記ハイブリッド自動再送要求−確認応答ＨＡＲＱ−ＡＣＫコードブックを生成することであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
第２フィードバックモードは、前記端末デバイスが、１つのスロットに対応するハイブリッド自動再送要求−確認応答ＨＡＲＱ−ＡＣＫコードブックを生成することであり、
当該方法は、前記端末デバイスによって前記第１フィードバックモード及び／又は前記第２フィードバックモードを決定することを更に有する、
請求項１乃至５のうちいずれか一項に記載の方法。
【請求項７】
前記端末デバイスによって前記第１フィードバックモード及び／又は前記第２フィードバックモードを決定することは、
前記端末デバイスによって、第１情報に基づいて、前記第１フィードバックモード及び／又は前記第２フィードバックモードを決定することを有し、
前記第１情報は、コンフィグレーション情報、サービスタイプ、ダウンリンク情報をスケジューリングする制御情報のフォーマット、前記ダウンリンク情報をスケジューリングする前記制御情報のスクランブリング識別子情報、前記ダウンリンク情報をスケジューリングする前記制御情報が位置する探索空間のタイプ又は識別子、前記ダウンリンク情報をスケジューリングする前記制御情報のアグリゲーションレベル、前記ダウンリンク情報のマッピングタイプ、及び前記ダウンリンク情報の時間領域長さのうちの少なくとも１つを有する、
請求項６に記載の方法。
【請求項８】
前記ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である、
請求項１乃至７のうちいずれか一項に記載の方法。
【請求項９】
前記ｉ番目の時間領域インターバルの前記時間領域長さは、予め定義される、
請求項１乃至８のうちいずれか一項に記載の方法。
【請求項１０】
当該方法は、前記端末デバイスによって、ネットワークデバイスによって送信された第１指示情報を受信することを更に有し、
前記第１指示情報は、前記ｉ番目の時間領域インターバルの前記時間領域長さを示すために使用され、前記第１指示情報は、上位層シグナリングで運ばれる、
請求項１乃至８のうちいずれか一項に記載の方法。
【請求項１１】
前記ＰＵＣＣＨの前記開始シンボルの参照シンボルは、前記ｉ番目の時間領域インターバルの開始シンボル又は（ｉ−１）番目の時間領域インターバルの終了シンボルである、
請求項１乃至１０のうちいずれか一項に記載の方法。
【請求項１２】
前記第１インジケータ値は、予め定義される、
請求項２乃至１１のうちいずれか一項に記載の方法。
【請求項１３】
当該方法は、前記端末デバイスによって、前記ネットワークデバイスによって送信された第２指示情報を受信することを更に有し、
前記第２指示情報は、前記第１インジケータ値を示すために使用され、前記第２指示情報は、上位層シグナリングで運ばれる、
請求項２乃至１１のうちいずれか一項に記載の方法。
【請求項１４】
当該方法は、前記端末デバイスによって、前記ネットワークデバイスによって送信された第１ダウンリンク制御情報を受信することを更に有し、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングによって示される、
請求項２乃至１１のうちいずれか一項に記載の方法。
【請求項１５】
情報伝送方法であって、
端末デバイスによって、１つのスロットに対応するＰ個のハイブリッド自動再送要求−確認応答ＨＡＲＱ−ＡＣＫコードブックを生成することであり、前記スロットは、Ｐ個の重なり合わない時間領域インターバルを有し、該Ｐ個の重なり合わない時間領域インターバルの中のｉ番目の時間領域インターバルは、前記Ｐ個のＨＡＲＱ−ＡＣＫコードブックの中のｉ番目のＨＡＲＱ−ＡＣＫコードブックと一対一で対応し、Ｐは１よりも大きい正の整数であり、ｉは正の整数である、ことと、
前記端末デバイスによって、前記Ｐ個のＨＡＲＱ−ＡＣＫコードブックの中の前記ｉ番目のコードブックに対応する物理アップリンク制御チャネルＰＵＣＣＨリソースを決定することと、
前記端末デバイスによって、前記ＰＵＣＣＨリソースで前記ｉ番目のＨＡＲＱ−ＡＣＫコードブックを送信することと
を有する方法。
【請求項１６】
当該方法は、
前記端末デバイスによって第１ダウンリンク情報を受信することと、
前記端末デバイスによって、前記第１ダウンリンク情報が位置する時間ユニットと第１インジケータ値とに基づいて、前記第１ダウンリンク情報に対応するフィードバック情報が位置する第１時間ユニットを決定することであり、前記第１インジケータ値は、前記第１ダウンリンク情報が位置する前記時間ユニットと前記第１時間ユニットとの間の時間ユニットの数を示す、ことと
を更に有し、
前記第１時間ユニットが前記ｉ番目の時間領域インターバルに属する場合に、前記ｉ番目の時間領域インターバルに対応し、前記端末デバイスによって生成される前記ＨＡＲＱ−ＡＣＫコードブックは、前記第１時間ユニットに対応する前記フィードバック情報を有する、
請求項１５に記載の方法。
【請求項１７】
前記第１ダウンリンク情報が位置する前記時間ユニットは、前記第１ダウンリンク情報によって占有される時間領域位置での最後のシンボルが位置する時間ユニットである、
請求項１６に記載の方法。
【請求項１８】
当該方法は、
前記端末デバイスによって第２ダウンリンク情報を受信することと、
前記端末デバイスによって、前記第２ダウンリンク情報が位置する時間ユニットとＰＵＣＣＨリソースインジケータ値とに基づいて、ＰＵＣＣＨの時間領域位置を決定することであり、前記ＰＵＣＣＨリソースインジケータ値は、前記ＰＵＣＣＨの開始シンボル及び長さ情報を示すために使用される、ことと
を更に有し、
前記ＰＵＣＣＨの前記時間領域位置が前記ｉ番目の時間領域インターバルに属する場合に、前記ｉ番目の時間領域インターバルに対応し、前記端末デバイスによって生成される前記ＨＡＲＱ−ＡＣＫコードブックは、前記ＰＵＣＣＨの前記時間領域位置に対応する前記ダウンリンク情報のフィードバック情報を有する、
請求項１５に記載の方法。
【請求項１９】
前記時間ユニットの長さは、Ｍ個のシンボル、１／２スロット、１／４スロット、１／７スロット、及び１／８スロットのうちのいずれか１つであり、Ｍは、１４より小さい正の整数である、
請求項１６又は１７に記載の方法。
【請求項２０】
第１フィードバックモードは、前記端末デバイスが前記ｉ番目の時間領域インターバルに対応する前記ハイブリッド自動再送要求−確認応答ＨＡＲＱ−ＡＣＫコードブックを生成することであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
第２フィードバックモードは、前記端末デバイスが、１つのスロットに対応するハイブリッド自動再送要求−確認応答ＨＡＲＱ−ＡＣＫコードブックを生成することであり、
当該方法は、前記端末デバイスによって前記第１フィードバックモード及び／又は前記第２フィードバックモードを決定することを更に有する、
請求項１５乃至１９のうちいずれか一項に記載の方法。
【請求項２１】
前記端末デバイスによって前記第１フィードバックモード及び／又は前記第２フィードバックモードを決定することは、
前記端末デバイスによって、第１情報に基づいて、前記第１フィードバックモード及び／又は前記第２フィードバックモードを決定することを有し、
前記第１情報は、コンフィグレーション情報、サービスタイプ、ダウンリンク情報をスケジューリングする制御情報のフォーマット、前記ダウンリンク情報をスケジューリングする前記制御情報のスクランブリング識別子情報、前記ダウンリンク情報をスケジューリングする前記制御情報が位置する探索空間のタイプ又は識別子、前記ダウンリンク情報をスケジューリングする前記制御情報のアグリゲーションレベル、前記ダウンリンク情報のマッピングタイプ、及び前記ダウンリンク情報の時間領域長さのうちの少なくとも１つを有する、
請求項２０に記載の方法。
【請求項２２】
前記ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である、
請求項１５乃至２１のうちいずれか一項に記載の方法。
【請求項２３】
前記ｉ番目の時間領域インターバルの前記時間領域長さは、標準規格に従って予め定義される、
請求項１５乃至２２のうちいずれか一項に記載の方法。
【請求項２４】
当該方法は、前記端末デバイスによって、ネットワークデバイスによって送信された第１指示情報を受信することを更に有し、
前記第１指示情報は、前記ｉ番目の時間領域インターバルの前記時間領域長さを示すために使用され、前記第１指示情報は、上位層シグナリングで運ばれる、
請求項１５乃至２２のうちいずれか一項に記載の方法。
【請求項２５】
前記ＰＵＣＣＨの前記開始シンボルの参照シンボルは、前記ｉ番目の時間領域インターバルの開始シンボル又は（ｉ−１）番目の時間領域インターバルの終了シンボルである、
請求項１５乃至２４のうちいずれか一項に記載の方法。
【請求項２６】
前記第１インジケータ値は、予め定義される、
請求項１６乃至２５のうちいずれか一項に記載の方法。
【請求項２７】
当該方法は、前記端末デバイスによって、前記ネットワークデバイスによって送信された第２指示情報を受信することを更に有し、
前記第２指示情報は、前記第１インジケータ値を示すために使用され、前記第２指示情報は、上位層シグナリングで運ばれる、
請求項１６乃至２５のうちいずれか一項に記載の方法。
【請求項２８】
当該方法は、前記端末デバイスによって、前記ネットワークデバイスによって送信された第１ダウンリンク制御情報を受信することを更に有し、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングによって示される、
請求項１６乃至２５のうちいずれか一項に記載の方法。
【請求項２９】
情報伝送方法であって、
ネットワークデバイスによって物理アップリンク制御チャネルＰＵＣＣＨリソースを決定することと、
前記ネットワークデバイスによって、前記ＰＵＣＣＨリソースで、端末デバイスによって送信されたハイブリッド自動再送要求−確認応答ＨＡＲＱ−ＡＣＫコードブックを受信することであり、該ＨＡＲＱ−ＡＣＫコードブックは、ｉ番目の時間領域インターバルに対応するＨＡＲＱ−ＡＣＫコードブックであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である、ことと
を有する方法。
【請求項３０】
当該方法は、
前記ネットワークデバイスによって第１ダウンリンク情報を送信することと、
前記ネットワークデバイスによって第１インジケータ値を決定することと、
前記ネットワークデバイスによって、前記第１ダウンリンク情報に対応するフィードバック情報が位置する第１時間ユニットを決定することと
を更に有し、
前記第１インジケータ値は、前記第１ダウンリンク情報が位置する時間ユニットと前記第１時間ユニットとの間の時間ユニットの数を示し、
前記第１時間ユニットは、前記ｉ番目の時間領域インターバルに属し、該ｉ番目の時間領域インターバルに対応する前記ＨＡＲＱ−ＡＣＫコードブックは、前記第１時間ユニットに対応する前記フィードバック情報を有する、
請求項２９に記載の方法。
【請求項３１】
前記第１ダウンリンク情報が位置する前記時間ユニットは、前記第１ダウンリンク情報によって占有される時間領域位置での最後のシンボルが位置する時間ユニットである、
請求項３０に記載の方法。
【請求項３２】
当該方法は、
前記ネットワークデバイスによって第２ダウンリンク情報を送信することと、
前記ネットワークデバイスによってＰＵＣＣＨリソースインジケータ値を送信することと、
前記ネットワークデバイスによって、ＰＵＣＣＨの時間領域位置を決定することと
を更に有し、
前記ＰＵＣＣＨリソースインジケータ値は、前記ＰＵＣＣＨの前記時間領域位置を示すために使用され、
前記ＰＵＣＣＨの前記時間領域位置は、前記ｉ番目の時間領域インターバルに属し、該ｉ番目の時間領域インターバルに対応する前記ＨＡＲＱ−ＡＣＫコードブックは、前記ＰＵＣＣＨの前記時間領域位置に対応する前記ダウンリンク情報のフィードバック情報を有する、
請求項２９に記載の方法。
【請求項３３】
前記時間ユニットの長さは、Ｍ個のシンボル、１／２スロット、１／４スロット、１／７スロット、及び１／８スロットのうちのいずれか１つであり、Ｍは、１４より小さい正の整数である、
請求項３０又は３１に記載の方法。
【請求項３４】
第１受信フィードバックモードは、前記ネットワークデバイスが、前記端末デバイスによって送信された前記ハイブリッド自動再送要求−確認応答ＨＡＲＱ−ＡＣＫコードブックを受信することであり、前記ＨＡＲＱ−ＡＣＫコードブックは、前記ｉ番目の時間領域インターバルに対応する前記ＨＡＲＱ−ＡＣＫコードブックであり、該ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
第２受信フィードバックモード、該第２受信フィードバックモードは、前記ネットワークデバイスが、１つのスロットに対応し、前記端末デバイスによって生成されるハイブリッド自動再送要求−確認応答ＨＡＲＱ−ＡＣＫコードブックを受信することであり、
当該方法は、前記ネットワークデバイスによって前記第１受信フィードバックモード及び／又は前記第２受信フィードバックモードを決定することを更に有する、
請求項２９乃至３３のうちいずれか一項に記載の方法。
【請求項３５】
前記ネットワークデバイスによって前記第１受信フィードバックモード及び／又は前記第２受信フィードバックモードを決定することは、
前記ネットワークデバイスによって、第１情報に基づいて前記第１受信フィードバックモード及び／又は前記第２受信フィードバックモードを決定することを有し、
前記第１情報は、コンフィグレーション情報、サービスタイプ、ダウンリンク情報をスケジューリングする制御情報のフォーマット、前記ダウンリンク情報をスケジューリングする前記制御情報のスクランブリング識別子情報、前記ダウンリンク情報をスケジューリングする前記制御情報が位置する探索空間のタイプ又は識別子、前記ダウンリンク情報をスケジューリングする前記制御情報のアグリゲーションレベル、前記ダウンリンク情報のマッピングタイプ、及び前記ダウンリンク情報の時間領域長さのうちの少なくとも１つを有する、
請求項３４に記載の方法。
【請求項３６】
前記ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である、
請求項２９乃至３５のうちいずれか一項に記載の方法。
【請求項３７】
前記ｉ番目の時間領域インターバルの前記時間領域長さは、予め定義される、
請求項２９乃至３６のうちいずれか一項に記載の方法。
【請求項３８】
当該方法は、前記ネットワークデバイスによって第１指示情報を前記端末デバイスへ送信することを更に有し、
前記第１指示情報は、前記ｉ番目の時間領域インターバルの前記時間領域長さを示すために使用され、前記第１指示情報は、上位層シグナリングで運ばれる、
請求項２９乃至３６のうちいずれか一項に記載の方法。
【請求項３９】
前記ＰＵＣＣＨの開始シンボルの参照シンボルは、前記ｉ番目の時間領域インターバルの開始シンボル又は（ｉ−１）番目の時間領域インターバルの終了シンボルである、
請求項２９乃至３８のうちいずれか一項に記載の方法。
【請求項４０】
前記第１インジケータ値は、予め定義される、
請求項３０乃至３９のうちいずれか一項に記載の方法。
【請求項４１】
当該方法は、前記ネットワークデバイスによって第２指示情報を前記端末デバイスへ送信することを更に有し、
前記第２指示情報は、前記第１インジケータ値を示すために使用され、前記第２指示情報は、上位層シグナリングで運ばれる、
請求項３０乃至３９のうちいずれか一項に記載の方法。
【請求項４２】
当該方法は、前記ネットワークデバイスによって第１ダウンリンク制御情報を前記端末デバイスへ送信することを更に有し、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングで示される、
請求項３０乃至３９のうちいずれか一項に記載の方法。
【請求項４３】
情報伝送方法であって、
ネットワークデバイスによって、１つのスロットに対応するＰ個のハイブリッド自動再送要求−確認応答ＨＡＲＱ−ＡＣＫコードブックの中のｉ番目のコードブックに対応する物理アップリンク制御チャネルＰＵＣＣＨリソースを決定することであり、前記スロットは、Ｐ個の重なり合わない時間領域インターバルを有し、該Ｐ個の重なり合わない時間領域インターバルの中のｉ番目の時間領域インターバルは、前記Ｐ個のＨＡＲＱ−ＡＣＫコードブックの中の前記ｉ番目のＨＡＲＱ−ＡＣＫコードブックと一対一で対応し、Ｐは１よりも大きい正の整数であり、ｉは正の整数である、ことと、
前記ネットワークデバイスによって、前記ＰＵＣＣＨリソースで、端末デバイスによって送信された前記ｉ番目のコードブックを受信することであり、該ｉ番目のコードブックは、前記スロットに対応する前記Ｐ個のＨＡＲＱ−ＡＣＫコードブックのうちのいずれか１つである、ことと
を有する方法。
【請求項４４】
当該方法は、
前記ネットワークデバイスによって第１ダウンリンク情報を送信することと、
前記ネットワークデバイスによって第１インジケータ値を決定することと、
前記ネットワークデバイスによって、前記第１ダウンリンク情報に対応するフィードバック情報が位置する第１時間ユニットを決定することと
を更に有し、
前記第１インジケータ値は、前記第１ダウンリンク情報が位置する時間ユニットと前記第１時間ユニットとの間の時間ユニットの数を示し、
前記第１時間ユニットは、前記ｉ番目の時間領域インターバルに属し、該ｉ番目の時間領域インターバルに対応する前記ＨＡＲＱ−ＡＣＫコードブックは、前記第１時間ユニットに対応する前記フィードバック情報を有する、
請求項４３に記載の方法。
【請求項４５】
前記第１ダウンリンク情報が位置する前記時間ユニットは、前記第１ダウンリンク情報によって占有される時間領域位置での最後のシンボルが位置する時間ユニットである、
請求項４４に記載の方法。
【請求項４６】
当該方法は、
前記ネットワークデバイスによって第２ダウンリンク情報を送信することと、
前記ネットワークデバイスによってＰＵＣＣＨリソースインジケータ値を送信することと、
前記ネットワークデバイスによって、ＰＵＣＣＨの時間領域位置を決定することと
を更に有し、
前記ＰＵＣＣＨリソースインジケータ値は、前記ＰＵＣＣＨの前記時間領域位置を示すために使用され、
前記ＰＵＣＣＨの前記時間領域位置は、前記ｉ番目の時間領域インターバルに属し、該ｉ番目の時間領域インターバルに対応する前記ＨＡＲＱ−ＡＣＫコードブックは、前記ＰＵＣＣＨの前記時間領域位置に対応する前記ダウンリンク情報のフィードバック情報を有する、
請求項４３に記載の方法。
【請求項４７】
前記時間ユニットの長さは、Ｍ個のシンボル、１／２スロット、１／４スロット、１／７スロット、及び１／８スロットのうちのいずれか１つであり、Ｍは、１４より小さい正の整数である、
請求項４４又は４５に記載の方法。
【請求項４８】
第１受信フィードバックモードは、前記ネットワークデバイスが、前記端末デバイスによって送信された前記ハイブリッド自動再送要求−確認応答ＨＡＲＱ−ＡＣＫコードブックを受信することであり、該ＨＡＲＱ−ＡＣＫコードブックは、前記ｉ番目の時間領域インターバルに対応する前記ＨＡＲＱ−ＡＣＫコードブックであり、該ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
第２受信フィードバックモードは、前記ネットワークデバイスが、１つのスロットに対応し、前記端末デバイスによって生成されるハイブリッド自動再送要求−確認応答ＨＡＲＱ−ＡＣＫコードブックを受信することであり、
当該方法は、前記ネットワークデバイスによって前記第１受信フィードバックモード及び／又は前記第２受信フィードバックモードを決定することを更に有する、
請求項４３乃至４７のうちいずれか一項に記載の方法。
【請求項４９】
前記ネットワークデバイスによって前記第１受信フィードバックモード及び／又は前記第２受信フィードバックモードを決定することは、
前記ネットワークデバイスによって、第１情報に基づいて前記第１受信フィードバックモード及び／又は前記第２受信フィードバックモードを決定することを有し、
前記第１情報は、コンフィグレーション情報、サービスタイプ、ダウンリンク情報をスケジューリングする制御情報のフォーマット、前記ダウンリンク情報をスケジューリングする前記制御情報のスクランブリング識別子情報、前記ダウンリンク情報をスケジューリングする前記制御情報が位置する探索空間のタイプ又は識別子、前記ダウンリンク情報をスケジューリングする前記制御情報のアグリゲーションレベル、前記ダウンリンク情報のマッピングタイプ、及び前記ダウンリンク情報の時間領域長さのうちの少なくとも１つを有する、
請求項４８に記載の方法。
【請求項５０】
前記ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である、
請求項４３乃至４９のうちいずれか一項に記載の方法。
【請求項５１】
前記ｉ番目の時間領域インターバルの前記時間領域長さは、予め定義される、
請求項４３乃至５０のうちいずれか一項に記載の方法。
【請求項５２】
当該方法は、前記ネットワークデバイスによって第１指示情報を前記端末デバイスへ送信することを更に有し、
前記第１指示情報は、前記ｉ番目の時間領域インターバルの前記時間領域長さを示すために使用され、前記第１指示情報は、上位層シグナリングで運ばれる、
請求項４３乃至５０のうちいずれか一項に記載の方法。
【請求項５３】
前記ＰＵＣＣＨの開始シンボルの参照シンボルは、前記ｉ番目の時間領域インターバルの開始シンボル又は（ｉ−１）番目の時間領域インターバルの終了シンボルである、
請求項４３乃至５２のうちいずれか一項に記載の方法。
【請求項５４】
前記第１インジケータ値は、予め定義される、
請求項４４乃至５３のうちいずれか一項に記載の方法。
【請求項５５】
当該方法は、前記ネットワークデバイスによって第２指示情報を前記端末デバイスへ送信することを更に有し、
前記第２指示情報は、前記第１インジケータ値を示すために使用され、前記第２指示情報は、上位層シグナリングで運ばれる、
請求項４４乃至５３のうちいずれか一項に記載の方法。
【請求項５６】
当該方法は、前記ネットワークデバイスによって第１ダウンリンク制御情報を前記端末デバイスへ送信することを更に有し、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングで示される、
請求項４４乃至５３のうちいずれか一項に記載の方法。
【請求項５７】
情報を伝送する通信デバイスであって、
ｉ番目の時間領域インターバルに対応するハイブリッド自動再送要求−確認応答ＨＡＲＱ−ＡＣＫコードブックを生成するよう構成される処理ユニットであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、前記処理ユニットは、前記ＨＡＲＱ−ＡＣＫコードブックに対応する物理アップリンク制御チャネルＰＵＣＣＨリソースを決定するよう更に構成される、前記処理ユニットと、
前記ＰＵＣＣＨリソースで前記ＨＡＲＱ−ＡＣＫコードブックを送信するよう構成されるトランシーバユニットと
を有する通信デバイス。
【請求項５８】
前記トランシーバユニットは、第１ダウンリンク情報を受信するよう更に構成され、
前記トランシーバユニットが前記第１ダウンリンク情報を受信する場合に、前記処理ユニットは、前記第１ダウンリンク情報が位置する時間ユニットと第１インジケータ値とに基づいて、前記第１ダウンリンク情報に対応するフィードバック情報が位置する第１時間ユニットを決定するよう更に構成され、前記第１インジケータ値は、前記第１ダウンリンク情報が位置する前記時間ユニットと前記第１時間ユニットとの間の時間ユニットの数を示し、
前記第１時間ユニットが前記ｉ番目の時間領域インターバルに属する場合に、前記ｉ番目の時間領域インターバルに対応する前記生成されたＨＡＲＱ−ＡＣＫコードブックは、前記第１時間ユニットに対応する前記フィードバック情報を有する、
請求項５７に記載の通信デバイス。
【請求項５９】
前記第１ダウンリンク情報が位置する前記時間ユニットは、前記第１ダウンリンク情報によって占有される時間領域位置での最後のシンボルが位置する時間ユニットである、
請求項５８に記載の通信デバイス。
【請求項６０】
前記トランシーバユニットは、第２ダウンリンク情報を受信するよう更に構成され、
前記トランシーバユニットが前記第２ダウンリンク情報を受信する場合に、前記処理ユニットは、前記第２ダウンリンク情報が位置する時間ユニットとＰＵＣＣＨリソースインジケータ値とに基づいて、ＰＵＣＣＨの時間領域位置を決定するよう更に構成され、前記ＰＵＣＣＨリソースインジケータ値は、前記ＰＵＣＣＨの開始シンボル及び長さ情報を示すために使用され、
前記ＰＵＣＣＨの前記時間領域位置が前記ｉ番目の時間領域インターバルに属する場合に、前記ｉ番目の時間領域インターバルに対応する前記生成されたＨＡＲＱ−ＡＣＫコードブックは、前記ＰＵＣＣＨの前記時間領域位置に対応する前記ダウンリンク情報のフィードバック情報を有する、
請求項５７に記載の通信デバイス。
【請求項６１】
前記時間ユニットの長さは、Ｍ個のシンボル、１／２スロット、１／４スロット、１／７スロット、及び１／８スロットのうちのいずれか１つであり、Ｍは、１４より小さい正の整数である、
請求項５８又は５９に記載の通信デバイス。
【請求項６２】
第１フィードバックモードは、前記処理ユニットが前記ｉ番目の時間領域インターバルに対応する前記ハイブリッド自動再送要求−確認応答ＨＡＲＱ−ＡＣＫコードブックを生成することであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
前記処理ユニットは、前記第１フィードバックモード及び／又は第２フィードバックモードを決定するよう更に構成され、
前記第２フィードバックモードは、前記処理ユニットが１つのスロットに対応するハイブリッド自動再送要求−確認応答ＨＡＲＱ−ＡＣＫコードブックを生成することである、
請求項５７乃至６１のうちいずれか一項に記載の通信デバイス。
【請求項６３】
前記処理ユニットは、第１情報に基づいて第１フィードバックモード及び／又は第２フィードバックモードを決定するよう特に構成され、
前記第１情報は、コンフィグレーション情報、サービスタイプ、ダウンリンク情報をスケジューリングする制御情報のフォーマット、前記ダウンリンク情報をスケジューリングする前記制御情報のスクランブリング識別子情報、前記ダウンリンク情報をスケジューリングする前記制御情報が位置する探索空間のタイプ又は識別子、前記ダウンリンク情報をスケジューリングする前記制御情報のアグリゲーションレベル、前記ダウンリンク情報のマッピングタイプ、及び前記ダウンリンク情報の時間領域長さのうちの少なくとも１つを有する、
請求項６１に記載の通信デバイス。
【請求項６４】
前記ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である、
請求項５７乃至６３のうちいずれか一項に記載の通信デバイス。
【請求項６５】
前記ｉ番目の時間領域インターバルの前記時間領域長さは、予め定義される、
請求項５７乃至６４のうちいずれか一項に記載の通信デバイス。
【請求項６６】
前記トランシーバユニットは、ネットワークデバイスによって送信された第１指示情報を受信するよう更に構成され、
前記第１指示情報は、前記ｉ番目の時間領域インターバルの前記時間領域長さを示すために使用され、前記第１指示情報は、上位層シグナリングで運ばれる、
請求項５７乃至６４のうちいずれか一項に記載の通信デバイス。
【請求項６７】
前記ＰＵＣＣＨの前記開始シンボルの参照シンボルは、前記ｉ番目の時間領域インターバルの開始シンボル又は（ｉ−１）番目の時間領域インターバルの終了シンボルである、
請求項５７乃至６６のうちいずれか一項に記載の通信デバイス。
【請求項６８】
前記第１インジケータ値は、予め定義される、
請求項５８乃至６７のうちいずれか一項に記載の通信デバイス。
【請求項６９】
前記トランシーバユニットは、前記ネットワークデバイスによって送信された第２指示情報を受信するよう更に構成され、
前記第２指示情報は、前記第１インジケータ値を示すために使用され、前記第２指示情報は、上位層シグナリングで運ばれる、
請求項５８乃至６７のうちいずれか一項に記載の通信デバイス。
【請求項７０】
前記トランシーバユニットは、前記ネットワークデバイスによって送信された第１ダウンリンク制御情報を受信するよう更に構成され、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングによって示される、
請求項５８乃至６７のうちいずれか一項に記載の通信デバイス。
【請求項７１】
情報を伝送する通信デバイスであって、
１つのスロットに対応するＰ個のハイブリッド自動再送要求−確認応答ＨＡＲＱ−ＡＣＫコードブックを生成するよう構成される処理ユニットであり、前記スロットは、Ｐ個の重なり合わない時間領域インターバルを有し、該Ｐ個の重なり合わない時間領域インターバルの中のｉ番目の時間領域インターバルは、前記Ｐ個のＨＡＲＱ−ＡＣＫコードブックの中のｉ番目のＨＡＲＱ−ＡＣＫコードブックと一対一で対応し、Ｐは１よりも大きい正の整数であり、ｉは正の整数であり、前記処理ユニットは、前記Ｐ個のＨＡＲＱ−ＡＣＫコードブックの中の前記ｉ番目のコードブックに対応する物理アップリンク制御チャネルＰＵＣＣＨリソースを決定するよう更に構成される、前記処理ユニットと、
前記ＰＵＣＣＨリソースで前記ｉ番目のＨＡＲＱ−ＡＣＫコードブックを送信するよう構成されるトランシーバユニットと
を有する通信デバイス。
【請求項７２】
当前記トランシーバユニットは、第１ダウンリンク情報を受信するよう更に構成され、
前記トランシーバユニットが前記第１ダウンリンク情報を受信する場合に、前記処理ユニットは、前記第１ダウンリンク情報が位置する時間ユニットと第１インジケータ値とに基づいて、前記第１ダウンリンク情報に対応するフィードバック情報が位置する第１時間ユニットを決定するよう更に構成され、前記第１インジケータ値は、前記第１ダウンリンク情報が位置する前記時間ユニットと前記第１時間ユニットとの間の時間ユニットの数を示し、
前記第１時間ユニットが前記ｉ番目の時間領域インターバルに属する場合に、前記ｉ番目の時間領域インターバルに対応する前記生成されたＨＡＲＱ−ＡＣＫコードブックは、前記第１時間ユニットに対応する前記フィードバック情報を有する、
請求項７１に記載の通信デバイス。
【請求項７３】
前記第１ダウンリンク情報が位置する前記時間ユニットは、前記第１ダウンリンク情報によって占有される時間領域位置での最後のシンボルが位置する時間ユニットである、
請求項７２に記載の通信デバイス。
【請求項７４】
前記トランシーバユニットは、第２ダウンリンク情報を受信するよう更に構成され、
前記トランシーバユニットが前記第２ダウンリンク情報を受信する場合に、前記処理ユニットは、前記第２ダウンリンク情報が位置する時間ユニットとＰＵＣＣＨリソースインジケータ値とに基づいて、ＰＵＣＣＨの時間領域位置を決定するよう更に構成され、前記ＰＵＣＣＨリソースインジケータ値は、前記ＰＵＣＣＨの開始シンボル及び長さ情報を示すために使用され、
前記ＰＵＣＣＨの前記時間領域位置が前記ｉ番目の時間領域インターバルに属する場合に、前記ｉ番目の時間領域インターバルに対応する前記生成されたＨＡＲＱ−ＡＣＫコードブックは、前記ＰＵＣＣＨの前記時間領域位置に対応する前記ダウンリンク情報のフィードバック情報を有する、
請求項７１に記載の通信デバイス。
【請求項７５】
前記時間ユニットの長さは、Ｍ個のシンボル、１／２スロット、１／４スロット、１／７スロット、及び１／８スロットのうちのいずれか１つであり、Ｍは、１４より小さい正の整数である、
請求項７２又は７３に記載の通信デバイス。
【請求項７６】
第１フィードバックモードは、前記処理ユニットが前記ｉ番目の時間領域インターバルに対応する前記ハイブリッド自動再送要求−確認応答ＨＡＲＱ−ＡＣＫコードブックを生成することであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
前記処理ユニットは、前記第１フィードバックモード及び／又は第２フィードバックモードを決定するよう更に構成され、
前記第２フィードバックモードは、前記処理ユニットが、１つのスロットに対応するハイブリッド自動再送要求−確認応答ＨＡＲＱ−ＡＣＫコードブックを生成することである、
請求項７１乃至７５のうちいずれか一項に記載の通信デバイス。
【請求項７７】
前記処理ユニットは、第１情報に基づいて前記第１フィードバックモード及び／又は前記第２フィードバックモードを決定するよう特に構成され、
前記第１情報は、コンフィグレーション情報、サービスタイプ、ダウンリンク情報をスケジューリングする制御情報のフォーマット、前記ダウンリンク情報をスケジューリングする前記制御情報のスクランブリング識別子情報、前記ダウンリンク情報をスケジューリングする前記制御情報が位置する探索空間のタイプ又は識別子、前記ダウンリンク情報をスケジューリングする前記制御情報のアグリゲーションレベル、前記ダウンリンク情報のマッピングタイプ、及び前記ダウンリンク情報の時間領域長さのうちの少なくとも１つを有する、
請求項７６に記載の通信デバイス。
【請求項７８】
前記ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である、
請求項７１乃至７７のうちいずれか一項に記載の通信デバイス。
【請求項７９】
前記ｉ番目の時間領域インターバルの前記時間領域長さは、予め定義される、
請求項７１乃至７８のうちいずれか一項に記載の通信デバイス。
【請求項８０】
前記トランシーバユニットは、ネットワークデバイスによって送信された第１指示情報を受信するよう更に構成され、
前記第１指示情報は、前記ｉ番目の時間領域インターバルの前記時間領域長さを示すために使用され、前記第１指示情報は、上位層シグナリングで運ばれる、
請求項７１乃至７８のうちいずれか一項に記載の通信デバイス。
【請求項８１】
前記ＰＵＣＣＨの前記開始シンボルの参照シンボルは、前記ｉ番目の時間領域インターバルの開始シンボル又は（ｉ−１）番目の時間領域インターバルの終了シンボルである、
請求項７１乃至８０のうちいずれか一項に記載の通信デバイス。
【請求項８２】
前記第１インジケータ値は、予め定義される、
請求項７２乃至８１のうちいずれか一項に記載の通信デバイス。
【請求項８３】
前記トランシーバユニットは、前記ネットワークデバイスによって送信された第２指示情報を受信するよう更に構成され、
前記第２指示情報は、前記第１インジケータ値を示すために使用され、前記第２指示情報は、上位層シグナリングで運ばれる、
請求項７２乃至８１のうちいずれか一項に記載の通信デバイス。
【請求項８４】
前記トランシーバユニットは、前記ネットワークデバイスによって送信された第１ダウンリンク制御情報を受信するよう更に構成され、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングによって示される、
請求項７２乃至８１のうちいずれか一項に記載の通信デバイス。
【請求項８５】
情報を伝送する通信デバイスであって、
物理アップリンク制御チャネルＰＵＣＣＨリソースを決定するよう構成される処理ユニットと、
前記ＰＵＣＣＨリソースで、端末デバイスによって送信されたハイブリッド自動再送要求−確認応答ＨＡＲＱ−ＡＣＫコードブックを受信するよう構成されるトランシーバユニットであり、該ＨＡＲＱ−ＡＣＫコードブックは、ｉ番目の時間領域インターバルに対応するＨＡＲＱ−ＡＣＫコードブックであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である、前記トランシーバユニットと
を有する通信デバイス。
【請求項８６】
前記トランシーバユニットは、第１ダウンリンク情報を送信するよう更に構成され、
前記トランシーバユニットが前記ダウンリンク情報を送信する場合に、前記処理ユニットは、
第１インジケータ値を決定し、
前記第１ダウンリンク情報に対応するフィードバック情報が位置する第１時間ユニットを決定する
よう更に構成され、
前記第１インジケータ値は、前記第１ダウンリンク情報が位置する時間ユニットと前記第１時間ユニットとの間の時間ユニットの数を示し、
前記第１時間ユニットは、前記ｉ番目の時間領域インターバルに属し、該ｉ番目の時間領域インターバルに対応する前記ＨＡＲＱ−ＡＣＫコードブックは、前記第１時間ユニットに対応する前記フィードバック情報を有する、
請求項８５に記載の通信デバイス。
【請求項８７】
前記第１ダウンリンク情報が位置する前記時間ユニットは、前記第１ダウンリンク情報によって占有される時間領域位置での最後のシンボルが位置する時間ユニットである、
請求項８６に記載の通信デバイス。
【請求項８８】
前記トランシーバユニットは、
第２ダウンリンク情報を送信し、
ＰＵＣＣＨリソースインジケータ値を送信する
よう更に構成され、
前記トランシーバユニットが前記第２ダウンリンク情報及び前記ＰＵＣＣＨリソースインジケータ値を送信する場合に、前記処理ユニットは、ＰＵＣＣＨの時間領域位置を決定するよう更に構成され、
前記ＰＵＣＣＨリソースインジケータ値は、前記ＰＵＣＣＨの前記時間領域位置を示すために使用され、
前記ＰＵＣＣＨの前記時間領域位置は、前記ｉ番目の時間領域インターバルに属し、該ｉ番目の時間領域インターバルに対応する前記ＨＡＲＱ−ＡＣＫコードブックは、前記ＰＵＣＣＨの前記時間領域位置に対応する前記ダウンリンク情報のフィードバック情報を有する、
請求項８５に記載の通信デバイス。
【請求項８９】
前記時間ユニットの長さは、Ｍ個のシンボル、１／２スロット、１／４スロット、１／７スロット、及び１／８スロットのうちのいずれか１つであり、Ｍは、１４より小さい正の整数である、
請求項８６又は８７に記載の通信デバイス。
【請求項９０】
第１受信フィードバックモードは、前記トランシーバユニットが、前記端末デバイスによって送信された前記ハイブリッド自動再送要求−確認応答ＨＡＲＱ−ＡＣＫコードブックを受信することであり、前記ＨＡＲＱ−ＡＣＫコードブックは、前記ｉ番目の時間領域インターバルに対応する前記ＨＡＲＱ−ＡＣＫコードブックであり、該ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
前記処理ユニットは、前記第１受信フィードバックモード及び／又は第２受信フィードバックモードを決定するよう更に構成され、
前記第２受信フィードバックモードは、前記トランシーバユニットが、１つのスロットに対応し、前記端末デバイスによって生成されるハイブリッド自動再送要求−確認応答ＨＡＲＱ−ＡＣＫコードブックを受信することである、
請求項８５乃至８９のうちいずれか一項に記載の通信デバイス。
【請求項９１】
前記処理ユニットは、第１情報に基づいて前記第１受信フィードバックモード及び／又は前記第２受信フィードバックモードを決定するよう特に構成され、
前記第１情報は、コンフィグレーション情報、サービスタイプ、ダウンリンク情報をスケジューリングする制御情報のフォーマット、前記ダウンリンク情報をスケジューリングする前記制御情報のスクランブリング識別子情報、前記ダウンリンク情報をスケジューリングする前記制御情報が位置する探索空間のタイプ又は識別子、前記ダウンリンク情報をスケジューリングする前記制御情報のアグリゲーションレベル、前記ダウンリンク情報のマッピングタイプ、及び前記ダウンリンク情報の時間領域長さのうちの少なくとも１つを有する、
請求項９０に記載の通信デバイス。
【請求項９２】
前記ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である、
請求項８５乃至９１のうちいずれか一項に記載の通信デバイス。
【請求項９３】
前記ｉ番目の時間領域インターバルの前記時間領域長さは、予め定義される、
請求項８５乃至９２のうちいずれか一項に記載の通信デバイス。
【請求項９４】
前記トランシーバユニットは、上位層シグナリングを前記端末デバイスへ送信するよう更に構成され、
前記上位層シグナリングは、前記ｉ番目の時間領域インターバルの前記時間領域長さを示す情報を有する、
請求項８５乃至９２のうちいずれか一項に記載の通信デバイス。
【請求項９５】
前記ＰＵＣＣＨの開始シンボルの参照シンボルは、前記ｉ番目の時間領域インターバルの開始シンボル又は（ｉ−１）番目の時間領域インターバルの終了シンボルである、
請求項８５乃至９４のうちいずれか一項に記載の通信デバイス。
【請求項９６】
前記第１インジケータ値は、予め定義される、
請求項８６乃至９５のうちいずれか一項に記載の通信デバイス。
【請求項９７】
前記トランシーバユニットは、第２指示情報を前記端末デバイスへ送信するよう更に構成され、
前記第２指示情報は、前記第１インジケータ値を示すために使用され、前記第２指示情報は、上位層シグナリングで運ばれる、
請求項８６乃至９５のうちいずれか一項に記載の通信デバイス。
【請求項９８】
前記トランシーバユニットは、第１ダウンリンク制御情報を前記端末デバイスへ送信するよう更に構成され、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングで示される、
請求項８６乃至９５のうちいずれか一項に記載の通信デバイス。
【請求項９９】
１つのスロットに対応するＰ個のハイブリッド自動再送要求−確認応答ＨＡＲＱ−ＡＣＫコードブックの中のｉ番目のコードブックに対応する物理アップリンク制御チャネルＰＵＣＣＨリソースを決定するよう構成される処理ユニットであり、前記スロットは、Ｐ個の重なり合わない時間領域インターバルを有し、該Ｐ個の重なり合わない時間領域インターバルの中のｉ番目の時間領域インターバルは、前記Ｐ個のＨＡＲＱ−ＡＣＫコードブックの中の前記ｉ番目のＨＡＲＱ−ＡＣＫコードブックと一対一で対応し、Ｐは１よりも大きい正の整数であり、ｉは正の整数である、前記処理ユニットと、
前記ＰＵＣＣＨリソースで、端末デバイスによって送信された前記ｉ番目のコードブックを受信するよう構成されるトランシーバユニットであり、該ｉ番目のコードブックは、前記スロットに対応する前記Ｐ個のＨＡＲＱ−ＡＣＫコードブックのうちのいずれか１つである、前記トランシーバユニットと
を有する通信デバイス。
【請求項１００】
前記トランシーバユニットは、第１ダウンリンク情報を送信するよう更に構成され、
前記トランシーバユニットが前記第１ダウンリンク情報を送信する場合に、前記処理ユニットは、
第１インジケータ値を決定し、
前記第１ダウンリンク情報に対応するフィードバック情報が位置する第１時間ユニットを決定する
よう更に構成され、
前記第１インジケータ値は、前記第１ダウンリンク情報が位置する時間ユニットと前記第１時間ユニットとの間の時間ユニットの数を示し、
前記第１時間ユニットは、前記ｉ番目の時間領域インターバルに属し、該ｉ番目の時間領域インターバルに対応する前記ＨＡＲＱ−ＡＣＫコードブックは、前記第１時間ユニットに対応する前記フィードバック情報を有する、
請求項９９に記載の通信デバイス。
【請求項１０１】
前記第１ダウンリンク情報が位置する前記時間ユニットは、前記第１ダウンリンク情報によって占有される時間領域位置での最後のシンボルが位置する時間ユニットである、
請求項１００に記載の通信デバイス。
【請求項１０２】
前記トランシーバユニットは、
第２ダウンリンク情報を送信し、
ＰＵＣＣＨリソースインジケータ値を送信する
よう更に構成され、
前記トランシーバユニットが前記第２ダウンリンク情報及び前記ＰＵＣＣＨリソースインジケータ値を送信する場合に、前記処理ユニットは、ＰＵＣＣＨの時間領域位置を決定するよう更に構成され、
前記ＰＵＣＣＨリソースインジケータ値は、前記ＰＵＣＣＨの前記時間領域位置を示すために使用され、
前記ＰＵＣＣＨの前記時間領域位置は、前記ｉ番目の時間領域インターバルに属し、該ｉ番目の時間領域インターバルに対応する前記ＨＡＲＱ−ＡＣＫコードブックは、前記ＰＵＣＣＨの前記時間領域位置に対応する前記ダウンリンク情報のフィードバック情報を有する、
請求項９９に記載の通信デバイス。
【請求項１０３】
前記時間ユニットの長さは、Ｍ個のシンボル、１／２スロット、１／４スロット、１／７スロット、及び１／８スロットのうちのいずれか１つであり、Ｍは、１４より小さい正の整数である、
請求項１００又は１０１に記載の通信デバイス。
【請求項１０４】
第１受信フィードバックモードは、前記トランシーバユニットが、前記端末デバイスによって送信された前記ハイブリッド自動再送要求−確認応答ＨＡＲＱ−ＡＣＫコードブックを受信することであり、該ＨＡＲＱ−ＡＣＫコードブックは、前記ｉ番目の時間領域インターバルに対応する前記ＨＡＲＱ−ＡＣＫコードブックであり、該ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
前記処理ユニットは、前記第１受信フィードバックモード及び／又は第２受信フィードバックモードを決定するよう更に構成され、
前記第２受信フィードバックモードは、前記トランシーバユニットが、１つのスロットに対応し、前記端末デバイスによって生成されるハイブリッド自動再送要求−確認応答ＨＡＲＱ−ＡＣＫコードブックを受信することである、
請求項９９乃至１０３のうちいずれか一項に記載の通信デバイス。
【請求項１０５】
前記処理ユニットは、第１情報に基づいて前記第１受信フィードバックモード及び／又は前記第２受信フィードバックモードを決定するよう特に構成され、
前記第１情報は、コンフィグレーション情報、サービスタイプ、ダウンリンク情報をスケジューリングする制御情報のフォーマット、前記ダウンリンク情報をスケジューリングする前記制御情報のスクランブリング識別子情報、前記ダウンリンク情報をスケジューリングする前記制御情報が位置する探索空間のタイプ又は識別子、前記ダウンリンク情報をスケジューリングする前記制御情報のアグリゲーションレベル、前記ダウンリンク情報のマッピングタイプ、及び前記ダウンリンク情報の時間領域長さのうちの少なくとも１つを有する、
請求項１０４に記載の通信デバイス。
【請求項１０６】
前記ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である、
請求項９９乃至１０５のうちいずれか一項に記載の通信デバイス。
【請求項１０７】
前記ｉ番目の時間領域インターバルの前記時間領域長さは、予め定義される、
請求項９９乃至１０６のうちいずれか一項に記載の通信デバイス。
【請求項１０８】
前記トランシーバユニットは、上位層シグナリングを前記端末デバイスへ送信するよう更に構成され、
前記上位層シグナリングは、前記ｉ番目の時間領域インターバルの前記時間領域長さを示す情報を有する、
請求項９９乃至１０６のうちいずれか一項に記載の通信デバイス。
【請求項１０９】
前記ＰＵＣＣＨの開始シンボルの参照シンボルは、前記ｉ番目の時間領域インターバルの開始シンボル又は（ｉ−１）番目の時間領域インターバルの終了シンボルである、
請求項９９乃至１０８のうちいずれか一項に記載の通信デバイス。
【請求項１１０】
前記第１インジケータ値は、予め定義される、
請求項１００乃至１０９のうちいずれか一項に記載の通信デバイス。
【請求項１１１】
前記トランシーバユニットは、第２指示情報を前記端末デバイスへ送信するよう更に構成され、
前記第２指示情報は、前記第１インジケータ値を示すために使用され、前記第２指示情報は、上位層シグナリングで運ばれる、
請求項１００乃至１０９のうちいずれか一項に記載の通信デバイス。
【請求項１１２】
前記トランシーバユニットは、第１ダウンリンク制御情報を前記端末デバイスへ送信するよう更に構成され、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングで示される、
請求項１００乃至１０９のうちいずれか一項に記載の通信デバイス。
【請求項１１３】
通信デバイスであって、
コンピュータプログラムを記憶するよう構成されるメモリと、
当該通信デバイスが、請求項１乃至１４、請求項１５乃至２８、請求項２９乃至４２、又は請求項４３乃至５６のうちいずれか一項に記載の方法を実行するように、前記メモリに記憶されている前記コンピュータプログラムを実行するよう構成されるプロセッサと
を有する通信デバイス。
【請求項１１４】
コンピュータプログラムを有し、該コンピュータプログラムがコンピュータで実行される場合に、該コンピュータは、請求項１乃至１４、請求項１５乃至２８、請求項２９乃至４２、又は請求項４３乃至５６のうちいずれか一項に記載の方法を実行することを可能にされる、
コンピュータ可読記憶媒体。
【請求項１１５】
コンピュータプログラム製品であって、
当該コンピュータプログラム製品がコンピュータで実行される場合に、該コンピュータは、請求項１乃至１４、請求項１５乃至２８、請求項２９乃至４２、又は請求項４３乃至５６のうちいずれか一項に記載の方法を実行することを可能にされる、
コンピュータプログラム製品。
【請求項１１６】
該コンピュータは、請求項１乃至１４、請求項１５乃至２８、請求項２９乃至４２、又は請求項４３乃至５６のうちいずれか一項に記載の方法を実行するよう構成される通信デバイス。
【発明の詳細な説明】
【技術分野】
【０００１】
本願は、通信分野に、特に、情報伝送方法及び通信デバイスに関係がある。
【背景技術】
【０００２】
現在、移動体通信システムの前の世代と比較して、第５世代（5th  generation，５Ｇ）移動体通信技術は、伝送レート、レイテンシ、電力消費、などに対して、より高い要件を課す。エンハンスド・モバイル・ブロードバンド（enhanced  Mobile  Broadband，ｅＭＢＢ）サービス、大規模マシンタイプ通信（massive  machine-type  communications，ｍＭＴＣ）サービス、並びに超高信頼及び低レイテンシ通信（ultra-reliable  and  low-latency  communication，ＵＲＬＬＣ）サービスが、５Ｇの３つの典型的なサービスとして定義されている。これは、５Ｇ標準規格の制定のための方向を指し示す。
【０００３】
３つの典型的な５Ｇサービスの１つとして、ＵＲＬＬＣサービスは、無人運転及び遠隔医療のようなシナリオに主に適用される。これらの適用シナリオは、信頼性及びレイテンシに対してより厳しい要件を課す。ＵＲＬＬＣサービスの具体的な要件は、次の通りである：データ伝送信頼性は９９．９９９％に達し、伝送レイテンシは１ｍｓ未満であり、命令オーバーヘッドは、高い信頼性及び低いレイテンシの要件が満足される場合に可能な限り低減される。現在、異なるサービスごとに生成されたハイブリッド自動再送要求−確認応答（hybrid  automatic  repeat  request-acknowledgement，ＨＡＲＱ−ＡＣＫ）コードブックが単位スロット（slot）内にあり、ＨＡＲＱ−ＡＣＫコードブックは、同じスロットでフィードバックされるべきである確認応答（acknowledgement，ＡＣＫ）／否定応答（negative-acknowledgement，ＮＡＣＫ）情報を一緒に符号化することによって生成される。このようにして、ただ１つのＨＡＲＱ−ＡＣＫコードブックのみが、１つのスロットにおいて１つの物理アップリンク制御チャネル（physical  uplink  control  channel，ＰＵＣＣＨ）でフィードバックされ得る。結果として、１つのスロットの最初の半分でフィードバックされ得たＡＣＫ／ＮＡＣＫは、フィードバックされるべき最後のＡＣＫ／ＮＡＣＫとともにスロットの第２の半分でフィードバックされるのを待つ必要がある。結果として、ＵＲＬＬＣサービスのレイテンシは増大する。その上、異なるサービスのＰＵＣＣＨがフィードバックされるよう意図される場合に、高信頼性サービスのフィードバック情報の信頼性を確保するために、過剰なリソースが割り当てられ、その結果、リソースの無駄が生じる。
【０００４】
従って、ＵＲＬＬＣの信頼性及びレイテンシをいかにして確保するかが、解決されるべき差し迫った課題になる。
【発明の概要】
【０００５】
本願は、異なるサービスについて低いレイテンシを確かにし、かつ、ＰＵＣＣＨの信頼性を確保しながら可能な限り多くリソースの無駄を減らすよう、情報伝送方法及び通信デバイスを提供する。
【０００６】
第１の態様に従って、情報伝送方法が提供される。方法は、
Ｎが１よりも大きい正の整数であり、ｉがＮ以下の正の整数であるとして、端末デバイスによって、１つのスロットのＮ個の時間領域インターバルのうちのいずれか１つであるｉ番目の時間領域インターバルに対応するハイブリッド自動再送要求−確認応答ＨＡＲＱ−ＡＣＫコードブックを生成することと、
端末デバイスによって、ＨＡＲＱ−ＡＣＫコードブックに対応する物理アップリンク制御チャネルＰＵＣＣＨリソースを決定することと、
端末デバイスによって、ＰＵＣＣＨリソースでＨＡＲＱ−ＡＣＫコードブックを送信することと
を含む。
【０００７】
本願のこの実施形態における技術的解決法では、端末デバイスは、１つのスロットよりも小さい時間領域インターバルごとに１つの対応するＨＡＲＱ−ＡＣＫコードブックを生成してよい。すなわち、端末デバイスは、異なるサービスの異なるレイテンシ要件を満足することを確かにするために、１つのスロットで複数のＨＡＲＱ−ＡＣＫコードブックを生成してよい。その上、異なるサービスのＰＵＣＣＨがフィードバックされるよう意図される場合に、ＰＵＣＣＨは、共同のフィードバックによらずに別々にフィードバックされ得るので、いくつかのＰＵＣＣＨの信頼性を確かにすることによって引き起こされるリソースの無駄を回避する。
【０００８】
第１の態様を参照して、第１の態様のいくつかの実施で、方法は、
端末デバイスによって第１ダウンリンク情報を受信することと、
端末デバイスによって、第１ダウンリンク情報が位置する時間ユニットと第１インジケータ値とに基づいて、第１ダウンリンク情報に対応するフィードバック情報が位置する第１時間ユニットを決定することと
を更に含み、
第１インジケータ値は、第１ダウンリンク情報が位置する時間ユニットと第１時間ユニットとの間の時間ユニットの数を示し、
第１時間ユニットがｉ番目の時間領域インターバルに属する場合に、ｉ番目の時間領域インターバルに対応し、端末デバイスによって生成されるＨＡＲＱ−ＡＣＫコードブックは、第１時間ユニットに対応するフィードバック情報を含む。
【０００９】
本願のこの実施形態における技術的解決法では、端末デバイスは、第１インジケータ値及びダウンリンク情報の時間領域位置情報に基づいて、１つのスロットよりも小さいｉ番目の時間領域インターバルに対応するＨＡＲＱ−ＡＣＫコードブックを決定し、それにより、低レイテンシサービスのＰＵＣＣＨは、瞬時にフィードバックされることを確かにされ得、レイテンシは確保される。その上、異なるサービスのＰＵＣＣＨがフィードバックされるよう意図される場合に、ＰＵＣＣＨは、共同のフィードバックによらずに別々にフィードバックされ得るので、いくつかのサービスのＰＵＣＣＨの信頼性を確かにすることによって引き起こされるリソースの無駄を回避する。
【００１０】
任意に、第１の態様のいくつかの実施で、第１インジケータ値は、プロトコル標準に従って予め定義された値である。
【００１１】
任意に、第１の態様のいくつかの実施で、第１インジケータ値は、上位層シグナリングに基づいて設定された値である。
【００１２】
任意に、第１の態様のいくつかの実施で、第１インジケータ値は、ネットワークデバイスによって送信された第１ダウンリンク制御情報によって示され、第１ダウンリンク制御情報は、第１インジケータ値を直接示してよく、あるいは、第１ダウンリンク制御情報は、第１インジケータ値の組内の値を示すことによって第１インジケータ値を示してもよく、第１インジケータ値の組は、プロトコルにおいて予め定義されても、又は上位層シグナリングによって示されてもよい。
【００１３】
第１の態様を参照して、第１の態様のいくつかの実施で、方法は、
端末デバイスによって第２ダウンリンク情報を受信することと、
端末デバイスによって、第２ダウンリンク情報が位置する時間ユニットとＰＵＣＣＨリソースインジケータ値とに基づいて、ＰＵＣＣＨの時間領域位置を決定することと
を更に含み、
ＰＵＣＣＨリソースインジケータ値は、ＰＵＣＣＨの開始シンボル及び長さ情報を示すために使用され、
ＰＵＣＣＨの時間領域位置がｉ番目の時間領域インターバルに属する場合に、ｉ番目の時間領域インターバルに対応し、端末デバイスによって生成されるＨＡＲＱ−ＡＣＫコードブックは、ＰＵＣＣＨの時間領域位置に対応するダウンリンク情報のフィードバック情報を含む。
【００１４】
本願のこの実施形態における技術的解決法では、端末デバイスは、第２ダウンリンク情報の時間領域位置情報及びＰＵＣＣＨリソースインジケータ値に基づいて、１つのスロットよりも小さいｉ番目の時間領域インターバルに対応するＨＡＲＱ−ＡＣＫコードブックを決定し、それにより、低レイテンシサービスのＰＵＣＣＨは、瞬時にフィードバックされることを確かにされ得、レイテンシは確保される。その上、異なるサービスのＰＵＣＣＨがフィードバックされるよう意図される場合に、ＰＵＣＣＨは、共同のフィードバックによらずに別々にフィードバックされ得るので、いくつかのサービスのＰＵＣＣＨの信頼性を確かにすることによって引き起こされるリソースの無駄を回避する。
【００１５】
第１の態様を参照して、第１の態様のいくつかの実施で、時間ユニットの長さは、Ｍ個のシンボル、１／２スロット、１／４スロット、１／７スロット、及び１／８スロットのうちのいずれか１つであり、Ｍは、１４より小さい正の整数である。
【００１６】
本願のこの実施形態における技術的解決法では、時間ユニットの長さは、１／２スロット、１／４スロット、１／７スロット、１／８スロット、又は１つ以上のシンボルに変更され、それにより、ユーザは、ＰＤＳＣＨに対応するＡＣＫ／ＮＡＣＫを速やかにフィードバックすることができるので、即時のフィードバックを実施しかつフィードバックレイテンシを低減する。
【００１７】
第１の態様を参照して、第１の態様のいくつかの実施で、第１フィードバックモードは、Ｎが１よりも大きい正の整数であり、ｉがＮ以下の正の整数であるとして、端末デバイスが、１つのスロットのＮ個の時間領域インターバルのうちのいずれか１つであるｉ番目の時間領域インターバルに対応するハイブリッド自動再送要求−確認応答ＨＡＲＱ−ＡＣＫコードブックを生成することであり、
第２フィードバックモードは、端末デバイスが、１つのスロットに対応するハイブリッド自動再送要求−確認応答ＨＡＲＱ−ＡＣＫコードブックを生成することであり、
方法は、端末デバイスによって第１フィードバックモード及び／又は第２フィードバックモードを決定することを更に含む。
【００１８】
第１の態様を参照して、第１の態様のいくつかの実施で、端末デバイスによって第１フィードバックモード及び／又は第２フィードバックモードを決定することは、端末デバイスによって、第１情報に基づいて、第１フィードバックモード及び／又は第２フィードバックモードを決定することを含み、
第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【００１９】
第１の態様を参照して、第１の態様のいくつかの実施で、ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である。
【００２０】
本願のこの実施形態における技術的解決法では、時間領域インターバルごとに１つのＨＡＲＱ−ＡＣＫコードブックが生成される。時間領域インターバルの長さは１つのスロットのそれよりも短いので、少なくとも２つのＨＡＲＱ−ＡＣＫコードブックが１つのスロットにおいて生成されてよく、それにより、少なくとも２つのＰＵＣＣＨがフィードバックされ、低レイテンシサービスのＰＵＣＣＨは、瞬時にフィードバックされることを確かにされ得、低いレイテンシが確保され得る。その上、異なるサービスのＰＵＣＣＨがフィードバックされるよう意図される場合に、ＰＵＣＣＨは一緒にフィードバックされるので、いくつかのサービスのＰＵＣＣＨの信頼性を確かにすることによって引き起こされるリソースの無駄を回避する。
【００２１】
第１の態様を参照して、第１の態様のいくつかの実施で、ｉ番目の時間領域インターバルの時間領域長さは、標準規格に従って予め定義されるか、あるいは、上位層シグナリングを使用することによって事前設定される。
【００２２】
第２の態様に従って、信号伝送方法が提供される。方法は、
Ｐが１よりも大きい正の整数であり、ｉが正の整数であるとして、端末デバイスによって、１つのスロットに対応するＰ個のハイブリッド自動再送要求−確認応答ＨＡＲＱ−ＡＣＫコードブックを生成することであり、スロットはＰ個の重なり合わない時間領域インターバルを含み、Ｐ個の重なり合わない時間領域インターバルの中のｉ番目の時間領域インターバルは、Ｐ個のＨＡＲＱ−ＡＣＫコードブックの中のｉ番目のＨＡＲＱ−ＡＣＫコードブックと一対一で対応する、ことと、
端末デバイスによって、Ｐ個のＨＡＲＱ−ＡＣＫコードブックの中のｉ番目のコードブックに対応する物理アップリンク制御チャネルＰＵＣＣＨリソースを決定することと、
端末デバイスによってＰＵＣＣＨリソースでｉ番目のＨＡＲＱ−ＡＣＫコードブックを送信することと
を含む。
【００２３】
本願のこの実施形態における技術的解決法では、２つのＨＡＲＱ−ＡＣＫが１つのスロットで生成され得、それにより、少なくとも２つのＰＵＣＣＨがフィードバックされ得、低レイテンシサービスのＰＵＣＣＨは、瞬時にフィードバックされることを確かにされ得、低いレイテンシが確保され得る。その上、異なるサービスのＰＵＣＣＨが１つのスロットでフィードバックされるよう意図される場合に、ＰＵＣＣＨは一緒にフィードバックされないので、いくつかのサービスのＰＵＣＣＨの信頼性を確かにすることによって引き起こされるリソースの無駄を回避する。
【００２４】
第２の態様を参照して、第２の態様のいくつかの実施で、方法は、
端末デバイスによって第１ダウンリンク情報を受信することと、
端末デバイスによって、第１ダウンリンク情報が位置する時間ユニットと第１インジケータ値とに基づいて、第１ダウンリンク情報に対応するフィードバック情報が位置する第１時間ユニットを決定することと
を更に含み、
第１インジケータ値は、第１ダウンリンク情報が位置する時間ユニットと第１時間ユニットとの間の時間ユニットの数を示し、
第１時間ユニットがｉ番目の時間領域インターバルに属する場合に、Ｐ個のＨＡＲＱ−ＡＣＫコードブックに含まれてｉ番目の時間領域インターバルに対応し、端末デバイスによって生成されるｉ番目のハイブリッド自動再送要求−確認応答ＨＡＲＱ−ＡＣＫコードブックは、第１時間ユニットに対応するフィードバック情報を含む。
【００２５】
本願のこの実施形態における技術的解決法では、端末デバイスは、第１インジケータ値及びダウンリンク情報の時間領域位置情報に基づいて、１つのスロットよりも小さいｉ番目の時間領域インターバルに対応するＨＡＲＱ−ＡＣＫコードブックを決定し、それにより、低レイテンシサービスのＰＵＣＣＨは、瞬時にフィードバックされることを確かにされ得、レイテンシは確保される。その上、異なるサービスのＰＵＣＣＨがフィードバックされるよう意図される場合に、ＰＵＣＣＨは、共同のフィードバックによらずに別々にフィードバックされるので、いくつかのサービスのＰＵＣＣＨの信頼性を確かにすることによって引き起こされるリソースの無駄を回避する。
【００２６】
任意に、第２の態様のいくつかの実施で、第１インジケータ値は、プロトコル標準に従って予め定義された値である。
【００２７】
任意に、第２の態様のいくつかの実施で、第１インジケータ値は、上位層シグナリングに基づいて設定された値である。
【００２８】
任意に、第２の態様のいくつかの実施で、第１インジケータ値は、ネットワークデバイスによって送信された第１ダウンリンク制御情報によって示され、第１ダウンリンク制御情報は、第１インジケータ値を直接示してよく、あるいは、第１ダウンリンク制御情報は、第１インジケータ値の組内の値を示すことによって第１インジケータ値を示してもよく、第１インジケータ値の組は、プロトコルで予め定義されても、又は上位層シグナリングによって示されてもよい。
【００２９】
第２の態様を参照して、第２の態様のいくつかの実施で、方法は、
端末デバイスによって第２ダウンリンク情報を受信することと、
端末デバイスによって、第２ダウンリンク情報が位置する時間ユニットとＰＵＣＣＨリソースインジケータ値とに基づいて、ＰＵＣＣＨの時間領域位置を決定することと
を更に含み、
ＰＵＣＣＨリソースインジケータ値は、ＰＵＣＣＨの開始シンボル及び長さ情報を示すために使用され、
ＰＵＣＣＨの時間領域位置がｉ番目の時間領域インターバルに属する場合に、Ｐ個のＨＡＲＱ−ＡＣＫコードブックに含まれてｉ番目の時間領域インターバルに対応し、端末デバイスによって生成されるｉ番目のハイブリッド自動再送要求−確認応答ＨＡＲＱ−ＡＣＫコードブックは、ＰＵＣＣＨの時間領域位置に対応するダウンリンク情報のフィードバック情報を含む。
【００３０】
本願のこの実施形態における技術的解決法では、端末デバイスは、第２ダウンリンク情報の時間領域位置情報及びＰＵＣＣＨリソースインジケータ値に基づいて、１つのスロットよりも小さいｉ番目の時間領域インターバルに対応するＨＡＲＱ−ＡＣＫコードブックを決定し、それにより、低レイテンシサービスのＰＵＣＣＨは、瞬時にフィードバックされることを確かにされ得、レイテンシは確保される。その上、異なるサービスのＰＵＣＣＨが１つのスロットでフィードバックされるよう意図される場合に、ＰＵＣＣＨは、共同のフィードバックによらずに別々にフィードバックされるので、いくつかのサービスのＰＵＣＣＨの信頼性を確かにすることによって引き起こされるリソースの無駄を回避する。
【００３１】
第２の態様を参照して、第２の態様のいくつかの実施で、時間ユニットの長さは、Ｍ個のシンボル、１／２スロット、１／４スロット、１／７スロット、及び１／８スロットのうちのいずれか１つであり、Ｍは、１４より小さい正の整数である。
【００３２】
本願のこの実施形態における技術的解決法では、時間ユニットの長さは、１／２スロット、１／４スロット、１／７スロット、１／８スロット、又は１つ以上のシンボルに変更され、それにより、ユーザは、ＰＤＳＣＨに対応するＡＣＫ／ＮＡＣＫを速やかにできるので、即時のフィードバックを実施しかつフィードバックレイテンシを低減する。
【００３３】
第２の態様を参照して、第２の態様のいくつかの実施で、第１フィードバックモードは、Ｐが１よりも大きい正の整数であり、ｉが正の整数であるとして、端末デバイスが、Ｐ個の重なり合わない時間領域インターバルを含むスロットに対応するＰ個のハイブリッド自動再送要求−確認応答ＨＡＲＱ−ＡＣＫコードブックを生成することであり、Ｐ個の重なり合わない時間領域インターバルの中のｉ番目の時間領域インターバルは、Ｐ個のＨＡＲＱ−ＡＣＫコードブックの中のｉ番目のＨＡＲＱ−ＡＣＫコードブックと一対一で対応し、
第２フィードバックモードは、端末デバイスが、１つのスロットに対応するハイブリッド自動再送要求−確認応答ＨＡＲＱ−ＡＣＫコードブックを生成することであり、
方法は、端末デバイスによって第１フィードバックモード及び／又は第２フィードバックモードを決定することを更に含む。
【００３４】
第２の態様を参照して、第２の態様のいくつかの実施で、端末デバイスによって第１フィードバックモード及び／又は第２フィードバックモードを決定することは、端末デバイスによって、第１情報に基づいて、第１フィードバックモード及び／又は第２フィードバックモードを決定することを含み、
第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【００３５】
第２の態様を参照して、第２の態様のいくつかの実施で、ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である。
【００３６】
本願のこの実施形態における技術的解決法では、時間領域インターバルごとに１つのＨＡＲＱ−ＡＣＫコードブックが生成される。時間領域インターバルの長さは１つのスロットのそれよりも短いので、少なくとも２つのＨＡＲＱ−ＡＣＫコードブックが１つのスロットにおいて生成されてよく、それにより、少なくとも２つのＰＵＣＣＨがフィードバックされ、低レイテンシサービスのＰＵＣＣＨは、瞬時にフィードバックされることを確かにされ得、低いレイテンシが確保され得る。その上、異なるサービスのＰＵＣＣＨがフィードバックされるよう意図される場合に、ＰＵＣＣＨは一緒にフィードバックされないので、いくつかのサービスのＰＵＣＣＨの信頼性を確かにすることによって引き起こされるリソースの無駄を回避する。
【００３７】
第２の態様を参照して、第２の態様のいくつかの実施で、ｉ番目の時間領域インターバルの時間領域長さは、標準規格に従って予め定義されるか、又は上位層シグナリングを使用することによって事前設定される。
【００３８】
第３の態様に従って、情報伝送方法が提供される。方法は、
ネットワークデバイスによって物理アップリンク制御チャネルＰＵＣＣＨリソースを決定することと、
ネットワークデバイスによって、ＰＵＣＣＨリソースで、端末デバイスによって送信されたハイブリッド自動再送要求−確認応答ＨＡＲＱ−ＡＣＫコードブックを受信することであり、Ｎが１よりも大きい正の整数であり、ｉがＮ以下の正の整数であるとして、ＨＡＲＱ−ＡＣＫコードブックは、１つのスロットのＮ個の時間領域インターバルのうちのいずれか１つであるｉ番目の時間領域インターバルに対応するＨＡＲＱ−ＡＣＫコードブックである、ことと
を含む。
【００３９】
本願のこの実施形態における技術的解決法では、ネットワークデバイスは、端末デバイスによって生成され、１つのスロットよりも小さい時間領域インターバルに対応するＨＡＲＱ−ＡＣＫコードブックを受信することができる。すなわち、ネットワークデバイスは、異なるサービスの異なる低レイテンシ要件を満足することを確かにするよう、１つのスロットで複数のＨＡＲＱ−ＡＣＫコードブックを受信することができる。その上、異なるサービスのＰＵＣＣＨが１つのスロットでフィードバックされるよう意図される場合に、ＰＵＣＣＨは一緒にフィードバックされないので、いくつかのサービスのＰＵＣＣＨの信頼性を確かにすることによって引き起こされるリソースの無駄を回避する。
【００４０】
第３の態様を参照して、第３の態様のいくつかの実施で、方法は、
ネットワークデバイスによって第１ダウンリンク情報を送信することと、
ネットワークデバイスによって第１インジケータ値を決定することと、
ネットワークデバイスによって、第１ダウンリンク情報に対応するフィードバック情報が位置する第１時間ユニットを決定することと
を更に含み、
第１インジケータ値は、第１ダウンリンク情報が位置する時間ユニットと第１時間ユニットとの間の時間ユニットの数を示し、
第１時間ユニットがｉ番目の時間領域インターバルに属する場合に、ｉ番目の時間領域インターバルに対応するＨＡＲＱ−ＡＣＫコードブックは、第１時間ユニットに対応するフィードバック情報を含む。
【００４１】
本願のこの実施形態における技術的解決法では、ネットワークデバイスは、第１インジケータ値と、第１ダウンリンク情報に対応するフィードバック情報が位置する第１時間ユニットとを決定し、第１時間ユニットはｉ番目の時間領域インターバルに属し、ｉ番目の時間領域インターバルに対応するＨＡＲＱ−ＡＣＫコードブックは、第１時間ユニットに対応するフィードバック情報を含む。
【００４２】
任意に、第３の態様のいくつかの実施で、第１インジケータ値は、プロトコル標準に従って予め定義された値である。
【００４３】
任意に、第３の態様のいくつかの実施で、第１インジケータ値は、上位層シグナリングに基づいて設定された値である。
【００４４】
任意に、第３の態様のいくつかの実施で、第１インジケータ値は、ネットワークデバイスによって送信された第１ダウンリンク制御情報によって示され、第１ダウンリンク制御情報は、第１インジケータ値を直接示してよく、あるいは、第１ダウンリンク制御情報は、第１インジケータ値の組内の値を示すことによって第１インジケータ値を示してもよく、第１インジケータ値の組は、プロトコルにおいて予め定義されるか、又は上位層シグナリングによって示されてもよい。
【００４５】
第３の態様を参照して、第３の態様のいくつかの実施で、方法は、
ネットワークデバイスによって第２ダウンリンク情報を送信することと、
ネットワークデバイスによってＰＵＣＣＨリソースインジケータ値を送信することと、
ネットワークデバイスによって、ＰＵＣＣＨの時間領域位置を決定することと
を更に含み、
ＰＵＣＣＨリソースインジケータ値は、ＰＵＣＣＨの時間領域位置を示すために使用され、
ＰＵＣＣＨの時間領域位置はｉ番目の時間領域インターバルに属し、ｉ番目の時間領域インターバルに対応するＨＡＲＱ−ＡＣＫコードブックは、ＰＵＣＣＨの時間領域位置に対応するダウンリンク情報のフィードバック情報を含む。
【００４６】
本願のこの実施形態における技術的解決法では、ネットワークデバイスは、ＰＵＣＣＨリソースインジケータ値及びＰＵＣＣＨの時間領域位置を決定することができ、ＰＵＣＣＨの時間領域位置はｉ番目の時間領域インターバルに属し、ｉ番目の時間領域インターバルに対応するＨＡＲＱ−ＡＣＫコードブックは、ＰＵＣＣＨの時間領域位置に対応するダウンリンク情報のフィードバック情報を含む。
【００４７】
第３の態様を参照して、第３の態様のいくつかの実施で、時間ユニットの長さは、Ｍ個のシンボル、１／２スロット、１／４スロット、１／７スロット、及び１／８スロットのうちのいずれか１つであり、Ｍは、１４より小さい正の整数である。
【００４８】
本願のこの実施形態における技術的解決法では、時間ユニットの長さは、１／２スロット、１／４スロット、１／７スロット、１／８スロット、又は１つ以上のシンボルに変更され、それにより、ネットワークデバイスは、ＰＤＳＣＨに対応し、端末デバイスによってフィードバックされるＡＣＫ／ＮＡＣＫフィードバック情報を瞬時に受信することができるので、即時のスケジューリング再送を実施しかつサービスレイテンシを低減する。
【００４９】
第３の態様を参照して、第３の態様のいくつかの実施で、第１受信フィードバックモードは、ネットワークデバイスが、端末デバイスによって送信されたハイブリッド自動再送要求−確認応答ＨＡＲＱ−ＡＣＫコードブックを受信することであり、Ｎが１よりも大きい正の整数であり、ｉがＮ以下の正の整数であるとして、ＨＡＲＱ−ＡＣＫコードブックは、１つのスロットのＮ個の時間領域インターバルのうちのいずれか１つであるｉ番目の時間領域インターバルに対応するＨＡＲＱ−ＡＣＫコードブックであり、
方法は、
ネットワークデバイスが、１つのスロットに対応し、端末デバイスによって生成されるハイブリッド自動再送要求−確認応答ＨＡＲＱ−ＡＣＫコードブックを受信することである第２受信フィードバックモードと、
ネットワークデバイスによって第１受信フィードバックモード及び／又は第２受信フィードバックモードを決定することと
を更に含む。
【００５０】
第３の態様を参照して、第３の態様のいくつかの実施で、ネットワークデバイスによって第１受信フィードバックモード及び／又は第２受信フィードバックモードを決定することは、ネットワークデバイスによって第１情報に基づいて第１受信フィードバックモード及び／又は第２受信フィードバックモードを決定することを含み、
第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【００５１】
第３の態様を参照して、第３の態様のいくつかの実施で、ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である。
【００５２】
本願のこの実施形態における技術的解決法では、ネットワークデバイスは、時間領域インターバルごとに端末デバイスによって生成される１つのＨＡＲＱ−ＡＣＫコードブックを受信する。時間領域インターバルの長さは１つのスロットのそれよりも短いので、少なくとも２つのＨＡＲＱ−ＡＣＫコードブックが１つのスロットにおいて生成されてよく、それにより、少なくとも２つのＰＵＣＣＨがフィードバックされ、低レイテンシサービスのＰＵＣＣＨは、瞬時にフィードバックされることを確かにされ得、低いレイテンシが確保され得る。その上、異なるサービスのＰＵＣＣＨがフィードバックされるよう意図される場合に、ＰＵＣＣＨは一緒にフィードバックされないので、いくつかのサービスのＰＵＣＣＨの信頼性を確かにすることによって引き起こされるリソースの無駄を回避する。
【００５３】
第３の態様を参照して、第３の態様のいくつかの実施で、ｉ番目の時間領域インターバルの時間領域長さは、標準規格に従って予め定義されるか、又は上位層シグナリングを使用することによって事前設定される。
【００５４】
第４の態様に従って、情報伝送方法が提供される。方法は、
Ｐが１よりも大きい正の整数であり、ｉが正の整数であるとして、ネットワークデバイスによって、１つのスロットに対応するＰ個のハイブリッド自動再送要求−確認応答ＨＡＲＱ−ＡＣＫコードブックの中のｉ番目のコードブックに対応する物理アップリンク制御チャネルＰＵＣＣＨリソースを決定することであり、スロットは、Ｐ個の重なり合わない時間領域インターバルを含み、Ｐ個の重なり合わない時間領域インターバルの中のｉ番目の時間領域インターバルは、Ｐ個のＨＡＲＱ−ＡＣＫコードブックの中のｉ番目のＨＡＲＱ−ＡＣＫコードブックと一対一で対応する、ことと、
ネットワークデバイスによって、ＰＵＣＣＨリソースで、端末デバイスによって送信されたｉ番目のコードブックを受信することであり、ｉ番目のコードブックは、スロットに対応するＰ個のＨＡＲＱ−ＡＣＫコードブックのうちのいずれか１つである、ことと
を含む。
【００５５】
本願のこの実施形態における技術的解決法では、ネットワークデバイスは、端末デバイスによって生成され、１つのスロットよりも小さい時間領域インターバルに対応する複数のＨＡＲＱ−ＡＣＫコードブックを受信することができる。すなわち、端末デバイスは、異なるサービスの異なる低レイテンシ要件を満足することを確かにするために、１つのスロットにおいて少なくとも２つのＨＡＲＱ−ＡＣＫコードブックを生成してよい。その上、異なるサービスのＰＵＣＣＨがフィードバックされるよう意図される場合に、ＰＵＣＣＨは、共同のフィードバックによらずに別々にフィードバックされ得るので、いくつかのＰＵＣＣＨの信頼性を確かにすることによって引き起こされるリソースの無駄を回避する。
【００５６】
第４の態様を参照して、第４の態様のいくつかの実施で、方法は、
ネットワークデバイスによって第１ダウンリンク情報を送信することと、
ネットワークデバイスによって第１インジケータ値を決定することと、
ネットワークデバイスによって、第１ダウンリンク情報に対応するフィードバック情報が位置する第１時間ユニットを決定することと
を更に含み、
第１インジケータ値は、第１ダウンリンク情報が位置する時間ユニットと第１時間ユニットとの間の時間ユニットの数を示し、
第１時間ユニットがｉ番目の時間領域インターバルに属する場合に、Ｐ個のハイブリッド自動再送要求−確認応答ＨＡＲＱ−ＡＣＫコードブックの中でｉ番目の時間領域インターバルに対応するｉ番目のＨＡＲＱ−ＡＣＫコードブックは、第１時間ユニットに対応するフィードバック情報を含む。
【００５７】
本願のこの実施形態における技術的解決法では、ネットワークデバイスは、第１インジケータ値と、第１ダウンリンク情報に対応するフィードバック情報が位置する第１時間ユニットとを決定することができ、第１時間ユニットはｉ番目の時間領域インターバルに属し、ｉ番目の時間領域インターバルに対応するＨＡＲＱ−ＡＣＫコードブックは、第１時間ユニットに対応するフィードバック情報を含む。
【００５８】
任意に、第４の態様のいくつかの実施で、第１インジケータ値は、プロトコル標準に従って予め定義された値である。
【００５９】
任意に、第４の態様のいくつかの実施で、第１インジケータ値は、上位層シグナリングに基づいて設定された値である。
【００６０】
任意に、第４の態様のいくつかの実施で、第１インジケータ値は、ネットワークデバイスによって送信された第１ダウンリンク制御情報によって示され、第１ダウンリンク制御情報は、第１インジケータ値を直接示してよく、あるいは、第１ダウンリンク制御情報は、第１インジケータ値の組内の値を示すことによって第１インジケータ値を示してもよく、第１インジケータ値の組は、プロトコルにおいて予め定義されるか、又は上位層シグナリングによって示されてもよい。
【００６１】
第４の態様を参照して、第４の態様のいくつかの実施で、方法は、
ネットワークデバイスによって第２ダウンリンク情報を送信することと、
ネットワークデバイスによってＰＵＣＣＨリソースインジケータ値を送信することと、
ネットワークデバイスによってＰＵＣＣＨの時間領域位置を決定することと
を更に含み、
ＰＵＣＣＨリソースインジケータ値は、ＰＵＣＣＨの時間領域位置を示すために使用され、
ＰＵＣＣＨの時間領域位置はｉ番目の時間領域インターバルに属し、Ｐ個のＨＡＲＱ−ＡＣＫコードブックに含まれてｉ番目の時間領域インターバルに対応しかつ端末デバイスによって生成されるｉ番目のハイブリッド自動再送要求−確認応答ＨＡＲＱ−ＡＣＫコードブックは、ＰＵＣＣＨの時間領域位置に対応するダウンリンク情報のフィードバック情報を含む。
【００６２】
本願のこの実施形態における技術的解決法では、ネットワークデバイスは、ＰＵＣＣＨリソースインジケータ値及びＰＵＣＣＨの時間領域位置を決定することができ、ＰＵＣＣＨの時間領域位置はｉ番目の時間領域インターバルに属し、ｉ番目の時間領域インターバルに対応するＨＡＲＱ−ＡＣＫコードブックは、ＰＵＣＣＨの時間領域位置に対応するダウンリンク情報のフィードバック情報を含む。
【００６３】
第４の態様を参照して、第４の態様のいくつかの実施で、時間ユニットの長さは、Ｍ個のシンボル、１／２スロット、１／４スロット、１／７スロット、及び１／８スロットのうちのいずれか１つであり、Ｍは、１４より小さい正の整数である。
【００６４】
本願のこの実施形態における技術的解決法では、時間ユニットの長さは、１／２スロット、１／４スロット、１／７スロット、１／８スロット、又は１つ以上のシンボルに変更され、それにより、ネットワークデバイスは、ＰＤＳＣＨに対応し、ユーザによってフィードバックされるＡＣＫ／ＮＡＣＫフィードバック情報を瞬時に受信することができるので、即時のスケジューリング再送を実施しかつサービスレイテンシを低減する。
【００６５】
第４の態様を参照して、第４の態様のいくつかの実施で、第１受信フィードバックモードは、Ｐが１よりも大きい正の整数であり、ｉが正の整数であるとして、ネットワークデバイスが、スロットに対応するＰ個のハイブリッド自動再送要求−確認応答ＨＡＲＱ−ＡＣＫコードブックの中のｉ番目のコードブックに対応する物理アップリンク制御チャネルＰＵＣＣＨリソースを決定することであり、スロットはＰ個の重なり合わない時間領域インターバルを含み、Ｐ個の重なり合わない時間領域インターバルの中のｉ番目の時間領域インターバルは、Ｐ個のＨＡＲＱ−ＡＣＫコードブックの中のｉ番目のＨＡＲＱ−ＡＣＫコードブックと一対一で対応し、
方法は、
ネットワークデバイスが、１つのスロットに対応するハイブリッド自動再送要求−確認応答ＨＡＲＱ−ＡＣＫコードブックを受信することである第２受信フィードバックモードと、
ネットワークデバイスによって第１受信フィードバックモード及び／又は第２受信フィードバックモードを決定することと
を更に含む。
【００６６】
第４の態様を参照して、第４の態様のいくつかの実施で、ネットワークデバイスによって第１受信フィードバックモード及び／又は第２受信フィードバックモードを決定することは、ネットワークデバイスによって第１情報に基づいて第１受信フィードバックモード及び／又は第２受信フィードバックモードを決定することを含み、
第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【００６７】
第４の態様を参照して、第４の態様のいくつかの実施で、ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である。
【００６８】
本願のこの実施形態における技術的解決法では、時間領域インターバルごとに１つのＨＡＲＱ−ＡＣＫコードブックが生成される。時間領域インターバルの長さは１つのスロットのそれよりも短いので、少なくとも２つのＨＡＲＱ−ＡＣＫコードブックが１つのスロットにおいて生成されてよく、それにより、少なくとも２つのＰＵＣＣＨがフィードバックされ、低レイテンシサービスのＰＵＣＣＨは、瞬時にフィードバックされることを確かにされ得、低いレイテンシは確保され得る。その上、異なるサービスのＰＵＣＣＨがフィードバックされるよう意図される場合に、ＰＵＣＣＨは一緒にフィードバックされないので、いくつかのＰＵＣＣＨの信頼性を確かにすることによって引き起こされるリソースの無駄を回避する。
【００６９】
第４の態様を参照して、第４の態様のいくつかの実施で、ｉ番目の時間領域インターバルの時間領域長さは、標準規格に従って予め定義されるか、又は上位層シグナリングを使用することによって事前設定される。
【００７０】
第５の態様に従って、情報を伝送する通信デバイスが提供される。通信デバイスは、
Ｎが１よりも大きい正の整数であり、ｉがＮ以下の正の整数であるとして、１つのスロットのＮ個の時間領域インターバルのうちのいずれか１つであるｉ番目の時間領域インターバルに対応するハイブリッド自動再送要求−確認応答ＨＡＲＱ−ＡＣＫコードブックを生成するよう構成される処理ユニットであり、ＨＡＲＱ−ＡＣＫコードブックに対応する物理アップリンク制御チャネルＰＵＣＣＨリソースを決定するよう更に構成される処理ユニットと、
ＰＵＣＣＨリソースでＨＡＲＱ−ＡＣＫコードブックを送信するよう構成されるトランシーバユニットと
を含む。
【００７１】
本願のこの実施形態における技術的解決法では、端末デバイスは、１つのスロットよりも小さい時間領域インターバルごとに１つの対応するＨＡＲＱ−ＡＣＫコードブックを生成してよい。すなわち、端末デバイスは、異なるサービスの異なるレイテンシ要件を満足することを確かにするために、１つのスロットで複数のＨＡＲＱ−ＡＣＫコードブックを生成してよい。その上、異なるサービスのＰＵＣＣＨがフィードバックされるよう意図される場合に、ＰＵＣＣＨは、共同のフィードバックによらずに別々にフィードバックされ得るので、いくつかのＰＵＣＣＨの信頼性を確かにすることによって引き起こされるリソースの無駄を回避する。
【００７２】
本願のこの実施形態における通信デバイスは、上記の方法における端末デバイスに対応し得る点が理解されるべきである。
【００７３】
第５の態様を参照して、第５の態様のいくつかの実施で、トランシーバユニットは、第１ダウンリンク情報を受信するよう更に構成され、
トランシーバユニットが第１ダウンリンク情報を受信する場合に、処理ユニットは、第１ダウンリンク情報が位置する時間ユニットと第１インジケータ値とに基づいて、第１ダウンリンク情報に対応するフィードバック情報が位置する第１時間ユニットを決定するよう更に構成され、第１インジケータ値は、第１ダウンリンク情報が位置する時間ユニットと第１時間ユニットとの間の時間ユニットの数を示し、
第１時間ユニットがｉ番目の時間領域インターバルに属する場合に、ｉ番目の時間領域インターバルに対応する生成されたＨＡＲＱ−ＡＣＫコードブックは、第１時間ユニットに対応するフィードバック情報を含む。
【００７４】
本願のこの実施形態における技術的解決法では、端末デバイスは、第１インジケータ値及びダウンリンク情報の時間領域位置情報に基づいて、１つのスロットよりも小さいｉ番目の時間領域インターバルに対応するＨＡＲＱ−ＡＣＫコードブックを決定し、それにより、低レイテンシサービスのＰＵＣＣＨは、瞬時にフィードバックされることを確かにされ得、レイテンシは確保される。その上、異なるサービスのＰＵＣＣＨがフィードバックされるよう意図される場合に、ＰＵＣＣＨは、共同のフィードバックによらずに別々にフィードバックされ得るので、いくつかのサービスのＰＵＣＣＨの信頼性を確かにすることによって引き起こされるリソースの無駄を回避する。
【００７５】
任意に、第５の態様のいくつかの実施で、第１インジケータ値は、プロトコル標準に従って予め定義された値である。
【００７６】
任意に、第５の態様のいくつかの実施で、第１インジケータ値は、上位層シグナリングに基づいて設定された値である。
【００７７】
任意に、第５の態様のいくつかの実施で、第１インジケータ値は、ネットワークデバイスによって送信された第１ダウンリンク制御情報によって示され、第１ダウンリンク制御情報は、第１インジケータ値を直接示してよく、あるいは、第１ダウンリンク制御情報は、第１インジケータ値の組内の値を示すことによって第１インジケータ値を示してもよく、第１インジケータ値の組は、プロトコルにおいて予め定義されても、又は上位層シグナリングによって示されてもよい。
【００７８】
第５の態様を参照して、第５の態様のいくつかの実施で、トランシーバユニットは、第２ダウンリンク情報を受信するよう更に構成され、
トランシーバユニットが第２ダウンリンク情報を受信する場合に、処理ユニットは、第２ダウンリンク情報が位置する時間ユニットとＰＵＣＣＨリソースインジケータ値とに基づいて、ＰＵＣＣＨの時間領域位置を決定するよう更に構成され、ＰＵＣＣＨリソースインジケータ値は、ＰＵＣＣＨの開始シンボル及び長さ情報を示すために使用され、
ＰＵＣＣＨの時間領域位置がｉ番目の時間領域インターバルに属する場合に、ｉ番目の時間領域インターバルに対応する生成されたＨＡＲＱ−ＡＣＫコードブックは、ＰＵＣＣＨの時間領域位置に対応するダウンリンク情報のフィードバック情報を含む。
【００７９】
本願のこの実施形態における技術的解決法では、端末デバイスは、第２ダウンリンク情報の時間領域位置情報及びＰＵＣＣＨリソースインジケータ値に基づいて、１つのスロットよりも小さいｉ番目の時間領域インターバルに対応するＨＡＲＱ−ＡＣＫコードブックを決定し、それにより、低レイテンシサービスのＰＵＣＣＨは、瞬時にフィードバックされることを確かにされ得、レイテンシは確保される。その上、異なるサービスのＰＵＣＣＨがフィードバックされるよう意図される場合に、ＰＵＣＣＨは、共同のフィードバックによらずに別々にフィードバックされ得るので、いくつかのサービスのＰＵＣＣＨの信頼性を確かにすることによって引き起こされるリソースの無駄を回避する。
【００８０】
第５の態様を参照して、第５の態様のいくつかの実施で、時間ユニットの長さは、Ｍ個のシンボル、１／２スロット、１／４スロット、１／７スロット、及び１／８スロットのうちのいずれか１つであり、Ｍは、１４より小さい正の整数である。
【００８１】
本願のこの実施形態における技術的解決法では、時間ユニットの長さは、１／２スロット、１／４スロット、１／７スロット、１／８スロット、又は１つ以上のシンボルに変更され、それにより、ユーザは、ＰＤＳＣＨに対応するＡＣＫ／ＮＡＣＫを速やかにフィードバックすることができるので、即時のフィードバックを実施しかつフィードバックレイテンシを低減する。
【００８２】
第５の態様を参照して、第５の態様のいくつかの実施で、第１フィードバックモードは、Ｎが１よりも大きい正の整数であり、ｉがＮ以下の正の整数であるとして、処理ユニットが、１つのスロットのＮ個の時間領域インターバルのうちのいずれか１つであるｉ番目の時間領域インターバルに対応するハイブリッド自動再送要求−確認応答ＨＡＲＱ−ＡＣＫコードブックを生成することであり、
処理ユニットは、第１フィードバックモード及び／又は第２フィードバックモードを決定するよう更に構成され、
第２フィードバックモードは、処理ユニットが、１つのスロットに対応するハイブリッド自動再送要求−確認応答ＨＡＲＱ−ＡＣＫコードブックを生成することである。
【００８３】
第５の態様を参照して、第５の態様のいくつかの実施で、処理ユニットは、第１情報に基づいて第１フィードバックモード及び／又は第２フィードバックモードを決定するよう特に構成され、
第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【００８４】
第５の態様を参照して、第５の態様のいくつかの実施で、ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である。
【００８５】
本願のこの実施形態における技術的解決法では、時間領域インターバルごとに１つのＨＡＲＱ−ＡＣＫコードブックが生成される。時間領域インターバルの長さは１つのスロットのそれよりも短いので、少なくとも２つのＨＡＲＱ−ＡＣＫコードブックが１つのスロットにおいて生成されてよく、それにより、少なくとも２つのＰＵＣＣＨがフィードバックされ、低レイテンシサービスのＰＵＣＣＨは、瞬時にフィードバックされることを確かにされ得、低いレイテンシが確保され得る。その上、異なるサービスのＰＵＣＣＨがフィードバックされるよう意図される場合に、ＰＵＣＣＨは一緒にフィードバックされないので、いくつかのサービスのＰＵＣＣＨの信頼性を確かにすることによって引き起こされるリソースの無駄を回避する。
【００８６】
第５の態様を参照して、第５の態様のいくつかの実施で、ｉ番目の時間領域インターバルの時間領域長さは、標準規格に従って予め定義されるか、あるいは、上位層シグナリングを使用することによって事前設定される。
【００８７】
第６の態様に従って、情報を伝送する通信デバイスが提供される。通信デバイスは、
物理アップリンク制御チャネルＰＵＣＣＨリソースを決定するよう構成される処理ユニットと、
ＰＵＣＣＨリソースで、端末デバイスによって送信されたハイブリッド自動再送要求−確認応答ＨＡＲＱ−ＡＣＫコードブックを受信するよう構成されるトランシーバユニットであり、Ｎが１よりも大きい正の整数であり、ｉがＮ以下のｉは正の整数であるとして、ＨＡＲＱ−ＡＣＫコードブックは、１つのスロットのＮ個の時間領域インターバルのうちのいずれか１つであるｉ番目の時間領域インターバルに対応するＨＡＲＱ−ＡＣＫコードブックである、トランシーバユニットと
を含む。
【００８８】
本願のこの実施形態における技術的解決法では、ネットワークデバイスは、端末デバイスによって生成され、１つのスロットよりも小さい時間領域インターバルに対応するＨＡＲＱ−ＡＣＫコードブックを受信することができる。すなわち、ネットワークデバイスは、１つのスロットで複数のＨＡＲＱ−ＡＣＫコードブックを受信することができ、それにより、異なるサービスの低レイテンシ要件は異なるサービスごとに確保され得る。その上、異なるサービスのＰＵＣＣＨが１つのスロットでフィードバックされるよう意図される場合に、ＰＵＣＣＨは一緒にフィードバックされないので、いくつかのサービスのＰＵＣＣＨの信頼性を確かにすることによって引き起こされるリソースの無駄を回避する。
【００８９】
第６の態様を参照して、第６の態様のいくつかの実施で、トランシーバユニットは、第１ダウンリンク情報を送信するよう更に構成され、
トランシーバユニットがダウンリンク情報を送信する場合に、処理ユニットは、
第１インジケータ値を決定し、
第１ダウンリンク情報に対応するフィードバック情報が位置する第１時間ユニットを決定する
よう更に構成され、
第１インジケータ値は、第１ダウンリンク情報が位置する時間ユニットと第１時間ユニットとの間の時間ユニットの数を示し、
第１時間ユニットはｉ番目の時間領域インターバルに属し、ｉ番目の時間領域インターバルに対応するＨＡＲＱ−ＡＣＫコードブックは、第１時間ユニットに対応するフィードバック情報を含む。
【００９０】
本願のこの実施形態における技術的解決法では、ネットワークデバイスは、第１インジケータ値と、第１ダウンリンク情報に対応するフィードバック情報が位置する第１時間ユニットとを決定し、第１時間ユニットはｉ番目の時間領域インターバルに属し、ｉ番目の時間領域インターバルに対応するＨＡＲＱ−ＡＣＫコードブックは、第１時間ユニットに対応するフィードバック情報を含む。
【００９１】
任意に、第６の態様のいくつかの実施で、第１インジケータ値は、プロトコル標準に従って予め定義された値である。
【００９２】
任意に、第６の態様のいくつかの実施で、第１インジケータ値は、上位層シグナリングに基づいて設定された値である。
【００９３】
任意に、第６の態様のいくつかの実施で、第１インジケータ値は、ネットワークデバイスによって送信された第１ダウンリンク制御情報によって示され、第１ダウンリンク制御情報は、第１インジケータ値を直接示してよく、あるいは、第１ダウンリンク制御情報は、第１インジケータ値の組内の値を示すことによって第１インジケータ値を示してもよく、第１インジケータ値の組は、プロトコルにおいて予め定義されるか、又は上位層シグナリングによって示されてもよい。
【００９４】
第６の態様を参照して、第６の態様のいくつかの実施で、トランシーバユニットは、
第２ダウンリンク情報を送信し、
ＰＵＣＣＨリソースインジケータ値を送信する
よう更に構成され、
トランシーバユニットが第２ダウンリンク情報及びＰＵＣＣＨリソースインジケータ値を送信する場合に、処理ユニットは、ＰＵＣＣＨの時間領域位置を決定するよう更に構成され、
ＰＵＣＣＨリソースインジケータ値は、ＰＵＣＣＨの時間領域位置を示すために使用され、
ＰＵＣＣＨの時間領域位置はｉ番目の時間領域インターバルに属し、ｉ番目の時間領域インターバルに対応するＨＡＲＱ−ＡＣＫコードブックは、ＰＵＣＣＨの時間領域位置に対応するダウンリンク情報のフィードバック情報を含む。
【００９５】
本願のこの実施形態における技術的解決法では、ネットワークデバイスは、ＰＵＣＣＨリソースインジケータ値及びＰＵＣＣＨの時間領域位置を決定することができ、ＰＵＣＣＨの時間領域位置はｉ番目の時間領域インターバルに属し、ｉ番目の時間領域インターバルに対応するＨＡＲＱ−ＡＣＫコードブックは、ＰＵＣＣＨの時間領域位置に対応するダウンリンク情報のフィードバック情報を含む。
【００９６】
第６の態様を参照して、第６の態様のいくつかの実施で、時間ユニットの長さは、Ｍ個のシンボル、１／２スロット、１／４スロット、１／７スロット、及び１／８スロットのうちのいずれか１つであり、Ｍは、１４より小さい正の整数である。
【００９７】
本願のこの実施形態における技術的解決法では、時間ユニットの長さは、１／２スロット、１／４スロット、１／７スロット、１／８スロット、又は１つ以上のシンボルに変更され、それにより、ユーザは、ＰＤＳＣＨに対応するＡＣＫ／ＮＡＣＫフィードバック情報を瞬時にフィードバックすることができるので、即時のフィードバックを実施しかつフィードバックレイテンシを低減する。
【００９８】
第６の態様を参照して、第６の態様のいくつかの実施で、第１受信フィードバックモードは、トランシーバユニットが、端末デバイスによって送信されたハイブリッド自動再送要求−確認応答ＨＡＲＱ−ＡＣＫコードブックを受信することであり、Ｎが１よりも大きい正の整数であり、ｉがＮ以下の正の整数であるとして、ＨＡＲＱ−ＡＣＫコードブックは、１つのスロットのＮ個の時間領域インターバルのうちのいずれか１つであるｉ番目の時間領域インターバルに対応するＨＡＲＱ−ＡＣＫコードブックであり、
処理ユニットは、第１受信フィードバックモード及び／又は第２受信フィードバックモードを決定することよう更に構成され、
第２受信フィードバックモードは、トランシーバユニットが、１つのスロットに対応し、端末デバイスによって生成されるハイブリッド自動再送要求−確認応答ＨＡＲＱ−ＡＣＫコードブックを受信することである。
【００９９】
第６の態様を参照して、第６の態様のいくつかの実施で、処理ユニットは、第１情報に基づいて第１受信フィードバックモード及び／又は第２受信フィードバックモードを決定するよう特に構成され、
第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【０１００】
第６の態様を参照して、第６の態様のいくつかの実施で、ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である。
【０１０１】
本願のこの実施形態における技術的解決法では、ネットワークデバイスは、時間領域インターバルごとに端末デバイスによって生成される１つのＨＡＲＱ−ＡＣＫコードブックを受信する。時間領域インターバルの長さは１つのスロットのそれよりも短いので、少なくとも２つのＨＡＲＱ−ＡＣＫコードブックが１つのスロットにおいて生成されてよく、それにより、少なくとも２つのＰＵＣＣＨがフィードバックされ、低レイテンシサービスのＰＵＣＣＨは、瞬時にフィードバックされることを確かにされ得、低いレイテンシが確保され得る。その上、異なるサービスのＰＵＣＣＨが１つのスロットにおいてフィードバックされるよう意図される場合に、ＰＵＣＣＨは一緒にフィードバックされないので、いくつかのサービスのＰＵＣＣＨの信頼性を確かにすることによって引き起こされるリソースの無駄を回避する。
【０１０２】
第６の態様を参照して、第６の態様のいくつかの実施で、ｉ番目の時間領域インターバルの時間領域長さは、標準規格に従って予め定義されるか、又は上位層シグナリングを使用することによって事前設定される。
【０１０３】
第７の態様に従って、フィードバック情報を伝送する通信デバイスが提供される。通信デバイスは、メモリ及びプロセッサを含み、メモリは、コンピュータプログラムを記憶するよう構成され、プロセッサは、メモリ内のコンピュータプログラムを呼び出して実行するよう構成され、それにより、通信デバイスは、第１の態様又は第２の態様及びそれらの実施のうちのいずれか１つに従う方法を実行する。
【０１０４】
第８の態様に従って、フィードバック情報を伝送する通信デバイスが提供される。通信デバイスは、メモリ及びプロセッサを含み、メモリは、コンピュータプログラムを記憶するよう構成され、プロセッサは、メモリ内のコンピュータプログラムを呼び出して実行するよう構成され、それにより、通信デバイスは、第３の態様又は第４の態様及びそれらの実施のうちのいずれか１つに従う方法を実行する。
【０１０５】
第９の態様に従って、通信システムが提供される。通信システムは、第５の態様又は第５の態様の可能な実施のうちのいずれか１つに従う通信デバイスと、第６の態様又は第６の態様の可能な実施のうちのいずれか１つに従う通信デバイスとを含む。
【０１０６】
第１０の態様に従って、チップシステムが提供される。チップシステムは、メモリ及びプロセッサを含み、メモリは、コンピュータプログラムを記憶するよう構成され、プロセッサは、メモリ内のコンピュータプログラムを呼び出して実行するよう構成され、それにより、チップシステムが組み込まれている通信デバイスは、第１の態様又は第２の態様及びそれらの実施のうちのいずれか１つに従う方法を実行する。
【０１０７】
第１１の態様に従って、チップシステムが提供される。チップシステムは、メモリ及びプロセッサを含み、メモリは、コンピュータプログラムを記憶するよう構成され、プロセッサは、メモリ内のコンピュータプログラムを呼び出して実行するよう構成され、それにより、チップシステムが組み込まれている通信デバイスは、第３の態様又は第４の態様及びそれらの実施のうちのいずれか１つに従う方法を実行する。
【０１０８】
第１２の態様に従って、コンピュータプログラム製品が提供される。コンピュータプログラム製品はコンピュータプログラムコードを含み、コンピュータプログラムコードが通信デバイス（例えば、端末デバイス又はネットワークデバイス）の通信ユニット及び処理ユニット又はトランシーバ及びプロセッサによって実行される場合に、通信デバイスは、第１の態様又は第２の態様及びそれらの実施のうちのいずれか１つに従う方法を実行することを可能にされる。
【０１０９】
第１３の態様に従って、コンピュータプログラム製品が提供される。コンピュータプログラム製品はコンピュータプログラムコードを含み、コンピュータプログラムコードが通信デバイス（例えば、端末デバイス又はネットワークデバイス）の通信ユニット及び処理ユニット又はトランシーバ及びプロセッサによって実行される場合に、通信デバイスは、第３の態様又は第４の態様及びそれらの実施のうちのいずれか１つに従う方法を実行することを可能にされる。
【０１１０】
第１４の態様に従って、コンピュータ可読記憶媒体が提供される。コンピュータ可読記憶媒体はプログラムを記憶し、プログラムは、通信デバイス（例えば、端末デバイス又はネットワークデバイス）が、第１の態様又は第２の態様及びそれらの実施のうちのいずれか１つに従う方法を実行することを可能にする。
【０１１１】
第１５の態様に従って、コンピュータ可読記憶媒体が提供される。コンピュータ可読記憶媒体はプログラムを記憶し、プログラムは、通信デバイス（例えば、端末デバイス又はネットワークデバイス）が、第３の態様又は第４の態様及びそれらの実施のうちのいずれか１つに従う方法を実行することを可能にする。
【図面の簡単な説明】
【０１１２】
【図１】本願の実施形態に従う通信システムの概略図である。
【図２】従来のアプローチにおいてＨＡＲＱ−ＡＣＫコードブックを生成することの概略図である。
【図３】従来のアプローチにおいてＨＡＲＱ−ＡＣＫコードブックを生成することの概略図である。
【図４】本願の実施形態に従う情報伝送方法の略フローチャートである。
【図５】本願の実施形態に従う情報伝送方法の概略図である。
【図６】本願の実施形態に従う情報伝送方法の概略図である。
【図７】本願の実施形態に従う通信デバイスの略構造図である。
【図８】本願の実施形態に従う通信デバイスの略構造図である。
【図９】本願の他の実施形態に従う通信デバイスの略構造図である。
【図１０】本願の他の実施形態に従う通信デバイスの略構造図である。
【発明を実施するための形態】
【０１１３】
以下は、添付の図面を参照して本願の技術的解決法について記載する。
【０１１４】
本願で使用されている「コンポーネント」、「モジュール」及び「システム」などの用語は、コンピュータに関連したエンティティ、ハードウェア、ファームウェア、ハードウェアとソフトウェアとの組み合わせ、ソフトウェア、又は実行中のソフトウェアを示すために使用される。例えば、コンポーネントは、制限なしに、プロセッサで実行されるプロセス、プロセッサ、オブジェクト、実行可能ファイル、実行のスレッド、プログラム、及び／又はコンピュータであってよい。図示されるように、コンピュータデバイスで実行されるアプリケーション及びコンピュータデバイスは両方ともコンポーネントであってよい。１つ以上のコンポーネントがプロセス及び／又は実行のスレッド内に存在してよく、コンポーネントは、１つのコンポーネントに位置しても、かつ／あるいは、２つ以上のコンポーネントの間に分布してもよい。その上、それらのコンポーネントは、様々なデータ構造を記憶している様々なコンピュータ可読媒体から実行されてもよい。コンポーネントは、ローカル及び／又は遠隔のプロセスを使用することによって、かつ、１つ以上のデータパケット（例えば、ローカルシステムや分散システム内の他のコンポーネントと、及び／又は信号を使用することによって他のシステムと相互作用するインターネットなどのネットワークにわたって相互作用する２つのコンポーネントからのデータ）を有する信号に基づいて、互いと通信してもよい。
【０１１５】
本願の実施形態の中の様態、場合、タイプ、及び実施形態の分割は、単に記載を容易にするためであり、如何なる特別の制限も構成すべきではなく、様々な様態、タイプ、場合、及び実施形態における特徴は、矛盾がない場合には組み合わされてよい点が理解されるべきである。
【０１１６】
本願の実施形態において、「第１」、「第２」などは、単に、異なるオブジェクトを示すよう意図され、示されているオブジェクトに対する他の制限を示すものではない点が更に理解されるべきである。
【０１１７】
本願の実施形態における技術的解決法は、グローバル・システム・フォー・モバイル・コミュニケーションズ（global  system  for  mobile  communications，ＧＳＭ）システム、符号分割多重アクセス（code  division  multiple  access，ＣＤＭＡ）システム、広帯域符号分割多重アクセス（wideband  code  division  multiple  access，ＷＣＤＭＡ）システム、汎用パケット無線サービス（general  packet  radio  service，ＧＰＲＳ）システム、ロング・ターム・エボリューション（long  term  evolution，ＬＴＥ）システム、ＬＴＥ周波数分割復信（frequency  division  duplex，ＦＤＤ）システム、ＬＴＥ時分割復信（time  division  duplex，ＴＤＤ）システム、ユニバーサル・モバイル・テレコミュニケーションズ・システム（universal  mobile  telecommunications  system，ＵＭＴＳ）、ワールドワイド・インターオペラビリティ・フォー・マイクロウェーブ・アクセス（worldwide  interoperability  for  microwave  access，ＷｉＭＡＸ）通信システム、第５世代（5th  generation，５Ｇ）システム、又はニュー・ラジオ（new  radio，ＮＲ）システムなどの様々な通信システムに適用されてよい。
【０１１８】
本願の実施形態における端末デバイスは、ユーザ設備、アクセス端末、加入者ユニット、加入者局、移動局、遠隔局、遠隔端末、モバイルデバイス、ユーザ端末、端末、無線通信デバイス、ユーザエージェント、又はユーザ装置であってよい。端末デバイスは、代替的に、携帯電話機、コードレス電話機、セッション開始プロトコル（session  initiation  protocol，ＳＩＰ）電話機、ワイヤレス・ローカル・ループ（wireless  local  loop）局、パーソナル・デジタル・アシスタント（personal  digital  assistant，ＰＤＡ）、無線通信機能を備えた携帯型デバイス、コンピュータデバイス、無線モデムへ接続されている他の処理デバイス、車載型デバイス、ウェアラブルデバイス、将来の５Ｇネットワークにおける端末デバイス、将来の進化した公衆地上移動ネットワーク（public  land  mobile  network，ＰＬＭＮ）、などであってもよい。
【０１１９】
本願の実施形態におけるネットワークデバイスは、端末デバイスと通信するよう構成されるデバイスであってよい。ネットワークデバイスは、グローバル・システム・フォー・モバイル・コミュニケーションズ（global  system  for  mobile  communications，ＧＳＭ）又は符号分割多重アクセス（code  division  multiple  access，ＣＤＭＡ）におけるベーストランシーバ局（base  transceiver  station，ＢＴＳ）、広帯域符号分割多重アクセス（wideband  code  division  multiple  access，ＷＣＤＭＡ）システムにおけるノードＢ（NodeB，ＮＢ）、ＬＴＥシステムにおけるエボルブド・ノードＢ（evolved  nodeB，ｅＮＢ又はｅＮｏｄｅＢ）、あるいは、クラウド無線アクセスネットワーク（cloud  radio  access  network，ＣＲＡＮ）シナリオにおける無線コントローラであってよい。代替的に、ネットワークデバイスは、中継ノード、アクセスポイント、車載型デバイス、ウェアラブルデバイス、将来の５Ｇネットワークにおけるネットワークデバイス、将来の進化したＰＬＭＮにおけるネットワークデバイス、などであってもよい。これは、本願の実施形態において制限されない。
【０１２０】
図１は、本願の実施形態で使用される通信システム１００の概略図である。図１に示されるように、通信システム１００はネットワークデバイス１０２を含み、ネットワークデバイス１０２は複数のアンテナグループを含んでよい。各アンテナグループは、１つ以上のアンテナを含んでよい。例えば、１つのアンテナグループは、アンテナ１０４及び１０６を含んでよく、他のアンテナグループは、アンテナ１０８及び１１０を含んでよく、更なるアンテナグループは、アンテナ１１２及び１１４を含んでよい。図１では、アンテナグループごとに２つのアンテナが示されている。しかし、より多く又はより少ないアンテナがグループごとに使用されてもよい。ネットワークデバイス１０２は、送信器チェーン及び受信器チェーンを更に含んでもよい。当業者であれば、送信器チェーン及び受信器チェーンの夫々が、信号の送信及び受信に関する複数のコンポーネント、例えば、プロセッサ、変調器、マルチプレクサ、復調器、デマルチプレクサ、又はアンテナを含んでよいと理解し得る。
【０１２１】
ネットワークデバイス１０２は、複数の端末デバイスと通信してよい。例えば、ネットワークデバイス１０２は、端末デバイス１１６及び端末デバイス１２２と通信してよい。しかし、ネットワークデバイス１０２は、端末デバイス１１６又は１２２と類似しているいくつの端末デバイスとも通信してよい。端末デバイス１１６及び１２２は夫々、例えば、携帯電話機、スマートフォン、ポータブルコンピュータ、携帯型通信デバイス、携帯型コンピュータデバイス、衛星無線装置、全地球測位システム、ＰＤＡ、及び／又は無線通信システム１００において通信を実行するよう構成されるあらゆる他の適切なデバイスであってよい。
【０１２２】
図１に示されるように、端末デバイス１１６は、アンテナ１１２及び１１４と通信する。アンテナ１１２及び１１４は、順方向リンク１１８を介して端末デバイス１１６へ情報を送信し、逆方向リンク１２０を介して端末デバイス１１６から情報を受信する。更に、端末デバイス１２２は、アンテナ１０４及び１０６と通信する。アンテナ１０４及び１０６は、順方向リンク１２４を介して端末デバイス１２２へ情報を送信し、逆方向リンク１２６を介して端末デバイス１２２から情報を受信する。
【０１２３】
例えば、周波数分割復信ＦＤＤシステムでは、順方向リンク１１８は、逆方向リンク１２０によって使用されるものとは異なる周波数帯域を使用してよく、順方向リンク１２４は、逆方向リンク１２６によって使用されるものとは異なる周波数帯域を使用してよい。
【０１２４】
他の例として、時分割復信ＴＤＤシステム及び全二重復信（full  duplex）システムでは、順方向リンク１１８及び逆方向リンク１２０は、同じ周波数帯域を使用してよく、順方向リンク１２４及び逆方向リンク１２６は、同じ周波数帯域を使用してよい。
【０１２５】
通信のために設計された各アンテナグループ及び／又はエリアは、ネットワークデバイス１０２のセクタと呼ばれる。例えば、アンテナグループは、ネットワークデバイス１０２のカバレッジ内のセクタにある端末デバイスと通信するよう設計されてよい。ネットワークデバイス１０２が夫々順方向リンク１１８及び１２４を介して端末デバイス１１６及び１２２と通信するプロセスにおいて、ネットワークデバイス１０２の送信アンテナは、ビームフォーミングを通じて順方向リンク１１８及び１２４の信号対雑音比を低減させることができる。更に、ネットワークデバイスが、単一のアンテナを通じて、ネットワークデバイスよってサーブされる全ての端末デバイスへ信号を送信する様態と比較して、ネットワークデバイス１０２が、ビームフォーミングを通じて、関連するカバレッジ内でランダムに分布している端末デバイス１１６及び１２２へ信号を送信する場合に、隣接セル内のモバイルデバイスで引き起こされる干渉は小さくなる。
【０１２６】
ネットワークデバイス１０２、端末デバイス１１６、又は端末デバイス１２２は、無線通信送信装置及び／又は無線通信受信装置であってよく、あるいは、あらゆる形態の通信装置であってよい。データを送信する場合に、無線通信送信装置は、伝送のためにデータを符号化してよい。具体的に、無線通信送信装置は、チャネルを介して無線通信受信装置へ送信されるべき特定数のデータビットを取得してよい。例えば、無線通信送信装置は、チャネルを介して無線通信受信装置へ送信されるべき特定数のデータビットを生成し、他の通信装置から受信し、又はメモリに格納してよい。データビットは、データのトランスポートブロック又は複数のトランスポートブロックに含まれてよく、トランスポートブロックは、複数のコードブロックを生成するようセグメント化されてよい。
【０１２７】
更に、通信システム１００は、公衆地上移動ネットワークＰＬＭＮ、デバイス間（device-to-device，Ｄ２Ｄ）ネットワーク、マシン間（machine-to-machine，Ｍ２Ｍ）ネットワーク、又は他のネットワークであってよい。図１は、理解を容易にするための簡略化された概略図の例にすぎず、ネットワークは、図１に示されていない他のネットワークデバイスを更に含んでもよい。
【０１２８】
以下は、本願の実施形態における伝送オブジェクト（すなわち、ＨＡＲＱ−ＡＣＫコードブック）について詳細に記載する。
【０１２９】
本願の実施形態では、ＨＡＲＱ−ＡＣＫコードブックは、時間ユニットにおいてフィードバックされるよう意図されるＡＣＫ及びＮＡＣＫを一緒に符号化することによって生成されるフィードバック情報である点が留意されるべきである。
【０１３０】
本願の実施形態において、フィードバック技術は、ダウンリンクデータ伝送のために使用されてよい。例として、制限なしに、フィードバック技術は、例えば、ハイブリッド自動再送要求（hybrid  automatic  repeat  request，ＨＡＲＱ）技術を含んでよい。
【０１３１】
ＨＡＲＱ技術は、前方誤り訂正（forward  error  correction，ＦＥＣ）符号化技術と自動再送要求（automatic  repeat  request，ＡＲＱ）技術とを組み合わせることによって形成された技術である。
【０１３２】
例えば、ＨＡＲＱ技術において、送信端からデータを受信した後、受信端は、データが正確に復号され得るかどうかを判定してよい。データが正確に復号され得ない場合には、受信端は、否定応答（negative-acknowledgement，ＮＡＣＫ）情報を送信端へフィードバックしてよく、それにより、送信端は、ＮＡＣＫ情報に基づいて、受信端がデータを正確に受信できないと決定してよく、そして、送信端は再送を実行してよい。データが正確に復号され得る場合には、受信端は、確認応答（acknowledgement，ＡＣＫ）情報を送信端へフィードバックしてよく、それにより、送信端は、ＡＣＫ情報に基づいて、受信端がデータを正確に受信すると決定してよく、そして、送信端は、データ伝送が完了していると決定してよい。
【０１３３】
すなわち、本願の実施形態において、受信端が復号化を行うことに成功した場合に、受信端はＡＣＫ情報を送信端へフィードバックしてよく、あるいは、受信端が復号化を行うことに失敗した場合に、受信端はＮＡＣＫ情報を送信端へフィードバックしてよい。
【０１３４】
例として、制限なしに、本願の実施形態では、アップリンク制御情報が、ＨＡＲＱ技術におけるＡＣＫ情報又はＮＡＣＫ情報を含んでよい。
【０１３５】
ＮＲでは、ＨＡＲＱ−ＡＣＫコードブックは、準静的コードブック（semi-static  codebook）モード又は動的コードブック（dynamic  codebook）モードであってよい。
【０１３６】
１．動的コードブックは、タイプ（type）２ＨＡＲＱ−ＡＣＫコードブックとも呼ばれる。端末デバイスは、各ダウンリンク制御チャネル（physical  downlink  control  channel，ＰＤＣＣＨ）モニタリングオケージョン（monitoring  occasion）でＰＤＳＣＨをモニタし、ＰＤＣＣＨ上の時間領域リソース割り当てバイト及びＰＤＳＣＨ対ＨＡＲＱタイミングバイトに基づいて、ＰＤＣＣＨによってスケジューリングされているモニタされたＰＤＳＣＨが送信されるべきであるスロットを決定し、対応するＡＣＫ／ＮＡＣＫがフィードバックされるべきであるスロットを決定する。
【０１３７】
２．準静的コードブックは、タイプ１ＨＡＲＱ−ＡＣＫコードブックとも呼ばれる。端末デバイスは、各ダウンリンク制御チャネル（physical  downlink  control  channel，ＰＤＣＣＨ）モニタリングオケージョン（monitoring  occasion）でＰＤＳＣＨをモニタし、ＰＤＣＣＨ上の時間領域リソース割り当て（time  domain  resource  allocation）バイト及びＰＤＳＣＨ対ＨＡＲＱタイミングバイト（対応するインジケータ値は第１インジケータ値Ｋ１と呼ばれることがある。）に基づいて、ＰＤＣＣＨによってスケジューリングされているモニタされたＰＤＳＣＨが送信されるべきであるスロットを決定し、対応するＡＣＫ／ＮＡＣＫがフィードバックされるべきであるスロットを決定する。フィードバックスロットで生成される１つのＨＡＲＱ−ＡＣＫコードブックは、スケジューリングされているＰＤＳＣＨのフィードバック情報だけでなく、上位層シグナリングに基づいて設定されたＰＤＳＣＨ対ＨＡＲＱタイミングセット内の全ての候補スロットのフィードバック情報も含む。対応する候補スロットでデータが送信されない場合には、対応フィードバックビットにはＮＡＣＫが詰められる。
【０１３８】
図２は、従来のアプローチにおいて動的コードブックモードでＨＡＲＱ−ＡＣＫコードブックを生成することの概略図である。図２に示されるように、ダウンリンクにはサービス１及びサービス２が存在する。例えば、サービス１はｅＭＢＢ  ＰＤＳＣＨであり、サービス２はＵＲＬＬＣ  ＰＤＳＣＨである。ｅＭＢＢ  ＰＤＳＣＨは第１スロットで受信され、第１インジケータ値Ｋ１＝２がＰＤＣＣＨで示され、すなわち、ｅＭＢＢサービスに対応するＰＵＣＣＨリソースは第３スロットにある。ＵＲＬＬＣ  ＰＤＳＣＨは第２スロットで受信され、Ｋ１＝１がＰＤＣＣＨで示され、すなわち、ＵＲＬＬＣサービスに対応するＰＵＣＣＨリソースは第３スロットにある。ＰＤＣＣＨ上の２つのサービスの指示の両方が第３スロットでフィードバックされる。ユーザによって行われる実際のフィードバック中に、１つのＨＡＲＱ−ＡＣＫコードブックが、ｅＭＢＢサービス及びＵＲＬＬＣサービスのＡＣＫ／ＮＡＣＫのために生成され、最終的なＰＵＣＣＨリソースは、第２のＰＤＣＣＨ、すなわち、ＵＲＬＬＣサービスのＰＤＣＣＨ上の指示に基づいて決定され、それからフィードバックは実行される。
【０１３９】
現在、ＨＡＲＱ−ＡＣＫコードブックは、ユニットとしてスロットを使用することによって生成され、１つのＨＡＲＱ−ＡＣＫコードブックは、同じスロットでフィードバックされるべきＡＣＫ／ＮＡＣＫのために生成される点が理解されるべきである。
【０１４０】
図２に示されるＨＡＲＱ−ＡＣＫコードブックを生成することの概略図では、ＵＲＬＬＣサービスの方が高い信頼性要件を有しているので、相対的により多数のＰＵＣＣＨリソースがＵＲＬＬＣサービスに割り当てられる。ＰＵＣＣＨリソースは、フォーマット、時間領域位置、開始位置、及び終了位置などの情報を含んでよく、それにより、ＰＵＣＣＨの信頼性は、符号レートを低減することによって確かにされ得る。ＵＲＬＬＣサービス及びｅＭＢＢサービスのＡＣＫ／ＮＡＣＫは一緒にフィードバックされるよう意図されるので、より多くのリソースがｅＭＢＢサービスにも割り当てられる。これは、ｅＭＢＢサービスが同じ低符号レートで伝送されることと同等である。結果として、リソースは浪費される。すなわち、リソースが浪費されないことが確かにされる場合に、ＵＲＬＬＣサービスのＰＵＣＣＨの信頼性は確保され得ない。
【０１４１】
図３は、従来のアプローチにおいて動的コードブックモードでＨＡＲＱ−ＡＣＫコードブックを生成することの概略図である。図３に示されるように、ダウンリンクにはサービス１及びサービス２が存在する。例えば、サービス１はＵＲＬＬＣ  ＰＤＳＣＨであり、サービス２はＵＲＬＬＣ  ＰＤＳＣＨである。サービス１のＰＤＳＣＨは第１スロットで受信され、Ｋ１＝２がＰＤＣＣＨで示され、すなわち、サービス１に対応するＰＵＣＣＨリソースは第３スロットにある。サービス２のＰＤＳＣＨは第２スロットで受信され、Ｋ１＝１がＰＤＣＣＨで示され、すなわち、サービス２に対応するＰＵＣＣＨリソースは第３スロットにある。ＰＤＣＣＨ上の２つのサービスの指示の両方が第３スロットでフィードバックされる。図３から分かるように、第３スロット内のサービス１のフィードバック情報はＮＡＣＫであり、すなわち、サービス１のデータ伝送は不正確であり、対応する再送が、ダウンリンク上の第３スロット内のサービス１の位置で実行されている。しかし、２つのＵＲＬＬＣサービスのデータに対応するＨＡＲＱが同じスロットでフィードバックされるべきであるから、１つのＨＡＲＱ−ＡＣＫコードブックが生成される必要がある。結果として、実際のフィードバック情報は、サービス２のＡＣＫの後である。この場合に、サービス１のデータは、実際には、第４スロット内のサービス１の位置でしか再送され得ず、その結果、サービス１のデータの再送のレイテンシは相対的に高くなる。
【０１４２】
図３に示されるように、同じサービスがダウンリンク上で伝送されてよく、あるいは、図２に示されるように、異なるサービスがダウンリンク上で伝送されてよい点が理解されるべきである。
【０１４３】
従って、従来のアプローチでは、ＨＡＲＱ−ＡＣＫコードブックの伝送は、スロットの単位で実行され、同じスロットでフィードバックされるべきＡＣＫ／ＮＡＣＫのために、ただ１つのＨＡＲＱ−ＡＣＫコードブックしか生成されない。一方で、ただ１つのＰＵＣＣＨしか１つのスロットでフィードバックされ得ず、ＵＲＬＬＣサービスのレイテンシの増大が生じる。他方で、異なるサービスのＰＵＣＣＨがフィードバックされるよう意図される場合に、高信頼サービスのＰＵＣＣＨの信頼性を確保するために、過剰なリソースが割り当てられ、リソースの無駄が生じる。
【０１４４】
以下は、具体例を参照して本願の情報伝送方法について詳細に記載する。端末デバイスは、ｉ番目の時間領域インターバルに対応するハイブリッド自動再送要求−確認応答ＨＡＲＱ−ＡＣＫコードブックを生成し、ｉ番目の時間領域インターバルの長さは、１つのスロット（slot）よりも短い。
【０１４５】
記載は、当業者が本願の実施形態をより良く理解するのを助けるよう意図されているにすぎず、本願の実施形態の範囲を制限するよう意図されない点が留意されるべきである。
【０１４６】
図４は、本願の実施形態に従う情報伝送方法の双方向フローチャートである。
【０１４７】
図４の端末デバイスは、図１のいずれかの端末デバイスであってもよく、図４のネットワークデバイスは、図１のネットワークデバイスであってよい。これは、本願において制限されない。
【０１４８】
Ｓ２１０：端末デバイスは、ｉ番目の時間領域インターバルに対応するハイブリッド自動再送要求−確認応答ＨＡＲＱ−ＡＣＫコードブックを生成し、このとき、ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である。
【０１４９】
例えば、端末デバイスは、１／２スロットの単位で１つのＨＡＲＱ−ＡＣＫコードブックを生成してよい。この場合に、１つのスロットでは、スロットの第１の１／２及びスロットの第２の１／２の夫々について、１つのＨＡＲＱ−ＡＣＫコードブックが生成され得る。すなわち、２つのＨＡＲＱ−ＡＣＫコードブックが１つのスロットで生成され得る。代替的に、端末デバイスは、１／４スロットの単位で１つのＨＡＲＱ−ＡＣＫコードブックを生成してもよい。この場合に、１つのスロットでは、スロットの１／４ごとに、１つのＨＡＲＱ−ＡＣＫコードブックが生成され得る。すなわち、４つのＨＡＲＱ−ＡＣＫコードブックが１つのスロットで生成され得る。
【０１５０】
本願のこの実施形態で、ネットワークデバイスは、物理アップリンク制御チャネルＰＵＣＣＨリソースを決定し、ネットワークデバイスは、決定されたＰＵＣＣＨリソースで、端末デバイスによって送信されたハイブリッド自動再送要求−確認応答ＨＡＲＱ−ＡＣＫコードブックを受信し、このとき、ＨＡＲＱ−ＡＣＫコードブックは、ｉ番目の時間領域インターバルに対応するＨＡＲＱ−ＡＣＫコードブックであり、ｉ番目の時間領域インターバルは、１つのスロットのＮ個の時間領域インターバルのいずれか１つであり、ｉはＮ以下であり、ｉは正の整数であり、Ｎは１よりも大きい正の整数である。
【０１５１】
ｉ番目の時間領域インターバルにおける時間ユニットの長さは、１つのシンボル、複数のシンボル、１／２スロット、１／４スロット、１／７スロット、及び１／８スロットのうちのいずれか１つであってよい点が理解されるべきである。これは、本願のこの実施形態で制限されない。
【０１５２】
時間ユニットの長さは、標準規格に従って予め定義され、かつ／あるいは、端末デバイスの上位層シグナリングを使用することによって事前設定される点が更に理解されるべきである。例えば、標準規格に従って予め定義された及び／又は上位層シグナリングを使用することによって事前設定された時間ユニットの長さは、１／２スロット、１／４スロット、１／８スロット、又はＭ個のシンボルであり、ここで、Ｍは１４よりも小さい正の整数である。
【０１５３】
本願のこの実施形態で、端末デバイスは、１つのスロットで少なくとも２つのコードブックを生成することができる。例えば、１／２スロットが時間領域インターバルとして使用される場合に、端末デバイスは１つのスロットで２つのＨＡＲＱ−ＡＣＫコードブックを生成してよく、あるいは、１／７が時間領域インターバルとして使用される場合に、端末デバイスは１つのスロットで７つのＨＡＲＱ−ＡＣＫコードブックを生成してよい。これは、本願のこの実施形態で制限されない。
【０１５４】
Ｓ２２０：端末デバイスは、ＨＡＲＱ−ＡＣＫコードブックに対応する物理アップリンク制御チャネルＰＵＣＣＨリソースを決定する。
【０１５５】
本願のこの実施形態で、ＰＵＣＣＨリソースを決定した後、端末デバイスはＰＵＣＣＨリソースをネットワークデバイスへ送信する。すなわち、ネットワークデバイスは、端末デバイスによって決定されたＰＵＣＣＨリソースで、ｉ番目の時間領域インターバルに対応して端末デバイスによって生成されるＨＡＲＱ−ＡＣＫコードブックを受信する。
【０１５６】
Ｓ２３０：端末デバイスは、ＰＵＣＣＨリソースでＨＡＲＱ−ＡＣＫコードブックを送信する。
【０１５７】
本願のこの実施形態で、ネットワークデバイスは、端末デバイスによって決定されたＰＵＣＣＨリソースを受信し、ＰＵＣＣＨリソースで、端末デバイスによって送信されたハイブリッド自動再送要求−確認応答ＨＡＲＱ−ＡＣＫコードブックを受信する。
【０１５８】
ＨＡＲＱ−ＡＣＫコードブックのために動的コードブックモード及び準静的コードブックモードが存在する点が留意されるべきである。端末デバイスがＨＡＲＱ−ＡＣＫコードブックを生成する前に、ネットワークデバイスは、コンフィグレーション情報を端末デバイスへ送信してよく、コンフィグレーション情報は、ＨＡＲＱ−ＡＣＫコードブックが動的コードブックモードで又は準静的コードブックモードで生成されることを示すために使用される。
【０１５９】
任意に、端末デバイスは、制限なしに、次の２つの方法で、ｉ番目の時間領域インターバルに対応するＨＡＲＱ−ＡＣＫコードブックを生成してよい。
【０１６０】
方法１：端末デバイスは、インジケータ値及びダウンリンク情報の時間領域位置情報に基づいて、ｉ番目の時間領域インターバルに対応するＨＡＲＱ−ＡＣＫコードブック決定する。
【０１６１】
第１インジケータ値は、第１ダウンリンク情報の時間ユニットと、端末デバイスが第１ダウンリンク情報に対応するＨＡＲＱ−ＡＣＫコードブックをフィードバックする時間ユニットとの間のオフセット値を示すか、あるいは、第１ダウンリンク情報が位置する時間ユニットと第１時間ユニットとの間の時間ユニットの数を示す。第２インジケータ値は、第２ダウンリンク情報の時間ユニットと、端末デバイスが第２ダウンリンク情報に対応するＨＡＲＱ−ＡＣＫコードブックをフィードバックする時間ユニットとの間のオフセット値を示すか、あるいは、第２ダウンリンク情報が位置する時間ユニットと第２時間ユニットとの間の時間ユニットの数を示す。第１ダウンリンク情報が位置する時間ユニットは、第１ダウンリンク情報によって占有される時間領域位置での最後のシンボルが位置する時間ユニット、又は第１ダウンリンク情報によって占有される時間領域位置での最初のシンボルが位置する時間ユニットである。第２ダウンリンク情報が位置する時間ユニットは、第２ダウンリンク情報によって占有される時間領域位置での最後のシンボルが位置する時間ユニット、又は第２ダウンリンク情報によって占有される時間領域位置での最初のシンボルが位置する時間ユニットである。
【０１６２】
第１の可能な実施で、端末デバイスは、ｉ番目の時間領域インターバルに対応するＨＡＲＱ−ＡＣＫコードブックを生成し、ＨＡＲＱ−ＡＣＫコードブックは、動的コードブックモードで生成されたコードブックである。すなわち、端末デバイスは、実時間でネットワークデバイスによってスケジューリングされるＰＤＳＣＨの数に基づいて、コードブックに含まれるフィードバック情報を決定する。
【０１６３】
例えば、ネットワークデバイスは、端末デバイスがＨＡＲＱ−ＡＣＫコードブックを生成するモードを動的コードブックモードとして設定する。
【０１６４】
任意の実施形態で、端末デバイスは、最初に第１インジケータ値を受信し、そして第１ダウンリンク情報を受信してよい。端末デバイスは、第１ダウンリンク情報の時間領域位置情報及び第１インジケータ値に基づいて、第１ダウンリンク情報に対応するフィードバック情報が位置する第１時間ユニットを決定してよい。第１時間ユニットがｉ番目の時間領域インターバルに属すると端末デバイスが決定する場合に、ｉ番目の時間領域インターバルに対応して端末デバイスによって生成されるＨＡＲＱ−ＡＣＫコードブックは、対応するフィードバック情報を第１時間ユニットにおいて含む。
【０１６５】
例えば、図５は、本願の実施形態に従ってＨＡＲＱ−ＡＣＫコードブックを生成することの概略図である。図５に示されるように、端末デバイスによって受信される第１ダウンリンク情報は、第１インジケータ値が１であることを示し、プロトコルに従って又は上位層コンフィグレーション情報に基づいて、第１インジケータ値の時間ユニットの長さが１／２スロットであることを示し、第１ダウンリンク情報は、ｎ番目の１／２スロットにおいて端末デバイスによって受信され、第１ダウンリンク情報に対応するフィードバック情報は、（ｎ＋１）番目の１／２スロットにあり、すなわち、第１時間ユニットは（ｎ＋１）番目の１／２スロットである、と考えられている。
【０１６６】
ｉ番目の時間領域インターバルが１つの第１時間ユニットを含む場合に、ｉ番目の時間領域インターバルに対応して端末デバイスによって生成されるＨＡＲＱ−ＡＣＫコードブックは、第１時間ユニットに対応するフィードバック情報である。ｉ番目の時間領域インターバルが複数の第１時間ユニットを含み、例えば、ｉ番目の時間領域インターバルがｎ番目の１／２スロットから（ｎ＋１）番目の１／２スロットまでを含む場合に、ｉ番目の時間領域インターバルに対応して端末デバイスによって生成されるＨＡＲＱ−ＡＣＫコードブックは、第１時間ユニットに対応するフィードバック情報、すなわち、（ｎ＋１）番目の１／２スロットに対応するフィードバック情報を含む。ｉ番目の時間領域インターバルに対応して端末デバイスによって生成されるＨＡＲＱ−ＡＣＫコードブックは、ｎ番目の１／２スロットに対応するフィードバック情報と、（ｎ＋１）番目の１／２スロットに対応するフィードバック情報とを一緒に符号化することによって生成されるコードブックである。
【０１６７】
本願のこの実施形態で、第１インジケータ値は、標準規格に従って予め定義された及び／又は上位層シグナリングを使用することによって事前設定された値であってよい。代替的に、第１インジケータ値は、ネットワークデバイスによって送信されて端末デバイスによって受信される第１ダウンリンク制御情報であってよく、第１ダウンリンク制御情報は第１インジケータ値を含む。
【０１６８】
例えば、第１インジケータ値は、標準規格に従って予め定義された組において、第１ダウンリンク制御情報によって示されるように決定されてよい。
【０１６９】
例えば、第１インジケータ値は、上位層シグナリングに基づいて事前設定された組において、第１ダウンリンク制御情報によって示されるように決定されてよい。
【０１７０】
本願のこの実施形態で、ネットワークデバイスは、第１ダウンリンク情報を端末デバイスへ送信する。ネットワークデバイスは、１つ以上のダウンリンク情報を送信してよい。ネットワークデバイスによってＰＵＣＣＨで、端末デバイスによって送信されたハイブリッド自動再送要求−確認応答ＨＡＲＱ−ＡＣＫコードブックを受信することは、
ネットワークデバイスによって第１インジケータ値を決定することと、
ネットワークデバイスによって、第１ダウンリンク情報に対応するフィードバック情報が位置する第１時間ユニットを決定することと
含み、第１インジケータ値は、第１ダウンリンク情報が位置する時間ユニットと第１時間ユニットとの間の時間ユニットの数を示し、
第１時間ユニットはｉ番目の時間領域インターバルに属し、ｉ番目の時間領域インターバルに対応するＨＡＲＱ−ＡＣＫコードブックは、第１時間ユニットに対応するフィードバック情報を含む。
【０１７１】
任意の実施形態で、ネットワークデバイスは、端末デバイスがＨＡＲＱ−ＡＣＫコードブックを生成するモードを動的コードブックモードとして設定する。すなわち、端末デバイスは、実時間でネットワークデバイスによってスケジューリングされるＰＤＳＣＨの数に基づいて、コードブックに含まれるフィードバック情報を決定する。第１インジケータ値は、プロトコル標準に従って予め定義されるか、あるいは、ネットワークデバイスによって送信された上位層シグナリングを使用することによって設定されるか、あるいは、ネットワークデバイスによって送信されたダウンリンク制御情報によって示される。すなわち、ネットワークデバイス及び端末デバイスの両方が第１インジケータ値を決定することができ、ネットワークデバイスは、第１インジケータ値と、第１ダウンリンク情報が位置する時間ユニットとに基づいて、第１ダウンリンク情報に対応するフィードバック情報が位置する第１時間ユニットを決定し、第１時間ユニットはｉ番目の時間領域インターバルに属し、ｉ番目の時間領域インターバルに対応して端末デバイスによって生成されネットワークデバイスによって受信されるＨＡＲＱ−ＡＣＫコードブックは、第１時間ユニットに対応するフィードバック情報を含む。
【０１７２】
任意の実施形態で、ネットワークデバイスは、端末デバイスがＨＡＲＱ−ＡＣＫコードブックを生成するモードを動的コードブックモードとして設定する。すなわち、端末デバイスは、実時間でネットワークデバイスによってスケジューリングされるＰＤＳＣＨの数に基づいて、コードブックに含まれるフィードバック情報を決定する。ネットワークデバイスは、第１ダウンリンク情報が位置する時間ユニットと、第１ダウンリンク情報に対応するフィードバック情報が位置する時間ユニット、すなわち、第１時間ユニットとを決定する。ネットワークデバイスは、第１ダウンリンク情報が位置する時間ユニットと第１時間ユニットとの間の時間ユニットの数に基づいて第１インジケータ値を決定し、第１時間ユニットはｉ番目の時間領域インターバルに属し、ｉ番目の時間領域インターバルに対応して端末デバイスによって生成されネットワークデバイスによって受信されるＨＡＲＱ−ＡＣＫコードブックは、第１時間ユニットに対応するフィードバック情報を含む。
【０１７３】
第１時間ユニットはｉ番目の時間領域インターバルに属し、ｉ番目の時間領域インターバルが１／２スロットである例が記載のために使用される点が留意されるべきである。例えば、第１時間ユニットの時間領域開始位置及び時間領域終了位置の両方が、１／２スロットの時間領域リソース内にあるか、あるいは、第１時間ユニットの時間領域開始位置は１／２スロットの時間領域リソース内にあり、第１時間ユニットの時間領域終了位置は１／２スロットの時間領域リソース内にないか、あるいは、第１時間ユニットの時間領域開始位置は１／２スロットの時間領域リソース内になく、第１時間ユニットの時間領域終了位置は１／２スロットの時間領域リソース内にある。使用される具体的な方法は、プロトコルにおいて予め定義され、すなわち、第１時間ユニットがｉ番目の時間領域インターバルに属すると決定するために、上記の方法のうちの１つがプロトコルに基づいて選択される。
【０１７４】
本願のこの実施形態で、第１インジケータ値は時間ユニットの長さに対応し、第１インジケータ値の時間ユニットの長さは、１つのシンボル、複数のシンボル、１／２スロット、１／４スロット、１／８スロット、又は１／７スロットのうちのいずれか１つであってよい点が理解されるべきである。代替的に、時間ユニットの長さは、標準規格に従って予め定義されても、かつ／あるいは、端末デバイスの上位層シグナリングを使用することによって事前設定されてもよい。これは本願において制限されない。本願のこの実施形態で、第１インジケータ値の時間ユニットの長さは、ｉ番目の時間領域インターバルにおける時間ユニットの長さ以下である。
【０１７５】
上位層シグナリングは、ＭＡＣシグナリングであってよく、あるいは、上位プロトコル層によって送信されるシグナリングであってよく、上位プロトコル層は、物理層より上の少なくとも１つのプロトコル層である点が留意されるべきである。上位プロトコル層は、具体的に、次のプロトコル層：媒体アクセス制御（medium  access  control，ＭＡＣ）層、無線リンク制御（radio  link  control，ＲＬＣ）層、パケットデータコンバージェンスプロトコル（packet  data  convergence  protocol，ＰＤＣＰ）層、無線リソース制御（radio  resource  control，ＲＲＣ）層、及び非アクセス階層（non-access  stratum，ＮＡＳ）のうちの少なくとも１つを含んでよい。
【０１７６】
第２の可能な実施で、端末デバイスは、ｉ番目の時間領域インターバルに対応するＨＡＲＱ−ＡＣＫコードブックを生成し、ＨＡＲＱ−ＡＣＫコードブックは、準静的コードブックモードにおいて生成されるコードブックである。
【０１７７】
例えば、ネットワークデバイスは、端末デバイスがＨＡＲＱ−ＡＣＫコードブックを生成するモードを準静的コードブックモードとして設定する。
【０１７８】
任意の実施形態で、端末デバイスは、最初に第２インジケータ値セットを決定し、第２インジケータ値は、第２ダウンリンク情報が位置する時間ユニットと、第２ダウンリンク情報に対応するフィードバック情報が位置する時間ユニットとの間の時間ユニットの数を示す。端末デバイスは、ｉ番目の時間領域インターバル及び第２インジケータ値セットに基づいて第２ダウンリンク情報の時間領域位置情報を決定する。端末デバイスは、第２ダウンリンク情報が位置する時間ユニットセットに対応するダウンリンク情報のフィードバック情報に基づいて、ｉ番目の時間領域インターバルにおいてＨＡＲＱ−ＡＣＫコードブックを生成する。
【０１７９】
本願のこの実施形態で、端末デバイスは、少なくとも１つの第２ダウンリンク情報を受信してよい点が理解されるべきである。
【０１８０】
例えば、図６は、本願の実施形態に従ってＨＡＲＱ−ＡＣＫコードブックを生成することの概略図である。図６に示されるように、端末デバイスは、ｉ番目の時間領域インターバル及び第２インジケータ値セットに基づいて第２ダウンリンク情報の時間領域位置情報セットを決定する。ｉ番目の時間領域インターバルがｎ番目の１／２スロットであり、第２インジケータ値セットが｛０，１，２，３，４｝を含み、第２インジケータ値の時間ユニットが１／２スロットであってよいとすると、端末デバイスは、ｎ番目の１／２スロット、（ｎ−１）番目の１／２スロット、（ｎ−２）番目の１／２スロット、（ｎ−３）番目の１／２スロット、及び（ｎ−４）番目の１／２スロットにおける全ての第２ダウンリンク情報に対応するフィードバック情報がｉ番目の時間領域インターバルにおいて送信可能であると決定してよく、このとき、ｎ番目の１／２スロット、（ｎ−１）番目の１／２スロット、（ｎ−２）番目の１／２スロット、及び（ｎ−３）番目の１／２スロットは、第２ダウンリンク情報が位置する時間領域ユニットセットを形成する。端末デバイスが時間領域ユニットセットにおいて少なくとも１つの第２ダウンリンク情報を受信する場合に、ｎ番目の１／２スロットにおける端末デバイスのフィードバック情報は、ｎ番目の１／２スロット、（ｎ−１）番目の１／２スロット、（ｎ−２）番目の１／２スロット、（ｎ−３）番目の１／２スロット、及び（ｎ−４）番目の１／２スロットにおけるダウンリンク情報の組に対応するＡＣＫ／ＮＡＣＫビットを含む。ビットは、１つのＨＡＲＱ−ＡＣＫコードブックを生成するよう一緒に符号化される。すなわち、端末デバイスは、ｉ番目の時間領域インターバルにおいて、第２ダウンリンク情報が位置する時間ユニットセットに対応するダウンリンク情報のフィードバック情報に基づいてＨＡＲＱ−ＡＣＫコードブックを生成する。
【０１８１】
本願のこの実施形態で、第２インジケータ値の時間ユニットの長さは、ｉ番目の時間領域インターバルの時間領域長さ以下であってよい点が留意されるべきである。
【０１８２】
本願のこの実施形態で、第２インジケータ値セットは、プロトコル標準に従って予め定義されてよく、あるいは、第２インジケータ値セットは、上位層シグナリングを使用することによって設定されてよい。
【０１８３】
上位層シグナリングは、ＭＡＣシグナリングであってよく、あるいは、上位プロトコル層によって送信されるシグナリングであってよく、上位プロトコル層は、物理層より上の少なくとも１つのプロトコル層である。上位プロトコル層は、具体的に、次のプロトコル層：媒体アクセス制御（medium  access  control，ＭＡＣ）層、無線リンク制御（radio  link  control，ＲＬＣ）層、パケットデータコンバージェンスプロトコル（packet  data  convergence  protocol，ＰＤＣＰ）層、無線リソース制御（radio  resource  control，ＲＲＣ）層、及び非アクセス階層（non-access  stratum，ＮＡＳ）のうちの少なくとも１つを含んでよい。
【０１８４】
本願のこの実施形態で、代替的に、時間ユニットの長さは、標準規格に従って予め定義されても、かつ／あるいは、端末デバイスの上位層シグナリングを使用することによって事前設定されてもよい。これは、本願において制限されない。
【０１８５】
例えば、時間ユニットの長さは、１つのシンボル、複数のシンボル、１／２スロット、１／４スロット、１／７スロット、及び１／８スロットのうちのいずれか１つであってよい。これは、本願のこの実施形態で制限されない。
【０１８６】
本願のこの実施形態で、第１インジケータ値の時間ユニットの長さは、１／２スロット、１／４スロット、１／７スロット、１／８スロット、又は１つ以上のシンボルに変更され（具体的な値は、プロトコルで指定されるか、又は上位層シグナリングを使用することによって設定されてよい）、それにより、ユーザは、ＰＤＳＣＨに対応するＡＣＫ／ＮＡＣＫを瞬時にフィードバックすることができるので、即時のフィードバックを実施しかつフィードバックレイテンシを低減する。
【０１８７】
本願のこの実施形態で、ｉ番目の時間領域インターバルの時間領域長さは、標準規格に従って予め定義されるか、あるいは、ネットワークデバイスの上位層シグナリングを使用することによって事前設定されてよい。これは、本願で制限されない。
【０１８８】
ｉ番目の時間領域インターバルの時間領域長さは、Ｑ個のシンボル、１／２スロット、１／４スロット、１／７スロット、又は１／８スロットのうちのいずれか１つであってよく、Ｑは１４よりも小さい正の整数である。
【０１８９】
本願のこの実施形態で、時間領域インターバルごとに１つのＨＡＲＱ−ＡＣＫが端末デバイスによって生成される。時間領域インターバルの長さは１つのスロットのそれよりも短く、例えば、時間領域インターバルの長さは、プロトコルで指定されるか、又は上位層シグナリングを使用することによって設定されてよく、１／２スロット、１／４スロット、１／７スロット、１／８スロット、又は１つ以上のシンボルであってよいので、少なくとも２つのＨＡＲＱ−ＡＣＫコードブックが１つのスロットで生成され、それにより、少なくとも２つのＰＵＣＣＨがフィードバックされ、低レイテンシサービスのＰＵＣＣＨは、瞬時にフィードバックされることを確かされ得、レイテンシは確保され得る。その上、異なるサービスのＰＵＣＣＨがフィードバックされるよう意図される場合に、ＰＵＣＣＨは一緒にフィードバックされないので、いくつかのＰＵＣＣＨの信頼性を確かにすることによって引き起こされるリソースの無駄を回避する。
【０１９０】
方法２：端末デバイスは、ダウンリンク情報の時間領域位置情報及びＰＵＣＣＨリソースインジケータ値に基づいて、ｉ番目の時間領域インターバルに対応するＨＡＲＱ−ＡＣＫコードブックを決定する。
【０１９１】
本願のこの実施形態で、端末デバイスは、インジケータ値Ｋ１、ダウンリンク情報の時間領域位置情報、及びＰＵＣＣＨリソースインジケータ値に基づいて、ｉ番目の時間領域インターバルに対応するＨＡＲＱ−ＡＣＫコードブックを決定してよい点が理解されるべきである。
【０１９２】
例えば、１つのスロットは複数の時間領域インターバルに分割され、１つのＨＡＲＱ−ＡＣＫコードブックは、各時間領域インターバルにおいて、決定されたＰＵＣＣＨリソースに対して生成される。時間領域インターバルの長さは１つのスロットのそれよりも短いので、複数のＨＡＲＱ−ＡＣＫコードブックが１つのスロットで生成され、それにより、少なくとも２つのＰＵＣＣＨが１つのスロットでフィードバックされる。
【０１９３】
第１の可能な実施で、端末デバイスは、ｉ番目の時間領域インターバルに対応するＨＡＲＱ−ＡＣＫコードブックを生成し、ＨＡＲＱ−ＡＣＫコードブックは、動的コードブックモードで生成されるコードブックである。
【０１９４】
例えば、ネットワークデバイスは、端末デバイスがＨＡＲＱ−ＡＣＫコードブックを生成するモードを動的コードブックモードとして設定する。
【０１９５】
任意の実施形態で、端末デバイスは、最初に第１インジケータ値を受信し、そして第１ダウンリンク情報を受信してよい。端末デバイスは、第１ダウンリンク情報の時間領域位置情報、第１インジケータ値、及び第１ＰＵＣＣＨリソースインジケータ値に基づいて、第１ＰＵＣＣＨリソースの時間領域位置を決定してよい。第１ＰＵＣＣＨリソースの時間領域位置がｉ番目の時間領域インターバルに属すると端末デバイスが決定する場合に、ｉ番目の時間領域インターバルに対応して端末デバイスによって生成されるＨＡＲＱ−ＡＣＫコードブックは、第１ＰＵＣＣＨリソースの時間領域位置に対応するダウンリンク情報のフィードバック情報を含む。
【０１９６】
第１インジケータ値は、第１ダウンリンク情報の時間ユニットと、端末デバイスが第１ダウンリンク情報に対応するＨＡＲＱ−ＡＣＫコードブックをフィードバックする時間ユニットとの間のオフセット値を示すか、あるいは、第１ダウンリンク情報が位置する時間ユニットと第１時間ユニットとの間の時間ユニットの数を示す。第１ダウンリンク情報が位置する時間ユニットは、第１ダウンリンク情報によって占有される時間領域位置での最後のシンボルが位置する時間ユニット、又は第１ダウンリンク情報によって占有される時間領域位置での最初のシンボルが位置する時間ユニットである。
【０１９７】
第１ＰＵＣＣＨリソースインジケータ値は、第１ＰＵＣＣＨの開始シンボル及び長さ情報を示すために使用されてよく、すなわち、第１ＰＵＣＣＨリソースインジケータ値は、第１ＰＵＣＣＨの時間領域位置を示すために使用される。第１ＰＵＣＣＨリソースインジケータ値は、第１ＰＵＣＣＨの時間領域位置を直接示してよく、あるいは、インデックスを示してもよく、インデックスは、ＰＵＣＣＨリソースセット内のＰＵＣＣＨを指し示し、そのＰＵＣＣＨの時間領域位置が第１ＰＵＣＣＨの時間領域位置である。複数のＰＵＣＣＨリソースセットが端末デバイスに対して設定される場合に、端末デバイスは、最初に、フィードバック情報のビットの数に基づいてＰＵＣＣＨリソースセットから１つを決定する必要があり、次いで、ＰＵＣＣＨリソースインジケータ値によって示されるインデックスを使用することによってＰＵＣＣＨリソースセット内の特定のＰＵＣＣＨを決定し、そのＰＵＣＣＨの時間領域位置が第１ＰＵＣＣＨの時間領域位置である。ただ１つのＰＵＣＣＨリソースが端末デバイスに対して設定される場合に、ＰＵＣＣＨリソースのインジケータ値によって示されるインデックスは、第１ＰＵＣＣＨの時間領域位置を直接決定し得る。本願のこの実施形態で、第１ＰＵＣＣＨリソースインジケータ値は、第１ダウンリンク制御情報において運ばれてよい。
【０１９８】
例えば、第１ＰＵＣＣＨリソースインジケータ値が第１ＰＵＣＣＨの時間領域位置を直接示すことが考えられる。端末デバイスは、ｎ番目のスロットで第１ダウンリンク情報を受信し、第１インジケータ値は１つのスロットを示し、第１ＰＵＣＣＨリソースインジケータ値は、開始シンボルが第２シンボルであり、長さが２であることを示す。この場合に、第１ダウンリンク情報に対応するＰＵＣＣＨの時間領域リソースは、（ｎ＋１）番目のスロット内の第２から第４シンボルにある。
【０１９９】
（ｎ＋１）番目のスロット内の第２から第４シンボルがｉ番目の時間領域インターバルに属する場合に、ｉ番目の時間領域インターバルに対応して端末デバイスによって生成されるＨＡＲＱ−ＡＣＫコードブックは、第１ＰＵＣＣＨリソースの時間領域位置に対応するダウンリンク情報のフィードバック情報を含む。
【０２００】
他の例として、第１ＰＵＣＣＨリソースインジケータ値が、インデックスを示すことによって第１ＰＵＣＣＨの時間領域位置を示すことが考えられる。端末デバイスは、ｎ番目のスロットで第１ダウンリンク情報を受信し、第１インジケータ値は１つのスロットを示し、第１ＰＵＣＣＨリソースインジケータ値は１つのインデックスを示し、インデックスは、ＰＵＣＣＨリソースセット内の１つのＰＵＣＣＨを示してよい。端末デバイスは、インデックスに基づいて、第１ＰＵＣＣＨの開始シンボルが第２シンボルであり、長さが２であると決定する。この場合に、第１ダウンリンク情報に対応するＰＵＣＣＨの時間領域リソースは、（ｎ＋１）番目のスロット内の第２から第４シンボルにある。
【０２０１】
（ｎ＋１）番目のスロット内の第２から第４シンボルがｉ番目の時間領域インターバルに属する場合に、ｉ番目の時間領域インターバルに対応して端末デバイスによって生成されるＨＡＲＱ−ＡＣＫコードブックは、第１ＰＵＣＣＨリソースの時間領域位置に対応するダウンリンク情報のフィードバック情報を含む。
【０２０２】
ｉ番目の時間領域インターバルが１つの第１ＰＵＣＣＨリソースの時間領域位置を含む場合に、ｉ番目の時間領域インターバルに対応して端末デバイスによって生成されるＨＡＲＱ−ＡＣＫコードブックは、その第１ＰＵＣＣＨリソースの時間領域位置に対応するダウンリンク情報のフィードバック情報である。複数の第１ＰＵＣＣＨリソースの時間領域位置がｉ番目の時間領域インターバル内にあり、例えば、ｉ番目の時間領域インターバルがｎ番目の１／２スロットから（ｎ＋１）番目の１／２スロットまでである場合に、ｉ番目の時間領域インターバルに対応して端末デバイスによって生成されるＨＡＲＱ−ＡＣＫコードブックは、それらの第１ＰＵＣＣＨリソースの時間領域位置に対応するダウンリンク情報のフィードバック情報、すなわち、（ｎ＋１）番目の１／２スロットに対応するフィードバック情報を含む。ｉ番目の時間領域インターバルに対応して端末デバイスによって生成されるＨＡＲＱ−ＡＣＫコードブックは、ｎ番目の１／２スロットに対応するフィードバック情報と、（ｎ＋１）番目の１／２スロット対応するフィードバック情報とを一緒に符号化することによって生成されるコードブックである。
【０２０３】
第１ＰＵＣＣＨの時間領域位置はｉ番目の時間領域インターバルに属し、ｉ番目の時間領域インターバルが１／２スロットである例が記載のために使用される点が留意されるべきである。例えば、第１ＰＵＣＣＨの時間領域位置の開始位置及び時間領域終了位置の両方が、１／２スロットの時間領域リソース内にあるか、あるいは、第１ＰＵＣＣＨの時間領域位置の開始位置は１／２スロットの時間領域リソース内にあり、第１ＰＵＣＣＨの時間領域位置の終了位置は１／２スロットの時間領域リソース内にないか、あるいは、第１ＰＵＣＣＨの時間領域位置の開始位置は１／２スロットの時間領域リソース内になく、第１ＰＵＣＣＨの時間領域位置の終了位置は１／２スロットの時間領域リソース内にある。使用される具体的な方法は、プロトコルにおいて予め定義され、すなわち、第１ＰＵＣＣＨの時間領域位置がｉ番目の時間領域インターバルに属すると決定するために、上記の方法のうちの１つがプロトコルに基づいて選択される。
【０２０４】
本願のこの実施形態で、第１インジケータ値は、標準規格に従って予め定義された及び／又は上位層シグナリングを使用することによって事前設定された値であってよい。代替的に、第１インジケータ値は、ネットワークデバイスによって送信され端末デバイスによって受信される第１ダウンリンク制御情報であってよく、第１ダウンリンク制御情報は、第１インジケータ値を含む。
【０２０５】
例えば、第１インジケータ値は、標準規格に従って予め定義された組において、第１ダウンリンク制御情報によって示されるように決定されてよい。
【０２０６】
例えば、第１インジケータ値は、上位層シグナリングに基づいて事前設定された組において、第１ダウンリンク制御情報によって示されるように決定されてよい。
【０２０７】
本願のこの実施形態で、ネットワークデバイスは、第２ダウンリンク情報を端末デバイスへ送信する。ネットワークデバイスは、ＰＵＣＣＨリソースインジケータ値を送信する。ネットワークデバイスによってＰＵＣＣＨリソースで、端末デバイスによって送信されたハイブリッド自動再送要求−確認応答ＨＡＲＱ−ＡＣＫコードブックを受信することは、ネットワークデバイスによってＰＵＣＣＨの時間領域位置を決定することを含み、
ＰＵＣＣＨリソースインジケータ値が、ＰＵＣＣＨの時間領域位置を示すために使用され、
ＰＵＣＣＨの時間領域位置はｉ番目の時間領域インターバルに属し、ｉ番目の時間領域インターバルに対応するＨＡＲＱ−ＡＣＫコードブックは、ＰＵＣＣＨの時間領域位置に対応するダウンリンク情報のフィードバック情報を含む。
【０２０８】
任意の実施形態で、ネットワークデバイスは、端末デバイスがＨＡＲＱ−ＡＣＫコードブックを生成するモードを動的コードブックモードとして設定する。すなわち、端末デバイスは、実時間でネットワークデバイスによってスケジューリングされるＰＤＳＣＨの数に基づいて、コードブックに含まれるフィードバック情報を決定する。ＰＵＣＣＨリソースインジケータ値は、ダウンリンク制御情報において運ばれ、ＰＵＣＣＨリソースインジケータ値は、ＰＵＣＣＨの開始シンボル及び長さ情報を示すために使用される。ネットワークデバイスは、最初に、ＰＵＣＣＨリソースインジケータ値を決定し、そして、ＰＵＣＣＨリソースインジケータ値に基づいてＰＵＣＣＨの時間領域位置を決定し、ＰＵＣＣＨの時間領域位置はｉ番目の時間領域インターバルに属し、ｉ番目の時間領域インターバルに対応するＨＡＲＱ−ＡＣＫコードブックは、ＰＵＣＣＨの時間領域位置に対応するダウンリンク情報のフィードバック情報を含む。
【０２０９】
任意の実施形態で、ネットワークデバイスは、端末デバイスがＨＡＲＱ−ＡＣＫコードブックを生成するモードを動的コードブックモードとして設定する。すなわち、端末デバイスは、実時間でネットワークデバイスによってスケジューリングされるＰＤＳＣＨの数に基づいて、コードブックに含まれるフィードバック情報を決定する。ネットワークデバイスは、最初に、ＰＵＣＣＨの時間領域位置を決定し、そして、ＰＵＣＣＨの時間領域位置に基づいてＰＵＣＣＨリソースインジケータ値を決定する。ネットワークデバイスは、ＰＵＣＣＨリソースインジケータ値を端末デバイスへ送信し、ＰＵＣＣＨリソースインジケータ値はダウンリンク制御情報において運ばれ、ＰＵＣＣＨリソースインジケータ値は、ＰＵＣＣＨの開始シンボル及び長さ情報を示すために使用される。ＰＵＣＣＨの時間領域位置はｉ番目の時間領域インターバルに属し、ｉ番目の時間領域インターバルに対応するＨＡＲＱ−ＡＣＫコードブックは、ＰＵＣＣＨの時間領域位置に対応するダウンリンク情報のフィードバック情報を含む。
【０２１０】
本願のこの実施形態で、時間ユニットの長さは、標準規格に従って予め定義されても、かつ／あるいは、端末デバイスの上位層シグナリングを使用することによって事前設定されてもよい。これは本願において制限されない。
【０２１１】
例えば、第１インジケータ値の時間ユニットの長さは、Ｍ個のシンボル、１／２スロット、１／４スロット、１／７スロット、及び１／８スロットのうちのいずれか１つであってよく、Ｍは１４よりも小さい正の整数である。
【０２１２】
上位層シグナリングは、ＭＡＣシグナリングであってよく、あるいは、上位プロトコル層によって送信されるシグナリングであってよく、上位プロトコル層は、物理層より上の少なくとも１つのプロトコル層である点が留意されるべきである。上位プロトコル層は、具体的に、次のプロトコル層：媒体アクセス制御（medium  access  control，ＭＡＣ）層、無線リンク制御（radio  link  control，ＲＬＣ）層、パケットデータコンバージェンスプロトコル（packet  data  convergence  protocol，ＰＤＣＰ）層、無線リソース制御（radio  resource  control，ＲＲＣ）層、及び非アクセス階層（non-access  stratum，ＮＡＳ）のうちの少なくとも１つを含んでよい。
【０２１３】
本願のこの実施形態で、第１ＰＵＣＣＨリソースインジケータ値によって示されるＰＵＣＣＨの開始シンボルの参照シンボルは、スロット境界、１／２スロット境界、１／４スロット境界、又は１／８スロット境界であってよく、あるいは、シンボル境界、などであってもよい。例えば、ＰＤＳＣＨがｎ番目の１／２スロットにあり、Ｋ１が１／２スロットである場合に、ＰＵＣＣＨの参照境界は、（ｎ＋１）番目の１／２スロットの終了シンボル位置である。他の例として、ＰＤＳＣＨがｎ番目のシンボルにあり、Ｋ１が５つのシンボルを示す場合に、ＰＵＣＣＨの参照境界は、（ｎ＋５）番目のシンボルの終了位置である。
【０２１４】
本願のこの実施形態で、ｉ番目の時間領域インターバルの時間領域長さは、標準規格に従って予め定義されるか、又はネットワークデバイスの上位層シグナリングを使用することによって事前設定されてよい。これは本願で制限されない。
【０２１５】
ｉ番目の時間領域インターバルの時間領域長さは、Ｑ個のシンボル、１／２スロット、１／４スロット、１／８スロット、又は１／７スロットのうちのいずれか１つであってよく、Ｑは１４よりも小さい正の整数である。
【０２１６】
第２の可能な実施で、端末デバイスは、ｉ番目の時間領域インターバルに対応するＨＡＲＱ−ＡＣＫコードブックを生成し、ＨＡＲＱ−ＡＣＫコードブックは、準静的コードブックモードで生成されるコードブックである。
【０２１７】
例えば、ネットワークデバイスは、端末デバイスによって生成されるＨＡＲＱ−ＡＣＫコードブックのモードを準静的コードブックモードに設定する。
【０２１８】
任意の実施形態で、端末デバイスは第２インジケータ値セットを決定し、端末デバイスは、ｉ番目の時間領域インターバル及び第２インジケータ値セットに基づいて、第２ダウンリンク情報が位置する時間ユニットセットを決定する。端末デバイスは、第２ダウンリンク情報が位置する時間ユニットセット、第２インジケータ値セット、及び第２ＰＵＣＣＨリソースインジケータ値に基づいて、第２ＰＵＣＣＨの時間領域位置を決定する。第２ＰＵＣＣＨの時間領域位置がｉ番目の時間領域インターバルに属する場合に、ｉ番目の時間領域インターバルに対応して端末デバイスによって生成されるＨＡＲＱ−ＡＣＫコードブックは、第２ＰＵＣＣＨの時間領域位置に対応するダウンリンク情報のフィードバック情報を含む。
【０２１９】
例えば、端末デバイスは、ｉ番目の時間領域インターバル及び第２インジケータ値セットに基づいて第２ダウンリンク情報の時間領域位置情報セットを決定する。ｉ番目の時間領域インターバルがｎ番目の１／２スロットであり、第２インジケータ値セットが｛０，１，２，３，４｝を含み、第２インジケータ値の時間ユニットが１／２スロットであってよいとすると、端末デバイスは、ｎ番目の１／２スロット、（ｎ−１）番目の１／２スロット、（ｎ−２）番目の１／２スロット、（ｎ−３）番目の１／２スロット、及び（ｎ−４）番目の１／２スロットにおける全ての第２ダウンリンク情報に対応するフィードバック情報がｉ番目の時間領域インターバルにおいて送信可能であると決定してよく、このとき、ｎ番目の１／２スロット、（ｎ−１）番目の１／２スロット、（ｎ−２）番目の１／２スロット、及び（ｎ−３）番目の１／２スロットは、第２ダウンリンク情報が位置する時間領域ユニットセットを形成する。端末デバイスが時間領域ユニットセットにおいて少なくとも１つの第２ダウンリンク情報を受信する場合に、端末デバイスは、時間領域ユニットセット内のフィードバックされるべき全ての情報に基づいて１つのフィードバック情報ビットを決定する（第２ダウンリンク情報が受信されない場合には、ＮＡＣＫが詰められる）。複数のＰＵＣＣＨリソースセットが端末デバイスに対して設定される場合に、ＰＵＣＣＨリソースセットの１つがフィードバック情報ビットに基づいて選択され、次いで、第２ＰＵＣＣＨの時間領域位置は、最後のダウンリンク制御情報の中の第２インジケータ値に基づいて決定される。１つのＰＵＣＣＨリソースが端末デバイスに対して設定される場合に、第２ＰＵＣＣＨの時間領域位置は、直接、最後のダウンリンク制御情報の中の第２インジケータ値に基づいて決定されてよい。第２ＰＵＣＣＨの時間領域位置がｎ番目の１／２スロットにある場合に、ｎ番目の１／２スロットで生成される１つのＨＡＲＱ−ＡＣＫコードブックのフィードバック情報は、ｎ番目の１／２スロット、（ｎ−１）番目の１／２スロット、（ｎ−２）番目の１／２スロット、（ｎ−３）番目の１／２スロット、及び（ｎ−４）番目の１／２スロットにおけるダウンリンク情報の組に対応するＡＣＫ／ＮＡＣＫビットを含む。ビットは、１つのＨＡＲＱ−ＡＣＫコードブックを生成するよう一緒に符号化される。
【０２２０】
第２インジケータ値は、第２ダウンリンク情報が位置する時間ユニットと、第２ダウンリンク情報に対応するフィードバック情報が位置する時間ユニットとの間の時間ユニットの数を示す。第２ＰＵＣＣＨリソースインジケータ値は、第２ＰＵＣＣＨの開始シンボル及び長さ情報、又は第２ＰＵＣＣＨの時間領域位置に関する情報を示すために使用される。第２ＰＵＣＣＨリソースインジケータ値は、第２ＰＵＣＣＨの時間領域位置を直接示してよく、あるいは、インデックスを示してもよく、インデックスはＰＵＣＣＨリソースセット内のＰＵＣＣＨを指し示し、そのＰＵＣＣＨの時間領域位置が第２ＰＵＣＣＨの時間領域位置である。複数のＰＵＣＣＨリソースセットが端末デバイスに対して設定される場合に、端末デバイスは、最初に、フィードバック情報のビットの数に基づいてＰＵＣＣＨリソースセットから１つを決定する必要があり、次いで、ＰＵＣＣＨリソースインジケータ値によって示されるインデックスを使用することによってＰＵＣＣＨリソースセット内の特定のＰＵＣＣＨを決定し、そのＰＵＣＣＨの時間領域位置が第２ＰＵＣＣＨの時間領域位置である。ただ１つのＰＵＣＣＨリソースが端末デバイスに対して設定される場合に、ＰＵＣＣＨリソースのインジケータ値によって示されるインデックスは、第２ＰＵＣＣＨの時間領域位置を直接決定し得る。
【０２２１】
例えば、１つのＨＡＲＱ−ＡＣＫコードブックは、ＰＵＣＣＨの時間領域位置がスロットの第１の半分にあり、ＰＵＣＣＨがスロットの同じ１／２でフィードバックされる必要がある場合に生成され、他のＨＡＲＱ−ＡＣＫコードブックは、ＰＵＣＣＨの時間領域位置がスロットの第２の半分にあり、ＰＵＣＣＨがスロットの同じ１／２でフィードバックされる必要がある場合に生成されることは、標準プロトコルで予め定義されるか、あるいは、上位層シグナリングによって示されてよい。
【０２２２】
第２ＰＵＣＣＨの時間領域位置はｉ番目の時間領域インターバルに属し、ｉ番目の時間領域インターバルが１／２スロットである例が記載のために使用される点が留意されるべきである。例えば、第２ＰＵＣＣＨの時間領域位置の開始位置及び時間領域終了位置の両方が、１／２スロットの時間領域リソース内にあるか、あるいは、第２ＰＵＣＣＨの時間領域位置の開始位置は１／２スロットの時間領域リソース内にあり、第２ＰＵＣＣＨの時間領域位置の終了位置は１／２スロットの時間領域リソース内にないか、あるいは、第２ＰＵＣＣＨの時間領域位置の開始位置は１／２スロットの時間領域リソース内になく、第２ＰＵＣＣＨの時間領域位置の終了位置は１／２スロットの時間領域リソース内にある。使用される具体的な方法は、プロトコルにおいて予め定義され、すなわち、第２ＰＵＣＣＨの時間領域位置がｉ番目の時間領域インターバルに属すると決定するために、上記の方法のうちの１つがプロトコルに基づいて選択される。
【０２２３】
本願のこの実施形態で、代替的に、時間ユニットの長さは、標準規格に従って予め定義されても、かつ／あるいは、端末デバイスの上位層シグナリングを使用することによって事前設定されてもよい。これは本願において制限されない。
【０２２４】
第２インジケータ値の時間ユニットの長さは、Ｍ個のシンボル、１／２スロット、１／４スロット、１／７スロット、１／８スロット、及び１つのスロットのうちのいずれか１つであってよく、Ｍは１４よりも小さい正の整数である。
【０２２５】
上位層シグナリングは、ＭＡＣシグナリングであってよく、あるいは、上位プロトコル層によって送信されるシグナリングであってよく、上位プロトコル層は、物理層より上の少なくとも１つのプロトコル層である点が留意されるべきである。上位プロトコル層は、具体的に、次のプロトコル層：媒体アクセス制御（medium  access  control，ＭＡＣ）層、無線リンク制御（radio  link  control，ＲＬＣ）層、パケットデータコンバージェンスプロトコル（packet  data  convergence  protocol，ＰＤＣＰ）層、無線リソース制御（radio  resource  control，ＲＲＣ）層、及び非アクセス階層（non-access  stratum，ＮＡＳ）のうちの少なくとも１つを含んでよい。
【０２２６】
本願のこの実施形態で、第２ＰＵＣＣＨリソースインジケータ値によって示されるＰＵＣＣＨの開始シンボルの参照シンボルは、スロット境界、１／２スロット境界、１／４スロット境界、又は１／８スロット境界であってよく、あるいは、シンボル境界、などであってもよい。
【０２２７】
例えば、ＰＤＳＣＨがｎ番目の１／２スロットにあり、Ｋ１が１／２スロットである場合に、ＰＵＣＣＨの参照境界は、（ｎ＋１）番目の１／２スロットの終了シンボル位置である。他の例として、ＰＤＳＣＨがｎ番目のシンボルにあり、Ｋ１が５つのシンボルを示す場合に、ＰＵＣＣＨの参照境界は、（ｎ＋５）番目のシンボルの終了位置である。
【０２２８】
本願のこの実施形態で、ｉ番目の時間領域インターバルの時間領域長さは、標準規格に従って予め定義されるか、又はネットワークデバイスの上位層シグナリングを使用することによって事前設定されてよい。これは本願で制限されない。
【０２２９】
ｉ番目の時間領域インターバルの時間領域長さは、Ｑ個のシンボル、１／２スロット、１／４スロット、１／８スロット、又は１／７スロットのうちのいずれか１つであってよく、Ｑは１４よりも小さい正の整数である。
【０２３０】
本願のこの実施形態で、端末デバイスは、インジケータ値Ｋ１、ダウンリンク情報の時間領域位置情報、及びＰＵＣＣＨリソースインジケータ値に基づいて、ｉ番目の時間領域インターバルに対応するＨＡＲＱ−ＡＣＫコードブックを決定し、それにより、低レイテンシサービスのＰＵＣＣＨは瞬時にフィードバックされることを確かにされ得、レイテンシは確保される。その上、異なるサービスのＰＵＣＣＨがフィードバックされるよう意図される場合に、ＰＵＣＣＨは、共同のフィードバックによらずに別々にフィードバックされ得るので、いくつかのＰＵＣＣＨの信頼性を確かにすることによって引き起こされるリソースの無駄を回避する。
【０２３１】
任意に、本願のこの実施形態で、第１フィードバックモードは、Ｎが１よりも大きい正の整数であり、ｉはＮ以下の正の整数であるとして、端末デバイスが、１つのスロットのＮ個の時間領域インターバルのうちのいずれか１つであるｉ番目の時間領域インターバルに対応するハイブリッド自動再送要求−確認応答ＨＡＲＱ−ＡＣＫコードブックを生成することであってよく、第２フィードバックモードは、端末デバイスが、１つのスロットに対応するハイブリッド自動再送要求−確認応答ＨＡＲＱ−ＡＣＫコードブックを生成することであってよい。端末デバイスは、第１フィードバックモード及び／又は第２フィードバックモードを決定する。
【０２３２】
任意に、本願のこの実施形態で、端末デバイスは、第１情報に基づいて第１フィードバックモード及び／又は第２フィードバックモードを決定し、このとき、第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【０２３３】
例えば、端末デバイスは、ＵＲＬＬＣサービスに対して、本願のこの実施形態では第１フィードバックモードを選択してよい。時間ユニットの長さが１／２スロットである例が説明のために使用される。具体的に言えば、ＵＲＬＬＣサービスに関する２つのＨＡＲＱ−ＡＣＫコードブックが１つのスロットで生成され得る。端末デバイスは、ｅＭＢＢサービスに対して第２フィードバックモードを選択してよく、具体的に言えば、ｅＭＢＢサービスに関する１つのＨＡＲＱ−ＡＣＫコードブックが１つのスロットで生成される。ＵＲＬＬＣサービス及びｅＭＢＢサービスのフィードバック情報が同じアップリンクスロットでフィードバックされる場合に、３つのＨＡＲＱ−ＡＣＫコードブックが生成され得る。
【０２３４】
例えば、端末デバイスは、ＵＲＬＬＣサービス及びｅＭＢＢサービスのＨＡＲＱ−ＡＣＫコードブックをフィードバックするために第１フィードバックモードを選択してよく、あるいは、端末デバイスは、ＵＲＬＬＣサービスのＨＡＲＱ−ＡＣＫコードブックをフィードバックするために第１フィードバックモードを選択し、ｅＭＢＢサービスのＨＡＲＱ−ＡＣＫコードブックをフィードバックするために第２フィードバックモードを選択してよい。
【０２３５】
本願のこの実施形態で、第１受信フィードバックモードは、ネットワークデバイスが、端末デバイスによって送信されたハイブリッド自動再送要求−確認応答ＨＡＲＱ−ＡＣＫコードブックを受信することであり、ＨＡＲＱ−ＡＣＫコードブックは、Ｎが１よりも大きい正の整数であり、ｉはＮ以下の正の整数であるとして、１つのスロットのＮ個の時間領域インターバルのうちのいずれか１つであるｉ番目の時間領域インターバルに対応するＨＡＲＱ−ＡＣＫコードブックである。方法は、
ネットワークデバイスが、１つのスロットに対応して端末デバイスによって生成されるハイブリッド自動再送要求−確認応答ＨＡＲＱ−ＡＣＫコードブックを受信する第２受信フィードバックモードと、
ネットワークデバイスによって、第１受信フィードバックモード及び／又は第２受信フィードバックモードを決定することと
を更に含む。
【０２３６】
任意の実施形態で、ネットワークデバイスは、第１情報に基づいて第１受信フィードバックモード及び／又は第２受信フィードバックモードを決定し、このとき、第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【０２３７】
例えば、ネットワークデバイスは、ＵＲＬＬＣサービス及びｅＭＢＢサービスに対して第１受信フィードバックモードを選択してよく、あるいは、ネットワークデバイスは、ＵＲＬＬＣサービスのフィードバックに対して第１受信フィードバックモードを選択し、ｅＭＢＢサービスのフィードバックのために第２受信フィードバックモードを選択してよい。
【０２３８】
本願のこの実施形態で、端末デバイスは、ＨＡＲＱ−ＡＣＫコードブックのビットの数と、最後に受信されたＰＤＣＣＨ上のＰＵＣＣＨリソースインジケータフィールドとに基づいて、ＨＡＲＱ−ＡＣＫコードブックを送信するためのＰＵＣＣＨリソースを決定してよい。
【０２３９】
任意の実施形態で、複数のＰＵＣＣＨリソースセットが端末デバイスに対して設定される場合に、端末デバイスは、生成されたＨＡＲＱ−ＡＣＫコードブックのビットの数に基づいて複数のＰＵＣＣＨリソースセットから１つのＰＵＣＣＨリソースセットを選択してよく、次いで、端末デバイスは、最後に受信されたＰＤＣＣＨ上のＰＵＣＣＨリソースインジケータフィールドに基づいて、ＨＡＲＱ−ＡＣＫコードブックを送信するＰＵＣＣＨリソースを決定する。
【０２４０】
任意の実施形態で、あるＰＵＣＣＨリソースセットが端末デバイスに対して設定される場合に、端末デバイスは、最後に受信されたＰＤＣＣＨ上のＰＵＣＣＨリソースインジケータフィールドに基づいて、ＨＡＲＱ−ＡＣＫコードブックを送信するＰＵＣＣＨリソースを決定する。
【０２４１】
例えば、ＨＡＲＱ−ＡＣＫコードブックが動的コードブックモードにある場合に、端末デバイスは、受信された複数のダウンリンク制御情報の中の最後のダウンリンク制御情報によって示されるＰＵＣＣＨリソースに基づいてＰＵＣＣＨリソースセットの中で、ＨＡＲＱ−ＡＣＫコードブックを送信するＰＵＣＣＨリソースを決定するか、あるいは、ＨＡＲＱ−ＡＣＫコードブックが準静的コードブックモードにある場合に、端末デバイスは、第２ダウンリンク情報の時間領域位置情報セット内の全ての第２ダウンリンク情報に対応する最後のダウンリンク制御情報によって示されるＰＵＣＣＨリソースに基づいてＰＵＣＣＨリソースセットの中で、ＨＡＲＱ−ＡＣＫコードブックを送信するＰＵＣＣＨリソースを決定する。
【０２４２】
本願の実施形態で、最後のＰＤＣＣＨは、ＡＣＫ／ＮＡＣＫが同じ時間領域インターバルでフィードバックされるべきである全てのダウンリンク情報に対応する全てのＰＤＣＣＨの中の最後のＰＤＣＣＨである点が理解されるべきである。例えば、３つのＰＤＣＣＨによってスケジューリングされるＰＤＳＣＨのＡＣＫ／ＮＡＣＫがｉ番目の時間領域インターバルにおいてフィードバックされる場合に、最後のＰＤＣＣＨは、それら３つのＰＤＣＣＨの中の３番目を指す。
【０２４３】
上記のプロセスの手順番号は、本願の様々な実施形態において実行順序を意味しない点が理解されるべきである。プロセスの実行順序は、プロセスの機能及び内部ロジックに基づいて決定されるべきであり、本願の実施形態の実施プロセスに対する如何なる制限としても解釈されるべきではない。
【０２４４】
上記は、本願の実施形態に従う情報伝送方法について詳細に記載する。本願では、ｉ番目の時間領域インターバルに対応するＨＡＲＱ−ＡＣＫコードブックが生成され、ｉ番目の時間領域インターバルは１つのスロットよりも小さい。すなわち、複数のＨＡＲＱ−ＡＣＫコードブックが１つのスロットで生成されてよく、それにより、低レイテンシ要件が異なるサービスに対して確保され得る。その上、異なるサービスのＰＵＣＣＨがフィードバックされるよう意図される場合に、ＰＵＣＣＨは一緒にフィードバックされないので、いくつかのＰＵＣＣＨの信頼性を確かにすることによって引き起こされるリソースの無駄を回避する。本願の実施形態における端末デバイス及びネットワークデバイスは、本願の上記の実施形態における方法を実行してよい点が理解されるべきである。従って、次の製品の具体的な動作プロセスについては、上記の方法の実施形態における対応するプロセスを参照されたい。
【０２４５】
図７は、本願の実施形態に従う通信デバイス７００の略構造図である。通信デバイス７００は、図１に示されるシステムに適用される端末デバイスであってよい。図７に示されるように、通信デバイス７００は、トランシーバユニット７１０及び処理ユニット７２０を含む。
【０２４６】
トランシーバユニット７１０及び処理ユニット７２０は、制御信号及び／又はデータ信号を転送するために、内部接続パスを通じて互いと通信する。可能な設計では、トランシーバユニット７１０及び処理ユニット７２０は、本願の実施形態における端末デバイスの対応する機能を実装するように、チップを使用することによって実施されてもよい。
【０２４７】
本願のこの実施形態で、処理ユニット７２０は、ｉ番目の時間領域インターバルに対応するハイブリッド自動再送要求−確認応答ＨＡＲＱ−ＡＣＫコードブックを生成するよう構成され、このとき、ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である。
【０２４８】
処理ユニット７２０は、ＨＡＲＱ−ＡＣＫコードブックに対応する物理アップリンク制御チャネルＰＵＣＣＨリソースを決定するよう更に構成される。
【０２４９】
トランシーバユニット７１０は、ＰＵＣＣＨリソースでＨＡＲＱ−ＡＣＫコードブックを送信するよう構成される。
【０２５０】
本願のこの実施形態で、通信デバイス（例えば、端末デバイス）は、１つのスロットよりも小さい時間領域インターバルごとに１つの対応するＨＡＲＱ−ＡＣＫコードブックを生成し得る。すなわち、端末デバイスは、異なるサービスの異なるレイテンシ要件を満足することを確かにするために、１つのスロットで複数のＨＡＲＱ−ＡＣＫコードブックを生成してよい。その上、異なるサービスのＰＵＣＣＨがフィードバックされるよう意図される場合に、ＰＵＣＣＨは、共同のフィードバックによらずに別々にフィードバックされ得るので、いくつかのＰＵＣＣＨの信頼性を確かにすることによって引き起こされるリソースの無駄を回避する。
【０２５１】
任意に、トランシーバユニット７１０は、第１ダウンリンク情報を受信するよう更に構成され、
トランシーバユニット７１０が第１ダウンリンク情報を受信する場合に、処理ユニット７２０は、第１ダウンリンク情報が位置する時間ユニットと第１インジケータ値とに基づいて、第１ダウンリンク情報に対応するフィードバック情報が位置する第１時間ユニットを決定するよう更に構成され、このとき、第１インジケータ値は、第１ダウンリンク情報が位置する時間ユニットと第１時間ユニットとの間の時間ユニットの数を示し、
第１時間ユニットがｉ番目の時間領域インターバルに属する場合に、ｉ番目の時間領域インターバルに対応する生成されたＨＡＲＱ−ＡＣＫコードブックは、第１時間ユニットに対応するフィードバック情報を含む。
【０２５２】
第１インジケータ値は、プロトコル標準に従って予め定義された値であってよく、あるいは、第１インジケータ値は、上位層シグナリングに基づいて設定された値であってよく、あるいは、第１インジケータ値は、ネットワークデバイスによって送信された第１ダウンリンク制御情報によって示され、第１ダウンリンク制御情報は、第１インジケータ値を直接示してよく、又は第１ダウンリンク制御情報は、第１インジケータ値の組内の値を示すことによって第１インジケータ値を示してもよく、第１インジケータ値の組は、プロトコルにおいて予め定義されても、若しくは上位層シグナリングによって示されてもよい点が理解されるべきである。
【０２５３】
第１インジケータ値の時間ユニットの長さは、ｉ番目の時間領域インターバルの時間領域長さ以下である点が理解されるべきである。
【０２５４】
第１時間ユニットはｉ番目の時間領域インターバルに属し、ｉ番目の時間領域インターバルが１／２スロットである例が記載のために使用される点が留意されるべきである。例えば、第１時間ユニットの時間領域開始位置及び時間領域終了位置の両方が、１／２スロットの時間領域リソース内にあるか、あるいは、第１時間ユニットの時間領域開始位置は１／２スロットの時間領域リソース内にあり、第１時間ユニットの時間領域終了位置は１／２スロットの時間領域リソース内にないか、あるいは、第１時間ユニットの時間領域開始位置は１／２スロットの時間領域リソース内になく、第１時間ユニットの時間領域終了位置は１／２スロットの時間領域リソース内にある。
【０２５５】
任意に、トランシーバユニット７１０は、第２ダウンリンク情報を受信するよう更に構成され、
トランシーバユニット７１０が第２ダウンリンク情報を受信する場合に、処理ユニット７２０は、第２ダウンリンク情報が位置する時間ユニットとＰＵＣＣＨリソースインジケータ値とに基づいて、ＰＵＣＣＨの時間領域位置を決定するよう更に構成され、ＰＵＣＣＨリソースインジケータ値は、ＰＵＣＣＨの開始シンボル及び長さ情報を示すために使用され、
ＰＵＣＣＨの時間領域位置がｉ番目の時間領域インターバルに属する場合に、ｉ番目の時間領域インターバルに対応する生成されたＨＡＲＱ−ＡＣＫコードブックは、ＰＵＣＣＨの時間領域位置に対応するダウンリンク情報のフィードバック情報を含む。
【０２５６】
ＰＵＣＣＨの時間領域位置はｉ番目の時間領域インターバルに属し、ｉ番目の時間領域インターバルが１／２スロットである例が記載のために使用される点が留意されるべきである。例えば、ＰＵＣＣＨの時間領域位置の開始位置及び時間領域終了位置の両方が、１／２スロットの時間領域リソース内にあるか、あるいは、ＰＵＣＣＨの時間領域位置の開始位置は１／２スロットの時間領域リソース内にあり、ＰＵＣＣＨの時間領域位置の終了位置は１／２スロットの時間領域リソース内にないか、あるいは、ＰＵＣＣＨの時間領域位置の開始位置は１／２スロットの時間領域リソース内になく、ＰＵＣＣＨの時間領域位置の終了位置は１／２スロットの時間領域リソース内にある。
【０２５７】
任意に、時間ユニットの長さは、Ｍ個のシンボル、１／２スロット、１／４スロット、１／７スロット、及び１／８スロットのうちのいずれか１つであり、Ｍは、１４より小さい正の整数である。
【０２５８】
任意に、第１フィードバックモードは、処理ユニットが、ｉ番目の時間領域インターバルに対応するハイブリッド自動再送要求−確認応答ＨＡＲＱ−ＡＣＫコードブックを生成することであり、ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
処理ユニット７２０は、第１フィードバックモード及び／又は第２フィードバックモードを決定するよう更に構成され、第２フィードバックモードは、処理ユニットが、１つのスロットに対応するハイブリッド自動再送要求−確認応答ＨＡＲＱ−ＡＣＫコードブックを生成することである。
【０２５９】
任意に、処理ユニット７２０は、第１情報に基づいて第１フィードバックモード及び／又は第２フィードバックモードを決定するよう特に構成され、
このとき、第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【０２６０】
任意に、ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である。
【０２６１】
任意に、ｉ番目の時間領域インターバルの時間領域長さは、標準規格に従って予め定義されるか、あるいは、上位層シグナリングに基づいて設定される。
【０２６２】
図示されていなくても、通信デバイス７００は、他のユニット、例えば、入力ユニット及び出力ユニットを更に含んでもよい点が理解されるべきである。
【０２６３】
図８は、本願の実施形態に従う通信デバイス８００の略構造図である。通信デバイス８００は、図１に示されるシステムに適用されるネットワークデバイスであってよい。図８に示されるように、通信デバイス８００は、トランシーバユニット８１０及び処理ユニット８２０を含む。
【０２６４】
トランシーバユニット８１０及び処理ユニット８２０は、制御信号及び／又はデータ信号を転送するために、内部接続パスを通じて互いと通信する。可能な設計では、トランシーバユニット８１０及び処理ユニット８２０は、本願の実施形態におけるネットワークデバイスの対応する機能を実装するように、チップを使用することによって実施されてもよい。
【０２６５】
本願のこの実施形態で、処理ユニット８２０は、物理アップリンク制御チャネルＰＵＣＣＨリソースを決定する。
【０２６６】
トランシーバユニット８１０は、ＰＵＣＣＨリソースで、端末デバイスによって送信されたハイブリッド自動再送要求−確認応答ＨＡＲＱ−ＡＣＫコードブックを受信し、このとき、ＨＡＲＱ−ＡＣＫコードブックは、ｉ番目の時間領域インターバルに対応するＨＡＲＱ−ＡＣＫコードブックであり、ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である。
【０２６７】
本願のこの実施形態で、通信デバイス（例えば、ネットワークデバイス）は、１つのスロットよりも小さい時間領域インターバルに対応して端末デバイスによって生成されるＨＡＲＱ−ＡＣＫコードブックを受信することができる。すなわち、端末デバイスは、異なるサービスについて低いレイテンシを確保するために、１つのスロットで複数のＨＡＲＱ−ＡＣＫコードブックを生成することができる。その上、異なるサービスのＰＵＣＣＨがフィードバックされるよう意図される場合に、ＰＵＣＣＨは一緒にフィードバックされないので、いくつかのＰＵＣＣＨの信頼性を確かにすることによって引き起こされるリソースの無駄を回避する。
【０２６８】
任意に、トランシーバユニット８１０は、第１ダウンリンク情報を送信するよう更に構成され、
トランシーバユニット８１０がダウンリンク情報を送信する場合に、処理ユニット８２０は、
第１インジケータ値を決定し、
第１ダウンリンク情報に対応するフィードバック情報が位置する第１時間ユニットを決定する
よう更に構成され、このとき、第１インジケータ値は、第１ダウンリンク情報が位置する時間ユニットと第１時間ユニットとの間の時間ユニットの数を示し、
第１時間ユニットはｉ番目の時間領域インターバルに属し、ｉ番目の時間領域インターバルに対応するＨＡＲＱ−ＡＣＫコードブックは、第１時間ユニットに対応するフィードバック情報を含む。
【０２６９】
本願のこの実施形態で、ネットワークデバイスは、最初に、第１インジケータ値を決定し、そして、第１インジケータ値と、第１ダウンリンク情報が位置する時間ユニットとに基づいて、第１ダウンリンク情報に対応するフィードバック情報が位置する第１時間ユニットを決定してよく、あるいは、ネットワークデバイスは、最初に、第１ダウンリンク情報に対応するフィードバック情報が位置する第１時間ユニットを決定し、そして、第１時間ユニットと、第１ダウンリンク情報が位置する時間ユニットとに基づいて、第１インジケータ値を決定してよい点が理解されるべきである。
【０２７０】
第１インジケータ値の時間ユニットの長さは、ｉ番目の時間領域インターバルの時間領域長さ以下である点が理解されるべきである。
【０２７１】
第１時間ユニットはｉ番目の時間領域インターバルに属し、ｉ番目の時間領域インターバルが１／２スロットである例が記載のために使用される点が留意されるべきである。例えば、第１時間ユニットの時間領域開始位置及び時間領域終了位置の両方が、１／２スロットの時間領域リソース内にあるか、あるいは、第１時間ユニットの時間領域開始位置は１／２スロットの時間領域リソース内にあり、第１時間ユニットの時間領域終了位置は１／２スロットの時間領域リソース内にないか、あるいは、第１時間ユニットの時間領域開始位置は１／２スロットの時間領域リソース内になく、第１時間ユニットの時間領域終了位置は１／２スロットの時間領域リソース内にある。
【０２７２】
任意に、トランシーバユニット８１０は、
第２ダウンリンク情報を送信し、
ＰＵＣＣＨリソースインジケータ値を送信する
よう更に構成され、
トランシーバユニット８１０が第２ダウンリンク情報及びＰＵＣＣＨリソースインジケータ値を送信する場合に、処理ユニット８２０は、ＰＵＣＣＨの時間領域位置を決定するよう更に構成され、このとき、ＰＵＣＣＨリソースインジケータ値は、ＰＵＣＣＨの前記時間領域位置を示すために使用され、
ＰＵＣＣＨの時間領域位置は、ｉ番目の時間領域インターバルに属し、ｉ番目の時間領域インターバルに対応するＨＡＲＱ−ＡＣＫコードブックは、ＰＵＣＣＨの時間領域位置に対応するダウンリンク情報のフィードバック情報を含む。
【０２７３】
ＰＵＣＣＨの時間領域位置はｉ番目の時間領域インターバルに属し、ｉ番目の時間領域インターバルが１／２スロットである例が記載のために使用される点が留意されるべきである。例えば、ＰＵＣＣＨの時間領域位置の開始位置及び時間領域終了位置の両方が、１／２スロットの時間領域リソース内にあるか、あるいは、ＰＵＣＣＨの時間領域位置の開始位置は１／２スロットの時間領域リソース内にあり、ＰＵＣＣＨの時間領域位置の終了位置は１／２スロットの時間領域リソース内にないか、あるいは、ＰＵＣＣＨの時間領域位置の開始位置は１／２スロットの時間領域リソース内になく、ＰＵＣＣＨの時間領域位置の終了位置は１／２スロットの時間領域リソース内にある。
【０２７４】
任意に、時間ユニットの長さは、Ｍ個のシンボル、１／２スロット、１／４スロット、１／７スロット、及び１／８スロットのうちのいずれか１つであり、Ｍは、１４より小さい正の整数である。
【０２７５】
任意に、第１受信フィードバックモードは、トランシーバユニットが、端末デバイスによって送信されたハイブリッド自動再送要求−確認応答ＨＡＲＱ−ＡＣＫコードブックを受信することであり、ＨＡＲＱ−ＡＣＫコードブックは、ｉ番目の時間領域インターバルに対応するＨＡＲＱ−ＡＣＫコードブックであり、ｉ番目の時間領域インターバルは、１つのスロットのＮ個の時間領域インターバルのうちのいずれか１つであり、ｉはＮ以下であり、ｉは正の整数であり、Ｎは１よりも大きい正の整数であり、
処理ユニット８２０は、第１受信フィードバックモード及び／又は第２受信フィードバックモードを決定するよう更に構成され、第２受信フィードバックモードは、トランシーバユニットが、１つのスロットに対応して端末デバイスによって生成されるハイブリッド自動再送要求−確認応答ＨＡＲＱ−ＡＣＫコードブックを受信することである。
【０２７６】
任意に、処理ユニット８２０は、第１情報に基づいて第１受信フィードバックモード及び／又は第２受信フィードバックモードを決定するよう特に構成され、
このとき、第１情報は、コンフィグレーション情報、サービスタイプ、ダウンリンク情報をスケジューリングする制御情報のフォーマット、ダウンリンク情報をスケジューリングする制御情報のスクランブリング識別子情報、ダウンリンク情報をスケジューリングする制御情報が位置する探索空間のタイプ又は識別子、ダウンリンク情報をスケジューリングする制御情報のアグリゲーションレベル、ダウンリンク情報のマッピングタイプ、及びダウンリンク情報の時間領域長さのうちの少なくとも１つを含む。
【０２７７】
任意に、ｉ番目の時間領域インターバルの時間領域長さは、Ｑ個のシンボル、１／２スロット、１／４スロット、１／７スロット、及び１／８スロットのうちのいずれか１つであり、Ｑは、１４より小さい正の整数である。
【０２７８】
任意に、ｉ番目の時間領域インターバルの時間領域長さは、標準規格に従って予め定義されるか、あるいは、上位層シグナリングに基づいて設定される。
【０２７９】
図示されていなくても、通信デバイス８００は、他のユニット、例えば、入力ユニット及び出力ユニットを更に含んでもよい点が理解されるべきである。
【０２８０】
図９は、本願の他の実施形態に従う通信デバイス９００の略構造図である。図９に示されるように、通信デバイス９００は、端末デバイスであってよく、あるいは、チップ又は回路、例えば、端末デバイスに配置され得るチップ又は回路であってよい。端末デバイスは、上記の方法における端末デバイスに対応してよい。
【０２８１】
通信デバイス９００は、プロセッサ１１（処理ユニット７２０であってよい）と、メモリ１２とを含んでよい。メモリ１２は、命令を記憶するよう構成され、プロセッサ１１は、メモリ１２に記憶されている命令を実行するよう構成され、それにより、通信デバイス９００は、図４に対応する方法において端末デバイスによって実行されるステップを実装する。
【０２８２】
更に、通信デバイス９００は、入力ポート１３（トランシーバユニット７１０であってよい）と、出力ポート１４（トランシーバユニット７１０であってよい）とを更に含んでもよい。更に、プロセッサ１１、メモリ１２、入力ポート１３、及び出力ポート１４は、制御信号及び／又はデータ信号を転送するために、内部接続パスを通じて互いと通信してよい。メモリ１２は、コンピュータプログラムを記憶するよう構成され、プロセッサ１１は、メモリ１２内のコンピュータプログラムを呼び出して実行するよう構成されてよい。メモリ１２は、プロセッサ１１に組み込まれてよく、あるいは、プロセッサ１１とは別個に配置されてもよい。
【０２８３】
任意に、通信デバイス９００が端末デバイスである場合に、入力ポート１３は受信器であり、出力ポート１４は送信器である。受信器及び送信器は、同じ物理エンティティ又は異なる物理エンティティであってよい。受信器及び送信器が同じ物理エンティティである場合に、受信器及び送信器はまとめてトランシーバと呼ばれ得る。
【０２８４】
任意に、通信デバイス９００がチップ又は回路である場合に、入力ポート１３は入力インターフェースであり、出力ポート１４は出力インターフェースである。
【０２８５】
実施において、入力ポート１３及び出力ポート１４の機能は、送信及び受信に専用のトランシーバ回路又はチップを使用することによって実装されることが考えられ得る。プロセッサ１１は、特別目的のプロセッシングチップ、プロセッシング回路、若しくはプロセッサ、又は汎用のチップを使用することによって実装される。
【０２８６】
他の実施では、本願の実施形態で提供される端末デバイスは、汎用のコンピュータを使用することによって実装されることが考えられ得る。具体的に言えば、プロセッサ１１、入力ポート１３、及び出力ポート１４の機能を実装するためのプログラムコードがメモリ１２に記憶され、汎用のプロセッサは、プロセッサ１１、入力ポート１３、及び出力ポート１４の機能を実装するようメモリ１２内のコードを実行する。
【０２８７】
プロセッサは、主に、通信プロトコル及び通信データを処理し、端末デバイス全体を制御し、ソフトウェアプログラムを実行し、ソフトウェアプログラムのデータを処理するよう、例えば、Ｎが１よりも大きい正の整数であり、ｉがＮ以下の正の整数であるとして、１つのスロットのＮ個の時間領域インターバルのうちのいずれか１つであるｉ番目の時間領域インターバルに対応するハイブリッド自動再送要求−確認応答ＨＡＲＱ−ＡＣＫコードブックを生成するよう構成される。メモリは、主に、ソフトウェアプログラム及びデータを記憶するよう、例えば、上記の実施形態で記載されるｉ番目の時間領域インターバルに対応するＨＡＲＱ−ＡＣＫコードブックを記憶するよう構成される。
【０２８８】
当業者であれば、記載を容易にするために、図９がただ１つのメモリ及びただ１つのプロセッサを示すと理解し得る。実際の端末デバイスは、複数のプロセッサ及び複数のメモリを備えることができる。メモリはまた、記憶媒体、記憶デバイス、などとも呼ばれ得る。これは、本願のこの実施形態で制限されない。
【０２８９】
任意の実施において、プロセッサは、ベースバンドプロセッサ及び中央演算処理装置を含んでよい。ベースバンドプロセッサは、主に、通信プロトコル及び通信データを処理するよう構成される。中央演算処理装置は、主に、端末デバイス全体を制御し、ソフトウェアプログラムを実行し、ソフトウェアプログラムのデータを処理するよう構成される。
【０２９０】
ベースバンドプロセッサ及び中央演算処理装置の機能は、図９ではプロセッサに組み込まれている。当業者であれば、ベースバンドプロセッサ及び中央演算処理装置は夫々独立したプロセッサであってよく、バスなどの技術を使用することによって相互接続されると理解し得る。
【０２９１】
当業者であれば、端末デバイスは、異なるネットワーク標準規格に適応するよう複数のベースバンドプロセッサを含んでよく、端末デバイスは、端末デバイスのプロセッシング能力を向上させるよう複数の中央演算処理装置を含んでよく、端末デバイスのコンポーネントは、様々なバスを使用することによって接続されてよいと理解し得る。ベースバンドプロセッサはまた、ベースバンド処理回路又はベースバンド処理チップと表現されることがある。中央演算処理装置はまた、中央演算処理回路又は中央演算処理チップと表現されることができる。通信プロトコル及び通信データを処理する機能は、プロセッサに埋め込まれてよく、あるいは、ソフトウェアプログラムの形で記憶ユニットに記憶されてもよい。プロセッサは、ベースバンド処理機能を実装するようソフトウェアプログラムを実行する。
【０２９２】
例えば、本願のこの実施形態で、送信及び受信機能を備えているアンテナ及び制御回路は、通信デバイス７００のトランシーバユニット７１０と見なされてよく、プロセッシング機能を備えているプロセッサは、通信デバイス７００の処理ユニット７２０と見なされてよい。図７に示されるように、端末デバイス７００は、トランシーバユニット７１０及び処理ユニット７２０を含む。トランシーバユニットは、トランシーバ、トランシーバ機械、トランシーバ通信デバイス、などとも呼ばれ得る。任意に、トランシーバユニット７１０内の、受信機能を実装するよう構成されるコンポーネントは、受信ユニットと見なされてよく、トランシーバユニット７１０内の、送信機能を実装するよう構成されるコンポーネントは、送信ユニットと見なされてよい。すなわち、トランシーバユニット７１０は、受信ユニット及び送信ユニットを含む。例えば、受信ユニットは、受信器機械、受信器、受信回路、などとも呼ばれることがあり、送信ユニットは、送信器機械、送信器、送信回路、などとも呼ばれることがある。
【０２９３】
図１０は、本願の他の実施形態に従う通信デバイス１０００の略構造図である。図１０に示されるように、通信デバイス１０００は、ネットワークデバイスであってよく、あるいは、チップ又は回路、例えば、ネットワークデバイスに配置され得るチップ又は回路であってよい。ネットワークデバイスは、上記の方法におけるネットワークデバイスに対応してよい。
【０２９４】
通信デバイス１０００は、プロセッサ３１（処理ユニット８２０であってよい）と、メモリ３２とを含んでよい。メモリ３２は、命令を記憶するよう構成され、プロセッサ３１は、メモリ３２に記憶されている命令を実行するよう構成され、それにより、通信デバイス１０００は、図２に対応する方法においてネットワークデバイスによって実行されるステップを実装する。
【０２９５】
更に、通信デバイス１０００は、入力ポート３３（トランシーバユニット８１０であってよい）と、出力ポート３４（トランシーバユニット８１０であってよい）とを更に含んでもよい。また更には、プロセッサ３１、メモリ３２、入力ポート３３、及び出力ポート３４は、制御信号及び／又はデータ信号を転送するために、内部接続パスを通じて互いと通信してよい。メモリ３２は、コンピュータプログラムを記憶するよう構成され、プロセッサ３１は、図４の方法においてネットワークデバイスによって実行されるステップを完了するために、入力ポート２２を制御して信号を受信し、出力ポート３４を制御して信号を送信するようにメモリ３２内のコンピュータプログラムを呼び出して実行するよう構成されてよい。メモリ３２は、プロセッサ３１に組み込まれてよく、あるいは、プロセッサ３１とは別個に配置されてもよい。
【０２９６】
プロセッサ３１は、上記の方法においてネットワークデバイスによって実行されるステップを完了するために、信号を受信するよう入力ポート３３を制御し、信号を送信するよう出力ポート３４を制御する。メモリ３２は、プロセッサ３１に組み込まれてよく、あるいは、プロセッサ３１とは別個に配置されてもよい。
【０２９７】
任意に、通信デバイス１０００がネットワークデバイスである場合に、入力ポート３３は受信器であり、出力ポート３４は送信器である。受信器及び送信器は、同じ物理エンティティ又は異なる物理エンティティであってよい。受信器及び送信器が同じ物理エンティティである場合に、受信器及び送信器はまとめてトランシーバと呼ばれ得る。
【０２９８】
任意に、通信デバイス１０００がチップ又は回路である場合に、入力ポート３３は入力インターフェースであり、出力ポート３４は出力インターフェースである。
【０２９９】
任意に、通信デバイス１０００がチップ又は回路である場合に、代替的に、通信デバイス１０００はメモリ３２を含まなくてもよく、プロセッサ３１は、図４に対応する方法におけるネットワークデバイスの機能を実装するために、チップの外のメモリから命令（プログラム又はコード）を読み出してもよい。
【０３００】
実施において、入力ポート３３及び出力ポート３４の機能は、送信及び受信に専用のトランシーバ回路又はチップを使用することによって実装されることが考えられ得る。プロセッサ３１は、特別目的のプロセッシングチップ、プロセッシング回路、若しくはプロセッサ、又は汎用のチップを使用することによって実装される。
【０３０１】
他の実施では、本願の実施形態で提供されるネットワークデバイスは、汎用のコンピュータを使用することによって実装されることが考えられ得る。具体的に言えば、プロセッサ３１、入力ポート３３、及び出力ポート３４の機能を実装するためのプログラムコードがメモリに記憶され、汎用のプロセッサは、プロセッサ３１、入力ポート３３、及び出力ポート３４の機能を実装するようメモリ内のコードを実行する。
【０３０２】
本願のこの実施形態で、図１０は、ネットワークデバイスの略構造図であってよい。ネットワークデバイスは、上記の方法におけるネットワークデバイスの機能を実装するよう構成されてよい。プロセッサ３１は、通信デバイス８００の処理ユニット８２０の機能を実装してよく、入力ポート３３及び出力ポート３４は、通信デバイス８００のトランシーバユニット８１０の機能を実装してよい。これは本願で制限されない。
【０３０３】
本願の上記の実施形態における情報伝送方法は、プロセッサに適用されてよく、あるいは、プロセッサによって実装されてよい。プロセッサは、集積回路チップであってよく、信号処理能力を備えている。実施プロセスにおいて、上記の方法におけるステップは、プロセッサ内のハードウェア集積論理回路を使用することによって、又はソフトウェアの形を取る命令を使用することによって実装されてよい。プロセッサは、汎用のプロセッサ、デジタル信号プロセッサ（digital  signal  processor，ＤＳＰ）、特定用途向け集積回路（application-specific  integrated  circuit，ＡＳＩＣ）、フィールド・プログラマブル・ゲート・アレイ（field  programmable  gate  array，ＦＰＧＡ）若しくは他のプログラム可能なロジックデバイス、ディスクリートゲート若しくはトランジスタロジックデバイス、ディスクリートハードウェア部品、システム・オン・チップ（system  on  chip，ＳｏＣ）、中央演算処理装置（central  processing  unit，ＣＰＵ）、ネットワークプロセッサ（network  processor，ＮＰ）、デジタル信号プロセッサ（digital  signal  processor，ＤＳＰ）、マイクロコントローラユニット（micro  controller  unit，ＭＣＵ）、プログラム可能なコントローラ（programmable  logic  device，ＰＬＤ）、又は他の集積チップであってよい。プロセッサは、本願の実施形態で開示されている方法、ステップ、及び論理ブロック図を実装又は実行してよい。汎用のプロセッサはマイクロプロセッサであってよく、プロセッサは如何なる従来のプロセッサなどであってもよい。本願の実施形態を参照して開示されている方法のステップは、ハードウェア復号化プロセッサを使用することによって直接実行及び達成されてよく、あるいは、復号化プロセッサ内のハードウェア及びソフトウェアモジュールの組み合わせを使用することによって実行及び達成されてもよい。ソフトウェアモジュールは、ランダム・アクセス・メモリ（random  access  memory，ＲＡＭ）、フラッシュメモリ、リード・オンリー・メモリ（read-only  memory，ＲＯＭ）、プログラム可能なリード・オンリー・メモリ、電気的消去可能なプログラム可能メモリ、レジスタ、などのような、当該技術における成熟した記憶媒体に位置してよい。記憶媒体はメモリに位置し、プロセッサはメモリ内の命令を読み出し、プロセッサのハードウェアと組み合わせて上記の方法におけるステップを完了する。
【０３０４】
本願のこの実施形態がネットワークデバイス内のチップに適用される場合に、ネットワークデバイス内のチップは、上記の方法の実施形態におけるネットワークデバイスの機能を実装する点が理解され得る。ネットワークデバイス内のチップは、ネットワークデバイス内の他のモジュール（例えば、無線周波数モジュール又はアンテナ）からアップリンク共有チャネル及びアップリンクデータを受信する。アップリンク共有チャネル及びダウンリンクデータは、端末デバイスによって基地局へ送信される。
【０３０５】
上記の実施形態の全て又はいくつかは、ソフトウェア、ハードウェア、ファームウェア、又はそれらの任意の組み合わせを使用することによって実装されてよい。ソフトウェアが実施形態を実装するために使用される場合に、上記の実施形態は、完全又は部分的にコンピュータプログラム製品の形で実装されてよい。コンピュータプログラム製品は、１つ以上のコンピュータ命令又はコンピュータプログラムを含む。プログラム命令又はコンピュータプログラムがコンピュータでロードされ実行される場合に、本願の実施形態に従うプロシージャ又は機能は、全て又は部分的に生成される。コンピュータは、汎用のコンピュータ、特別目的のコンピュータ、コンピュータネットワーク、又は他のプログラム可能な通信デバイスであってよい。コンピュータ命令は、コンピュータ可読記憶媒体に記憶されてよく、あるいは、コンピュータ可読記憶媒体から他のコンピュータ可読記憶媒体へ伝送されてもよい。例えば、コンピュータ命令は、ウェブサイト、コンピュータ、サーバ、又はデータセンターから他のウェブサイト、コンピュータ、サーバ、又はデータセンターへ有線（例えば、赤外線、電波、又はマイクロ波）方式で伝送されてよい。コンピュータ可読記憶媒体は、コンピュータによってアクセス可能な任意の使用可能な媒体、又は１つ以上の使用可能な媒体を組み込むサーバ若しくはデータセンターなどのデータ記憶デバイスであってよい。使用可能な媒体は、磁気媒体（例えば、フロッピーディスク、ハードディスク、若しくは磁気テープ）、光学媒体（例えば、ＤＶＤ）、又は半導体媒体であってよい。半導体媒体はソリッドステートドライブであってよい。
【０３０６】
本明細書中の「及び／又は」という語は、単に、関連するオブジェクトについて記載するための関連関係を示し、３つの関係が存在する可能性があることを表す点が理解されるべきである。例えば、Ａ及びＢは、次の３つの場合：Ａのみが存在する、Ａ及びＢの両方が存在する、Ｂのみが存在する、を表し得る。その上、本明細書中の「／」という文字は、一般的に、関連するオブジェクトの間の“論理和”関係を示す。
【０３０７】
上記のプロセスの手順番号は、本願の様々な実施形態において実行順序を意味しない点が理解されるべきである。プロセスの実行順序は、プロセスの機能及び内部ロジックに基づいて決定されるべきであり、本願の実施形態の実施プロセスに対する如何なる制限としても解釈されるべきではない。
【０３０８】
当業者であれば、本明細書中で開示されている実施形態で記載された例と組み合わせて、ユニット及びアルゴリズムステップは、電子ハードウェア、又はコンピュータソフトウェアと電子ハードウェアとの組み合わせによって実装されてよいと気づき得る。機能がハードウェア又はソフトウェアによって実行されるかどうかは、技術的解決法の特定の用途及び設計制約条件に依存する。当業者は、異なる方法を使用して、記載されている機能を特定の用途ごとに実装し得るが、実施は本願の範囲を超えると考えられるべきではない。
【０３０９】
当業者には当然ながら、便宜上、かつ、簡潔な記載のために、上記のシステム、装置、及びユニットの詳細な動作プロセスについては、上記の方法の実施形態における対応するプロセスを参照されたく、詳細はここで再び記載されない。
【０３１０】
本願で提供されるいくつかの実施形態において、開示されているシステム、装置、及び方法は他の様態で実装されてもよいことが理解されるべきである。例えば、記載されている装置の実施形態は一例にすぎない。例えば、ユニット分割は、論理的機能分割にすぎず、実際の実施では他の分割様態であってもよい。例えば、複数のユニット又はコンポーネントは、他のシステムに結合又は一体化されてよく、あるいは、いくつかの特徴は、無視されても又は実行されなくてもよい。その上、表示又は議論されている相互結合又は直接結合若しくは通信接続は、いくつかのインターフェースを通じて実装されてもよい。装置又はユニット間の間接的な結合又は通信接続は、電子的な、機械的な、又は他の形態で実装されてよい。
【０３１１】
別々の部分として記載されているユニットは、物理的に分離していてもいなくてもよく、ユニットして表されている部分は、物理的なユニットであってもなくてもよく、１つの場所に位置してよく、あるいは、複数のネットワークユニットに分布していてもよい。ユニットのいくつか又は全ては、実施形態の解決法の目的を達成するために実際の要件に基づいて選択されてよい。
【０３１２】
更に、本願の実施形態における機能ユニットは、１つの処理ユニットに組み込まれてよく、あるいは、ユニットの夫々は、物理的に単独で存在してよく、あるいは、２つ以上のユニットが１つのユニットにまとめられてもよい。
【０３１３】
機能がソフトウェア機能ユニットの形で実装され、独立した製品として販売又は使用される場合に、機能は、コンピュータ可読記憶媒体に記憶されてよい。そのような理解に基づいて、本願の技術的解決法は本質的に、又は線香アプローチに寄与する部分、若しくは技術的解決法のいくつかは、ソフトウェア製品の形で実装されてよい。コンピュータソフトウェア製品は、記憶媒体に記憶されており、本願の実施形態で記載されている方法のステップの全て又はいくつかを実行するようにコンピュータデバイス（パーソナルコンピュータ、サーバ、ネットワークデバイス、などであってよい）に指示するいくつかの命令を含む。上記の記憶媒体には、ＵＳＢフラッシュドライブ、リムーバブルハードディスク、リード・オンリー・メモリ（read-only  memory，ＲＯＭ）、ランダム・アクセス・メモリ（random  access  memory，ＲＡＭ）磁気ディスク、又は光ディスクなどの、プログラムコードを記憶することができる如何なる媒体も含まれる。
【０３１４】
以上の記載は、本願の具体的な実施にすぎず、本願の保護範囲を制限する意図はない。本願で開示されている技術範囲内で当業者に容易に想到可能な如何なる変形又は置換も、本願の保護範囲の中に入るべきである。従って、本願の保護範囲は、特許請求の範囲の保護範囲に従うべきである。
【０３１５】
本願は、２０１８年６月４日付けで「INFORMATION  TRANSMISSION  METHOD  AND  COMMUNICATIONS  DEVICE」と題されて中国国家知識産権局に出願された中国特許出願第２０１８１０５６６０３２．６号の優先権を主張する。なお、先の中国特許出願は、その全文を参照により本願に援用される。
【図１】
2021526337.tif 000003
【図２】
2021526337.tif 000004
【図３】
2021526337.tif 000005
【図４】
2021526337.tif 000006
【図５】
2021526337.tif 000007
【図６】
2021526337.tif 000008
【図７】
2021526337.tif 000009
【図８】
2021526337.tif 000010
【図９】
2021526337.tif 000011
【図１０】
2021526337.tif 000012
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
情報伝送方法であって、
端末デバイスによって、ｉ番目の時間領域インターバルに対応するハイブリッド自動再送要求−確認応答（ＨＡＲＱ−ＡＣＫ）コードブックを生成することであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である、ことと、
前記端末デバイスによって、前記ＨＡＲＱ−ＡＣＫコードブックに対応する物理アップリンク制御チャネル（ＰＵＣＣＨ）リソースを決定することと、
前記端末デバイスによって、前記ＰＵＣＣＨリソースで前記ＨＡＲＱ−ＡＣＫコードブックを送信することと
を有する方法。
【請求項２】
当該方法は、
前記端末デバイスによって第１ダウンリンク情報を受信することと、
前記端末デバイスによって、前記第１ダウンリンク情報が位置する時間ユニットと第１インジケータ値とに基づいて、前記第１ダウンリンク情報に対応するフィードバック情報が位置する第１時間ユニットを決定することであり、前記第１インジケータ値は、前記第１ダウンリンク情報が位置する前記時間ユニットと前記第１時間ユニットとの間の時間ユニットの数を示す、ことと
を更に有し、
前記第１時間ユニットが前記ｉ番目の時間領域インターバルに属する場合に、前記ｉ番目の時間領域インターバルに対応し、前記端末デバイスによって生成される前記ＨＡＲＱ−ＡＣＫコードブックは、前記第１時間ユニットに対応する前記フィードバック情報を有する、
請求項１に記載の方法。
【請求項３】
前記第１ダウンリンク情報が位置する前記時間ユニットは、前記第１ダウンリンク情報によって占有される時間領域位置での最後のシンボルが位置する時間ユニットである、
請求項２に記載の方法。
【請求項４】
前記時間ユニットの長さは、Ｍ個のシンボル、１／２スロット、１／４スロット、１／７スロット、又は１／８スロットであり、Ｍは、１４より小さい正の整数である、
請求項２又は３に記載の方法。
【請求項５】
前記ｉ番目の時間領域インターバルの時間領域長さは、Ｑ個のシンボル、１／２スロット、１／４スロット、１／７スロット、又は１／８スロットであり、Ｑは、１４より小さい正の整数である、
請求項１乃至４のうちいずれか一項に記載の方法。
【請求項６】
当該方法は、前記端末デバイスによって、ネットワークデバイスから第１指示情報を受信することを更に有し、
前記第１指示情報は、前記ｉ番目の時間領域インターバルの時間領域長さを示し、前記第１指示情報は、上位層シグナリングで運ばれる、
請求項１乃至５のうちいずれか一項に記載の方法。
【請求項７】
当該方法は、前記端末デバイスによって、ネットワークデバイスから第２指示情報を受信することを更に有し、
前記第２指示情報は、前記第１インジケータ値を示し、前記第２指示情報は、上位層シグナリングで運ばれる、
請求項２乃至４のうちいずれか一項に記載の方法。
【請求項８】
当該方法は、前記端末デバイスによって、ネットワークデバイスから第１ダウンリンク制御情報を受信することを更に有し、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングによって示される、
請求項２乃至４のうちいずれか一項に記載の方法。
【請求項９】
情報伝送方法であって、
ネットワークデバイスによって物理アップリンク制御チャネル（ＰＵＣＣＨ）リソースを決定することと、
前記ネットワークデバイスによって、前記ＰＵＣＣＨリソースで、端末デバイスからハイブリッド自動再送要求−確認応答（ＨＡＲＱ−ＡＣＫ）コードブックを受信することであり、該ＨＡＲＱ−ＡＣＫコードブックは、ｉ番目の時間領域インターバルに対応するＨＡＲＱ−ＡＣＫコードブックであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である、ことと
を有する方法。
【請求項１０】
当該方法は、
前記ネットワークデバイスによって第１ダウンリンク情報を送信することと、
前記ネットワークデバイスによって第１インジケータ値を決定することと、
前記ネットワークデバイスによって、前記第１ダウンリンク情報に対応するフィードバック情報が位置する第１時間ユニットを決定することと
を更に有し、
前記第１インジケータ値は、前記第１ダウンリンク情報が位置する時間ユニットと前記第１時間ユニットとの間の時間ユニットの数を示し、
前記第１時間ユニットは、前記ｉ番目の時間領域インターバルに属し、該ｉ番目の時間領域インターバルに対応する前記ＨＡＲＱ−ＡＣＫコードブックは、前記第１時間ユニットに対応する前記フィードバック情報を有する、
請求項９に記載の方法。
【請求項１１】
当該方法は、前記ネットワークデバイスによって第１指示情報を前記端末デバイスへ送信することを更に有し、
前記第１指示情報は、前記ｉ番目の時間領域インターバルの時間領域長さを示し、前記第１指示情報は、上位層シグナリングで運ばれる、
請求項９又は１０に記載の方法。
【請求項１２】
当該方法は、前記ネットワークデバイスによって第２指示情報を前記端末デバイスへ送信することを更に有し、
前記第２指示情報は、前記第１インジケータ値を示し、前記第２指示情報は、上位層シグナリングで運ばれる、
請求項１０に記載の方法。
【請求項１３】
ｉ番目の時間領域インターバルに対応するハイブリッド自動再送要求−確認応答（ＨＡＲＱ−ＡＣＫ）コードブックを生成し、前記ＨＡＲＱ−ＡＣＫコードブックに対応する物理アップリンク制御チャネル（ＰＵＣＣＨ）リソースを決定するよう構成される処理ユニットであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である、前記処理ユニットと、
前記ＰＵＣＣＨリソースで前記ＨＡＲＱ−ＡＣＫコードブックを送信するよう構成されるトランシーバユニットと
を有する通信装置。
【請求項１４】
前記トランシーバユニットは、第１ダウンリンク情報を受信するよう更に構成され、
前記処理ユニットは、前記第１ダウンリンク情報が位置する時間ユニットと第１インジケータ値とに基づいて、前記第１ダウンリンク情報に対応するフィードバック情報が位置する第１時間ユニットを決定するよう更に構成され、前記第１インジケータ値は、前記第１ダウンリンク情報が位置する前記時間ユニットと前記第１時間ユニットとの間の時間ユニットの数を示し、
前記第１時間ユニットが前記ｉ番目の時間領域インターバルに属する場合に、前記ｉ番目の時間領域インターバルに対応する前記生成されたＨＡＲＱ−ＡＣＫコードブックは、前記第１時間ユニットに対応する前記フィードバック情報を有する、
請求項１３に記載の通信装置。
【請求項１５】
前記第１ダウンリンク情報が位置する前記時間ユニットは、前記第１ダウンリンク情報によって占有される時間領域位置での最後のシンボルが位置する時間ユニットである、
請求項１４に記載の通信装置。
【請求項１６】
前記時間ユニットの長さは、Ｍ個のシンボル、１／２スロット、１／４スロット、１／７スロット、又は１／８スロットであり、Ｍは、１４より小さい正の整数である、
請求項１４又は１５に記載の通信装置。
【請求項１７】
前記ｉ番目の時間領域インターバルの時間領域長さは、Ｑ個のシンボル、１／２スロット、１／４スロット、１／７スロット、又は１／８スロットであり、Ｑは、１４より小さい正の整数である、
請求項１３乃至１６のうちいずれか一項に記載の通信装置。
【請求項１８】
前記トランシーバユニットは、ネットワークデバイスから第１指示情報を受信するよう更に構成され、
前記第１指示情報は、前記ｉ番目の時間領域インターバルの時間領域長さを示し、前記第１指示情報は、上位層シグナリングで運ばれる、
請求項１３乃至１７のうちいずれか一項に記載の通信装置。
【請求項１９】
前記トランシーバユニットは、ネットワークデバイスから第２指示情報を受信するよう更に構成され、
前記第２指示情報は、前記第１インジケータ値を示し、前記第２指示情報は、上位層シグナリングで運ばれる、
請求項１４乃至１６のうちいずれか一項に記載の通信装置。
【請求項２０】
前記トランシーバユニットは、ネットワークデバイスから第１ダウンリンク制御情報を受信するよう更に構成され、
前記第１ダウンリンク制御情報は、前記第１インジケータ値を示すか、あるいは、前記第１ダウンリンク制御情報は、前記第１インジケータ値を示すよう第１インジケータ値の組内の値を示し、該第１インジケータ値の組は、予め定義されるか、又は上位層シグナリングによって示される、
請求項１４乃至１６のうちいずれか一項に記載の通信装置。
【請求項２１】
物理アップリンク制御チャネル（ＰＵＣＣＨ）リソースを決定するよう構成される処理ユニットと、
前記ＰＵＣＣＨリソースで、端末デバイスからハイブリッド自動再送要求−確認応答ＨＡＲＱ−ＡＣＫコードブックを受信するよう構成されるトランシーバユニットであり、該ＨＡＲＱ−ＡＣＫコードブックは、ｉ番目の時間領域インターバルに対応するＨＡＲＱ−ＡＣＫコードブックであり、前記ｉ番目の時間領域インターバルは、１つのスロットのＮ個の時間領域インターバルのうちのいずれか１つであり、ｉはＮ以下であり、ｉは正の整数であり、Ｎは１よりも大きい正の整数である、前記トランシーバユニットと
を有する通信装置。
【請求項２２】
前記トランシーバユニットは、第１ダウンリンク情報を送信するよう更に構成され、
前記処理ユニットは、
第１インジケータ値を決定し、
前記第１ダウンリンク情報に対応するフィードバック情報が位置する第１時間ユニットを決定する
よう更に構成され、
前記第１インジケータ値は、前記第１ダウンリンク情報が位置する時間ユニットと前記第１時間ユニットとの間の時間ユニットの数を示し、
前記第１時間ユニットは、前記ｉ番目の時間領域インターバルに属し、該ｉ番目の時間領域インターバルに対応する前記ＨＡＲＱ−ＡＣＫコードブックは、前記第１時間ユニットに対応する前記フィードバック情報を有する、
請求項２１に記載の通信装置。
【請求項２３】
前記トランシーバユニットは、第１指示情報を前記端末デバイスへ送信するよう更に構成され、
前記第１指示情報は、前記ｉ番目の時間領域インターバルの時間領域長さを示し、前記第１指示情報は、上位層シグナリングで運ばれる、
請求項２１又は２２に記載の通信装置。
【請求項２４】
前記トランシーバユニットは、第２指示情報を前記端末デバイスへ送信するよう更に構成され、
前記第２指示情報は、前記第１インジケータ値を示し、前記第２指示情報は、上位層シグナリングで運ばれる、
請求項２２に記載の通信装置。
【請求項２５】
通信装置であって、
コンピュータプログラムを記憶するよう構成されるメモリと、
当該通信装置に請求項１乃至８のうちいずれか一項に記載の方法を実行させるように、前記メモリに記憶されている前記コンピュータプログラムを実行するよう構成されるプロセッサと
を有する通信装置。
【請求項２６】
通信装置であって、
コンピュータプログラムを記憶するよう構成されるメモリと、
当該通信装置に請求項９乃至１２のうちいずれか一項に記載の方法を実行させるように、前記メモリに記憶されている前記コンピュータプログラムを実行するよう構成されるプロセッサと
を有する通信装置。
【請求項２７】
コンピュータプログラムであって、
当該コンピュータプログラムがコンピュータで実行される場合に、該コンピュータは、請求項１乃至８のうちいずれか一項に記載の方法を実行することを可能にされる、
コンピュータプログラム。
【請求項２８】
コンピュータプログラムであって、
当該コンピュータプログラムがコンピュータで実行される場合に、該コンピュータは、請求項９乃至１２のうちいずれか一項に記載の方法を実行することを可能にされる、
コンピュータプログラム。
【請求項２９】
請求項２７に記載のコンピュータプログラムを記憶しているコンピュータ可読記憶媒体。
【請求項３０】
請求項２８に記載のコンピュータプログラムを記憶しているコンピュータ可読記憶媒体。
【手続補正２】
【補正対象書類名】明細書
【補正対象項目名】００２０
【補正方法】変更
【補正の内容】
【００２０】
本願のこの実施形態における技術的解決法では、時間領域インターバルごとに１つのＨＡＲＱ−ＡＣＫコードブックが生成される。時間領域インターバルの長さは１つのスロットのそれよりも短いので、少なくとも２つのＨＡＲＱ−ＡＣＫコードブックが１つのスロットにおいて生成されてよく、それにより、少なくとも２つのＰＵＣＣＨがフィードバックされ、低レイテンシサービスのＰＵＣＣＨは、瞬時にフィードバックされることを確かにされ得、低いレイテンシが確保され得る。その上、異なるサービスのＰＵＣＣＨがフィードバックされるよう意図される場合に、ＰＵＣＣＨは一緒にフィードバックされないので、いくつかのサービスのＰＵＣＣＨの信頼性を確かにすることによって引き起こされるリソースの無駄を回避する。
【手続補正３】
【補正対象書類名】明細書
【補正対象項目名】０２９４
【補正方法】変更
【補正の内容】
【０２９４】
通信デバイス１０００は、プロセッサ３１（処理ユニット８２０であってよい）と、メモリ３２とを含んでよい。メモリ３２は、命令を記憶するよう構成され、プロセッサ３１は、メモリ３２に記憶されている命令を実行するよう構成され、それにより、通信デバイス１０００は、図４に対応する方法においてネットワークデバイスによって実行されるステップを実装する。
【手続補正４】
【補正対象書類名】明細書
【補正対象項目名】０３０３
【補正方法】変更
【補正の内容】
【０３０３】
本願の上記の実施形態における情報伝送方法は、プロセッサに適用されてよく、あるいは、プロセッサによって実装されてよい。プロセッサは、集積回路チップであってよく、信号処理能力を備えている。実施プロセスにおいて、上記の方法におけるステップは、プロセッサ内のハードウェア集積論理回路を使用することによって、又はソフトウェアの形を取る命令を使用することによって実装されてよい。プロセッサは、汎用のプロセッサ、デジタル信号プロセッサ（digital  signal  processor，ＤＳＰ）、特定用途向け集積回路（application-specific  integrated  circuit，ＡＳＩＣ）、フィールド・プログラマブル・ゲート・アレイ（field  programmable  gate  array，ＦＰＧＡ）若しくは他のプログラム可能なロジックデバイス、ディスクリートゲート若しくはトランジスタロジックデバイス、ディスクリートハードウェア部品、システム・オン・チップ（system  on  chip，ＳｏＣ）、中央演算処理装置（central  processing  unit，ＣＰＵ）、ネットワークプロセッサ（network  processor，ＮＰ）、マイクロコントローラユニット（micro  controller  unit，ＭＣＵ）、プログラム可能なコントローラ（programmable  logic  device，ＰＬＤ）、又は他の集積チップであってよい。プロセッサは、本願の実施形態で開示されている方法、ステップ、及び論理ブロック図を実装又は実行してよい。汎用のプロセッサはマイクロプロセッサであってよく、プロセッサは如何なる従来のプロセッサなどであってもよい。本願の実施形態を参照して開示されている方法のステップは、ハードウェア復号化プロセッサを使用することによって直接実行及び達成されてよく、あるいは、復号化プロセッサ内のハードウェア及びソフトウェアモジュールの組み合わせを使用することによって実行及び達成されてもよい。ソフトウェアモジュールは、ランダム・アクセス・メモリ（random  access  memory，ＲＡＭ）、フラッシュメモリ、リード・オンリー・メモリ（read-only  memory，ＲＯＭ）、プログラム可能なリード・オンリー・メモリ、電気的消去可能なプログラム可能メモリ、レジスタ、などのような、当該技術における成熟した記憶媒体に位置してよい。記憶媒体はメモリに位置し、プロセッサはメモリ内の命令を読み出し、プロセッサのハードウェアと組み合わせて上記の方法におけるステップを完了する。
【手続補正５】
【補正対象書類名】明細書
【補正対象項目名】０３０４
【補正方法】変更
【補正の内容】
【０３０４】
本願のこの実施形態がネットワークデバイス内のチップに適用される場合に、ネットワークデバイス内のチップは、上記の方法の実施形態におけるネットワークデバイスの機能を実装する点が理解され得る。ネットワークデバイス内のチップは、ネットワークデバイス内の他のモジュール（例えば、無線周波数モジュール又はアンテナ）からアップリンク共有チャネル及びアップリンクデータを受信する。アップリンク共有チャネル及びアップリンクデータは、端末デバイスによって基地局へ送信される。
【国際調査報告】
2021526337.tif 000013
2021526337.tif 000014
2021526337.tif 000015
2021526337.tif 000016